(57)【特許請求の範囲】
【請求項１】
紙幣を収納する紙幣収納ボックスであって、紙幣に書き込まれたＲＦＩＤデータを読み取るＲＦＩＤリーダーと、前記紙幣収納ボックスの動作を制御するとともに、前記ＲＦＩＤリーダーが読み取ったＲＦＩＤデータに基づいて、紙幣の金種および金種別枚数に関するデータを算出するコントローラと、前記ＲＦＩＤリーダーが読み取ったＲＦＩＤデータおよび前記コントローラによって算出されたデータを記憶する記憶手段と、紙幣処理機の接続ターミナルとデータ通信可能に接続される接続ターミナルとを備えたことを特徴とする紙幣収納ボックス。
【請求項２】
前記ＲＦＩＤデータが、少なくとも、その紙幣を特定するＩＤデータと、その紙幣の金種を特定する金種データを含んでいることを特徴とする請求項１に記載の紙幣収納ボックス。
【請求項３】
前記紙幣処理機に取り外し可能に構成されたことを特徴とする請求項１または２に記載の紙幣収納ボックス。
【請求項４】
前記紙幣処理機に取り外し可能に構成された紙幣収納ユニットに取り外し可能に構成されたことを特徴とする請求項１または２に記載の紙幣収納ボックス。
【請求項５】
前記ＲＦＩＤリーダーから発信された周波数の電波を遮蔽する材料によって形成されたことを特徴とする請求項１ないし４のいずれか１項に記載の紙幣収納ボックス。
【請求項６】
前記接続ターミナルが、前記紙幣処理機の前記接続ターミナルに接続されたときに、前記コントローラが、前記紙幣処理機の動作を制御する制御手段によって制御されるように構成されたことを特徴とする請求項１ないし５のいずれか１項に記載の紙幣収納ボックス。
【請求項７】
さらに、電源スイッチを備え、前記電源スイッチがオンされたときに、前記コントローラが、前記ＲＦＩＤリーダーに紙幣に書き込まれたＲＦＩＤデータの読み取りを開始させるように構成されたことを特徴とする請求項１ないし６のいずれか１項に記載の紙幣収納ボックス。
【請求項８】
さらに、前記コントローラが算出したデータを表示する表示手段を備えたことを特徴とする請求項１ないし７のいずれか１項に記載の紙幣収納ボックス。
【請求項９】
さらに、前記表示手段に表示するデータのデータ形式を切り換える切り換えスイッチを備えたことを特徴とする請求項８に記載の紙幣収納ボックス。
【請求項１０】
前記紙幣に、帯封が巻回されて、紙幣束が構成されていることを特徴とする請求項１ないし９のいずれか１項に記載の紙幣収納ボックス。
【請求項１１】
前記帯封にＲＦＩＤデータが書き込まれ、前記ＲＦＩＤリーダーが前記帯封に書き込まれたＲＦＩＤデータを読み取り可能に構成されたことを特徴とする請求項１０に記載の紙幣収納ボックス。
【発明の詳細な説明】
【技術分野】
【０００１】
本発明は、紙幣収納ボックスに関するものであり、さらに詳細には、紙幣を入金し、入金した紙幣を出金のために利用するように構成された紙幣処理機に着脱自在に取り付けて、入金された紙幣を収納するために利用することができ、かつ、紙幣を収納する金庫として利用可能で、簡易な機構で、収納されている紙幣の金種別の枚数を計数することができる紙幣収納ボックスに関するものである。
【背景技術】
【０００２】
紙幣処理機内に投入された紙幣を判別し、受け入れ可能と判別された紙幣を金種別に収納する複数の紙幣収納ボックスを備え、複数の紙幣収納ボックス内に収納された紙幣を出金のために利用するように構成された紙幣処理機が知られている（たとえば、特開２００３−５１０４６号公報（特許文献１）など。）。
【０００３】
さらに、複数の紙幣収納ボックスのいずれかに収納された紙幣の枚数が所定枚数を越えたときに、その紙幣収納ボックスに収納すべき紙幣を収納するための紙幣収納ボックスを備えた紙幣処理機も知られている（たとえば、特開２００３−３０７１５号公報（特許文献２）など。）。
【０００４】
一方、出金すべき紙幣を、金種別に収納する複数の出金紙幣収納ボックスを備え、さらに、複数の出金紙幣収納ボックスのいずれかに収納された紙幣の枚数が所定枚数以下になったとき、その紙幣収納ボックスに、出金すべき紙幣を補充するための紙幣を収納した補充紙幣収納ボックスを備えた紙幣処理機も知られている。
【０００５】
このような紙幣処理機を備えた金融機関においては、通常、毎日の業務終了後に、各紙幣収納ボックス内に収納された紙幣の金種別枚数を計数し、さらに、その後に、各紙幣収納ボックス内に収納された紙幣を取り出して、金庫内に保管することが要求されている。
【０００６】
しかしながら、毎日の業務終了後に、各紙幣収納ボックス内に収納された紙幣を取り出して、金庫内に保管することはきわめて煩雑であるため、これらの紙幣収納ボックスを、紙幣処理機に着脱可能に構成し、毎日の業務終了後に、紙幣処理機から取り外して、金庫として利用することが提案されている。
【０００７】
このように、紙幣収納ボックスを、紙幣処理機に着脱可能に構成し、毎日の業務終了後に、紙幣処理機から取り外して、金庫として利用する場合には、紙幣収納ボックス内に収納された紙幣を取り出して、金庫内に移す必要がなく、毎日の業務終了後の作業を簡易化することが可能になるが、ただ単に、紙幣収納ボックスを、紙幣処理機に着脱可能に構成しただけでは、各紙幣収納ボックスを紙幣処理機から取り外すのに先立って、各紙幣収納ボックス内に収納されている紙幣の金種別枚数を計数しなければならないという問題があった。
【０００８】
そこで、特公平６−３６２７号公報（特許文献３）は、内部に収納されている紙幣の金種別枚数に関するデータを記憶する記憶手段と、内部に収納されている紙幣の金種別枚数に関するデータを、記憶手段に書き込むとともに、記憶手段から読み出す制御手段と、記憶手段に書き込むべきデータを、紙幣処理機から受け取る接続手段を備えた紙幣収納ボックス（貨幣収納カセット）を提案している。
【０００９】
かかる紙幣収納ボックスによれば、紙幣処理機から取り外した後に、その内部に収納されている紙幣の金種別枚数を確認することが可能になるという利点がある。
【特許文献１】特開２００３−５１０４６号公報
【特許文献２】特開２００３−３０７１５号公報
【特許文献３】特公平６−３６２７号公報
【発明の開示】
【発明が解決しようとする課題】
【００１０】
しかしながら、特公平６−３６２７号公報（特許文献３）に開示された紙幣収納ボックスにあっては、記憶手段に書き込むべきデータを、紙幣処理機から受け取ることが必要であり、紙幣収納ボックスを紙幣処理機から取り外すのに先立って、紙幣処理機によって、紙幣収納ボックスの記憶手段に、データを書き込むことが必要不可欠であり、操作が面倒であるし、また、紙幣収納ボックスの記憶手段に書き込まれるデータは、あくまでも、紙幣処理機によって演算され、ＲＡＭなどに記憶されたデータに過ぎないため、紙幣収納ボックス内に現に収納されている紙幣の金種別枚数を検出して得たデータと一致しない場合があるという問題があった。
【００１１】
紙幣処理機から紙幣を出金する際、２枚以上の紙幣の全部あるいは一部が重なり合って、搬送されている場合や、その短辺が紙幣の搬送方向と角度をなして搬送されている場合には、それらの紙幣を、そのまま、紙幣処理機から出金をすると、搬送路内で、紙幣がジャミングを起こすおそれがあるため、紙幣処理機は、通常、このように、出金することができない紙幣を回収するための紙幣収納ボックスを備えているが、このような指揮することができない紙幣を回収するための紙幣収納ボックスにおいても、同様な問題があった。
【００１２】
一方、近年、ＲＦＩＤ（Radio Frequency-Identification)システムを用いて、読み取り可能なデータ（以下、「ＲＦＩＤデータ」という。）を、紙幣に書き込んで、紙幣の偽造を防止することが提案されている。ＲＦＩＤ（Radio Frequency-Identification)システムは、アンテナとコントローラを備えたＲＦＩＤライター、アンテナとコントローラを備えたＲＦＩＤリーダーならびにＩＣチップとアンテナを内蔵したインレットと呼ばれる薄いフイルムとによって構成されており、ＲＦＩＤライターから所定の周波数の電波、たとえば、マイクロ波帯の電波を発信し、インレットのアンテナに受信させて、ＩＣチップに、ＲＦＩＤデータを書き込み、ＲＦＩＤリーダーから所定の周波数、たとえば、マイクロ波帯の電波の電波を発信し、インレットのアンテナに受信させて、ＩＣチップに書き込まれたＲＦＩＤデータを読み取るものである。
【００１３】
しかしながら、ＲＦＩＤシステムを利用して、紙幣を収納する紙幣収納ボックスや紙幣処理機をどのように構成するかについての具体的な提案はほとんどなされていなかった。
【００１４】
したがって、本発明は、紙幣処理機に着脱自在に取り付けて、紙幣処理機内に収納されるべき紙幣を収納するために利用することができ、かつ、紙幣を収納する金庫として利用可能で、簡易な機構で、収納されている紙幣の金種別の枚数を計数することができる紙幣収納ボックスを提供することを目的とするものである。
【課題を解決するための手段】
【００１５】
本発明のかかる目的は、紙幣を収納する紙幣収納ボックスであって、紙幣に書き込まれたＲＦＩＤデータを読み取るＲＦＩＤリーダーと、前記紙幣収納ボックスの動作を制御するとともに、前記ＲＦＩＤリーダーが読み取ったＲＦＩＤデータに基づいて、紙幣の金種および金種別枚数に関するデータを算出するコントローラと、前記ＲＦＩＤリーダーが読み取ったＲＦＩＤデータおよび前記コントローラによって算出されたデータを記憶する記憶手段と、紙幣処理機の接続ターミナルとデータ通信可能に接続される接続ターミナルとを備えたことを特徴とする紙幣収納ボックスによって達成される。
【００１６】
本明細書において、「紙幣を収納する紙幣収納ボックス」は、その内部に、紙幣が収納されるように構成されたものをいい、紙幣が１枚づつ、分離された状態で収納される場合だけでなく、紙幣束を構成する紙幣を収納される場合をも包含している。
【００１７】
本発明によれば、紙幣を収納する紙幣収納ボックスが、紙幣に書き込まれたＲＦＩＤデータを読み取るＲＦＩＤリーダーと、紙幣収納ボックスの動作を制御するとともに、ＲＦＩＤリーダーが読み取ったＲＦＩＤデータに基づいて、紙幣の金種および金種別枚数に関するデータを算出するコントローラを備えているから、紙幣処理機に取り付けられていなくても、ＲＦＩＤリーダーによって、その内部に収納されている紙幣に書き込まれたＲＦＩＤデータを読み取り、コントローラによって、ＲＦＩＤリーダーが読み取ったＲＦＩＤデータに基づいて、紙幣の金種および金種別枚数に関するデータを算出することにより、随時、紙幣収納ボックス内に収納されている紙幣の金種および金種別枚数を正確に把握することができ、紙幣を収納する金庫としての有用性を大幅に向上させることが可能になる。
【００１８】
また、本発明によれば、紙幣収納ボックスは、紙幣処理機の接続ターミナルとデータ通信可能に接続される接続ターミナルとを備えているから、紙幣処理機に取り付けて、紙幣処理機内に収納すべき紙幣を収納するために利用することができる。
【００１９】
さらに、従来の紙幣処理機にあっては、紙幣収納ボックス内に、紙幣、たとえば、紙幣処理機から出金すべき紙幣を補充する必要がある場合には、紙幣収納ボックスを紙幣処理機から取り外して、紙幣を補充し、紙幣処理機に取り付けた上で、紙幣収納ボックス内に収納されている紙幣を、紙幣処理機内に繰り出して、紙幣の金種を判別し、金種別枚数を計数して、紙幣を、再度、紙幣収納ボックス内に導いて、収納させ、紙幣収納ボックス内に収納されている紙幣の金種および金種別枚数を確認して、紙幣収納ボックス内に収納されている紙幣の金種および金種別枚数に関するデータを紙幣処理機のデータ記憶手段に記憶させることが必要であったが、本発明によれば、紙幣収納ボックスは、ＲＦＩＤリーダーが読み取ったＲＦＩＤデータおよびコントローラによって算出されたデータを記憶する記憶手段を備えているから、かかる場合に、紙幣収納ボックスを紙幣処理機から取り外して、紙幣を補充し、ＲＦＩＤリーダーにより、紙幣収納ボックス内に収納されている紙幣に書き込まれたＲＦＩＤデータを読み取り、ＲＦＩＤリーダーが読み取った紙幣のＲＦＩＤデータに基づいて、紙幣収納ボックス内に収納されている紙幣の金種および金種別枚数に関するデータを算出して、紙幣収納ボックスの記憶手段に記憶させた上で、紙幣収納ボックスを紙幣処理機に取り付け、紙幣収納ボックスの記憶手段に記憶されている紙幣の金種および金種別枚数に関するデータを読み出すだけで、紙幣収納ボックス内に収納されている紙幣の金種および金種別枚数に関するデータを紙幣処理機のデータ記憶手段に記憶させることができ、きわめて簡易な操作で、紙幣処理機に紙幣を補充することが可能になる。
【００２０】
本発明の好ましい実施態様においては、前記ＲＦＩＤデータが、少なくとも、その紙幣を特定するＩＤデータと、その紙幣の金種を特定する金種データを含んでいる。
【００２１】
本発明のさらに好ましい実施態様においては、紙幣収納ボックスが、前記紙幣処理機に取り外し可能に構成されている。
【００２２】
本発明の別の好ましい実施態様においては、紙幣収納ボックスが、前記紙幣処理機に取り外し可能に構成された紙幣収納ユニットに取り外し可能に構成されている。
【００２３】
本発明のさらに好ましい実施態様においては、紙幣収納ボックスが、前記ＲＦＩＤリーダーから発信された周波数の電波を遮蔽する材料によって形成されている。
【００２４】
本発明のさらに好ましい実施態様においては、前記接続ターミナルが、前記紙幣処理機の前記接続ターミナルに接続されたときに、前記コントローラが、前記紙幣処理機の動作を制御する制御手段によって制御されるように構成されている。
【００２５】
本発明のさらに好ましい実施態様によれば、紙幣収納ボックスの接続ターミナルが、紙幣処理機の接続ターミナルに接続されたときに、コントローラが、紙幣処理機の動作を制御する制御手段によって制御されるように構成されているから、紙幣収納ボックスが紙幣処理機に取り付けられている場合にも、紙幣処理機の制御手段によって、紙幣収納ボックスのコントローラを制御して、ＲＦＩＤリーダーによって、その内部に収納されている紙幣に書き込まれたＲＦＩＤデータを読み取り、コントローラによって、ＲＦＩＤリーダーが読み取ったＲＦＩＤデータに基づいて、紙幣の金種および金種別枚数に関するデータを算出することにより、随時、紙幣収納ボックス内に収納されている紙幣の金種および金種別枚数を正確に把握することができ、紙幣を収納する金庫としての有用性を大幅に向上させることが可能になる。
【００２６】
本発明のさらに好ましい実施態様においては、紙幣収納ボックスが、さらに、電源スイッチを備え、前記電源スイッチがオンされたときに、前記コントローラが、前記ＲＦＩＤリーダーに紙幣に書き込まれたＲＦＩＤデータの読み取りを開始させるように構成されている。
【００２７】
本発明のさらに好ましい実施態様によれば、紙幣収納ボックスのコントローラは、電源スイッチがオンされたときに、初めて、起動されるから、紙幣収納ボックスの省電力化を図ることが可能になる。
【００２８】
本発明のさらに好ましい実施態様においては、紙幣収納ボックスが、さらに、前記コントローラが算出したデータを表示する表示手段を備えている。
【００２９】
本発明のさらに好ましい実施態様においては、紙幣収納ボックスが、さらに、前記表示手段に表示するデータのデータ形式を切り換える切り換えスイッチを備えている。
【００３０】
本発明のさらに好ましい実施態様においては、紙幣収納ボックス内に収納される紙幣に、帯封が巻回されて、紙幣束が構成されている。
【００３１】
本発明のさらに好ましい実施態様においては、前記帯封にＲＦＩＤデータが書き込まれ、前記ＲＦＩＤリーダーが前記帯封に書き込まれたＲＦＩＤデータを読み取り可能に構成されている。
【発明の効果】
【００３２】
本発明によれば、紙幣処理機に着脱自在に取り付けて、紙幣処理機内に収納されるべき紙幣を収納するために利用することができ、かつ、紙幣を収納する金庫として利用可能で、簡易な機構で、収納されている紙幣の金種別の枚数を計数することができる紙幣収納ボックスを提供することが可能になる。
【発明を実施するための最良の形態】
【００３３】
以下、添付図面に基づいて、本発明の好ましい実施態様につき、詳細に説明を加える。
【００３４】
図１は、本発明の好ましい実施態様にかかる紙幣収納ボックスを備えた紙幣処理機の略縦断面図である。
【００３５】
本実施態様にかかる紙幣処理機は、銀行などの金融機関内で使用される紙幣入出金機として構成されており、処理すべき紙幣には、紙幣の発行権限を有する機関によって、ＩＣチップとアンテナを内蔵したインレットが形成され、インレット中のＩＣチップに、紙幣のＩＤデータ、紙幣の金種データなどのＲＦＩＤデータが、特定のフォーマットで、記録されている。ここに、紙幣に形成されたインレット中のＩＣチップは、紙幣の発行権限を有する機関によって、ＩＣチップに書き込まれた紙幣のＩＤデータ、紙幣の金種データなどのＲＦＩＤデータが、紙幣の流通過程において、改ざんされることを防止するため、読み取り専用に構成されている。
【００３６】
インレットを紙幣に形成する方法としては、紙幣用の紙を抄く際に、紙幣用の紙にインレットを埋め込む方法、紙幣にインレットを貼り付ける方法、紙幣にインレットを印刷する方法などが挙げられるが、とくに限定されるものではない。
【００３７】
図１に示されるように、本実施態様にかかる紙幣処理機は、ハウジング１０を備え、ハウジング１０の上部には、紙幣が投入される紙幣入金口１１、紙幣を出金する紙幣出金口１２および投入された紙幣で、受け入れ不能と判別された紙幣を返却する紙幣返却口１３が設けられている。
【００３８】
図１に示されるように、本実施態様にかかる紙幣処理機は、さらに、搬送路１４を介して、紙幣入金口１１に接続され、紙幣繰り出し手段（図示せず）により、紙幣入金口１１から、１枚ずつ、繰り出された紙幣を判別する紙幣判別部１５を備えている。
【００３９】
紙幣判別部１５は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するための光学データおよび磁気データを生成するセンサユニット（図示せず）と、紙幣に形成されたインレット中のＩＣチップに記録された紙幣のＩＤデータ、紙幣の金種データなどのＲＦＩＤデータを読み取るＲＦＩＤリーダー（図示せず）とを備えており、紙幣判別部１５のセンサユニットによって生成された紙幣の光学データおよび磁気データならびにＲＦＩＤリーダーによって読み取られたＲＦＩＤデータは、ＣＰＵ（図示せず）に出力され、ＣＰＵによって、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かが判別され、１枚ずつ、その短辺が紙幣の搬送方向と平行になるように送られている真正でかつ現に流通している紙幣が金種別に計数されるように構成されている。
【００４０】
このように、紙幣判別部１５は、ＲＦＩＤリーダーを備えているため、ＲＦＩＤリーダーが紙幣判別部１５外に存在する紙幣のＲＦＩＤデータを読み取ることがないように、ＲＦＩＤリーダーから発信される周波数の電波を遮蔽する性質を有する材料によって形成されたケーシング１５ｃによって覆われている。
【００４１】
図１に示されるように、紙幣判別部１５の下流側には、搬送路１６が接続されており、搬送路１６から、紙幣返却口１３に接続された分岐搬送路１７が分岐し、分岐搬送路１７の分岐部には、紙幣を、搬送路１６および分岐搬送路１７のいずれかに選択的に導くゲート部材１８が設けられている。
【００４２】
紙幣判別部１５のセンサユニットによって生成された紙幣の光学データおよび磁気データならびにＲＦＩＤリーダーによって読み取られたＲＦＩＤデータに基づき、偽造紙幣あるいは外国紙幣と判別された紙幣、２枚以上の紙幣の全部あるいは一部が重なり合って、送られていると判別された紙幣ならびに紙幣の短辺が紙幣の搬送方向と角度をなして送られていると判別された紙幣は、搬送路１６、ゲート部材１８および分岐搬送路１７を介して、紙幣返却口１３に送られて、オペレータに返却される。
【００４３】
一方、分岐搬送路１７の分岐部の下流側の搬送路１６からは、分岐搬送路１９、分岐搬送路２０、分岐搬送路２１および分岐搬送路２２が、この順に分岐しており、分岐搬送路１９の分岐部には、紙幣を搬送路１６および分岐搬送路１９のいずれかに選択的に導くゲート部材２３が設けられ、分岐搬送路２０の分岐部には、紙幣を搬送路１６および分岐搬送路２０のいずれかに選択的に導くゲート部材２４が設けられている。また、分岐搬送路２１の分岐部には、紙幣を搬送路１６および分岐搬送路２１のいずれかに選択的に導くゲート部材２５が設けられ、分岐搬送路２２の分岐部には、紙幣を搬送路１６および分岐搬送路２２のいずれかに選択的に導くゲート部材２６が設けられている。
【００４４】
図１に示されるように、搬送路１６の下方には、紙幣一時貯留ユニット２７が設けられ、分岐搬送路１９、分岐搬送路２０、分岐搬送路２１および分岐搬送路２２は、紙幣一時貯留ユニット２７内に延び、搬送路１６は、分岐搬送路２２の分岐部の下流側において、紙幣一時貯留ユニット２７内に延びている。紙幣一時貯留ユニット２７は、通常は、ロック部材（図示せず）によって、ロックされて、紙幣処理機に固定され、ロック部材によるロックが解除されたときは、スライドさせて、紙幣処理機から取り出し可能に構成されている。紙幣一時貯留ユニット２７は、紙幣処理機に入金されるべき紙幣を、金種別に、一時的に貯留するものである。
【００４５】
本実施態様においては、紙幣処理機は、４種類の金種の紙幣を入出金可能で、かつ、汚損レベルが所定レベルを超えた汚損紙幣を回収可能に構成されており、したがって、紙幣一時貯留ユニット２７は、汚損紙幣一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄを備えている。
【００４６】
図１に示されるように、分岐搬送路１９は、汚損紙幣一時貯留ボックス２８に接続されている。一方、分岐搬送路２０、分岐搬送路２１および分岐搬送路２２は、第一の紙幣一時貯留ボックス２７ａ、第二の紙幣一時貯留ボックス２７ｂおよび第三の紙幣一時貯留ボックス２７ｃに接続され、搬送路１６は、分岐搬送路２２の分岐部の下流側で、第四の紙幣一時貯留ボックス２７ｄに接続されている。
【００４７】
したがって、紙幣判別部１５のセンサユニットによって生成された紙幣の光学データおよび磁気データならびにＲＦＩＤリーダーによって読み取られたＲＦＩＤデータに基づいて、真正でかつ現に流通している紙幣で、１枚ずつ、その短辺が紙幣の搬送方向と平行になるように送られているが、汚損のレベルが所定レベルを超えていると判別された汚損紙幣は、搬送路１６、ゲート部材１８、搬送路１６、ゲート部材２３および分岐搬送路１９を介して、汚損紙幣一時貯留ボックス２８内に送られて、一時的に貯留される。
【００４８】
また、紙幣判別部１５のセンサユニットによって生成された紙幣の光学データおよび磁気データならびにＲＦＩＤリーダーによって読み取られたＲＦＩＤデータに基づいて、真正でかつ現に流通している紙幣で、１枚ずつ、その短辺が紙幣の搬送方向と平行になるように送られていると判別された紙幣のうち、第一の金種の紙幣は、搬送路１６、ゲート部材１８、搬送路１６、ゲート部材２３、搬送路１６、ゲート部材２４および分岐搬送路２０を介して、第一の紙幣一時貯留ボックス２７ａ内に送られて、一時的に貯留され、第二の金種の紙幣は、搬送路１６、ゲート部材１８、搬送路１６、ゲート部材２３、搬送路１６、ゲート部材２４、搬送路１６、ゲート部材２５および分岐搬送路２１を介して、第二の紙幣一時貯留ボックス２７ｂ内に送られて、一時的に貯留される。
【００４９】
一方、真正でかつ現に流通している紙幣で、１枚ずつ、その短辺が紙幣の搬送方向と平行になるように送られていると判別された紙幣のうち、第三の金種の紙幣は、搬送路１６、ゲート部材１８、搬送路１６、ゲート部材２３、搬送路１６、ゲート部材２４、搬送路１６、ゲート部材２５、搬送路１６、ゲート部材２６および分岐搬送路２２を介して、第三の紙幣一時貯留ボックス２７ｃ内に送られて、一時的に貯留され、第四の金種の紙幣は、搬送路１６、ゲート部材１８、搬送路１６、ゲート部材２３、搬送路１６、ゲート部材２４、搬送路１６、ゲート部材２５、搬送路１６、ゲート部材２６および搬送路１６を介して、第四の紙幣一時貯留ボックス２７ｄ内に送られて、一時的に貯留される。
【００５０】
図１に示されるように、紙幣一時貯留ユニット２７の下方には、紙幣処理機に入金された紙幣を収納する本発明の好ましい実施態様にかかる紙幣収納ボックスを備えた紙幣収納ユニット３０が設けられている。
【００５１】
紙幣収納ユニット３０は、通常は、ロック部材（図示せず）によって、ロックされて、紙幣処理機に固定され、ロック部材によるロックが解除されたときは、スライドさせて、紙幣処理機から取り出し可能に構成されている。
【００５２】
図１に示されるように、本実施態様においては、紙幣収納ユニット３０は、汚損紙幣一時貯留ボックス２８に一時的に貯留された汚損紙幣を収納する汚損紙幣収納ボックス３１と、第一の紙幣一時貯留ボックス２７ａ内に一時的に貯留された第一の金種の紙幣を収納する第一の紙幣収納ボックス３０ａと、第二の紙幣一時貯留ボックス２７ｂ内に一時的に貯留された第二の金種の紙幣を収納する第二の紙幣収納ボックス３０ｂと、第三の紙幣一時貯留ボックス２７ｃ内に一時的に貯留された第三の金種の紙幣を収納する第三の紙幣収納ボックス３０ｃと、第四の紙幣一時貯留ボックス２７ｄ内に一時的に貯留された第四の金種の紙幣を収納する第四の紙幣収納ボックス３０ｄとを備えている。
【００５３】
本実施態様において、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄは、同じ構造を有し、それぞれ、紙幣収納ユニット３０に、取り外し可能に取り付けられている。
【００５４】
図２は、本発明の好ましい実施態様にかかる紙幣収納ボックスである第一の紙幣収納ボックス３０ａの略斜視図である。
【００５５】
第一の紙幣収納ボックス３０ａは、電源（図示せず）を備え、さらに、図２に示されるように、第一の紙幣収納ボックス３０ａは、ケーシング２００と、ケーシング１００の上側部に形成された軸２０１まわりに揺動可能なハンドル２０２と、ケーシング２００の主要な側面の１つに形成された扉２０３と、扉２０３をロックするためのキー（図示せず）が挿入されるキーホール２０４とを備えている。
【００５６】
図２に示されるように、ケーシング２００の内部には、第一の紙幣収納ボックス３０ａ内に収納されている紙幣に形成されたインレット中のＩＣチップに記録された紙幣のＩＤデータ、紙幣の金種データなどのＲＦＩＤデータを読み取るＲＦＩＤリーダー３２ａが設けられている。
【００５７】
このように、第一の紙幣収納ボックス３０ａ内には、ＲＦＩＤリーダー３２ａが設けられているため、ＲＦＩＤリーダー３２ａが第一の紙幣収納ボックス３０ａ外に存在する紙幣のＲＦＩＤデータを読み取ることがないように、第一の紙幣収納ボックス３０ａのケーシング２００は、ＲＦＩＤリーダー３２ａから発信される周波数の電波を遮蔽する性質を有する材料によって形成されている。
【００５８】
図２に示されるように、ケーシング２００の背面の上端部近傍には、ハンドル２０２を収納するためのハンドル収納部２０６が形成されている。
【００５９】
図２に示されるように、第一の紙幣収納ボックス３０ａの頂面には、シャッタ２１０が設けられている。第一の紙幣収納ボックス３０ａが紙幣処理機から取り外されているときは、シャッタ２１０は、スプリングなどの付勢手段（図示せず）によって、閉じられている。
【００６０】
図２には図示されていないが、本実施態様にかかる第一の紙幣収納ボックス３０ａは、第一の紙幣収納ボックス３０ａ全体の動作を制御するコントローラ（図示せず）と、制御プログラムを格納するＲＯＭ（図示せず）と、各種データを記憶するＲＡＭ（図示せず）と、スプリングなどの付勢手段の付勢力に抗して、シャッタ２１０を開くシャッタソレノイド（図示せず）を備えている。
【００６１】
図２に示されるように、本実施態様にかかる第一の紙幣収納ボックス３０ａは、さらに、ケーシング２００の上部に、電源（図示せず）をオン・オフする電源スイッチ２１１と、データやメッセージを表示するディスプレイ２１２と、ディスプレイ２１２に表示されるデータの形式を切り換えるディスプレイスイッチ２１３を備えている。
【００６２】
図２に示されるように、ケーシング２００の下部には、第一の紙幣収納ボックス３０ａが紙幣処理機に取り付けられたときに、紙幣処理機の接続ターミナル（図示せず）と接続可能に構成された接続ターミナル２１５が設けられている。
【００６３】
このように構成された第一の紙幣収納ボックス３０ａは、紙幣処理機に取り付けられて、接続ターミナル２１５が紙幣処理機の接続ターミナルに接続されたときは、紙幣処理機のＣＰＵ（図示せず）によって制御されるように構成され、ＲＦＩＤリーダー３２ａにより、その内部に収納された紙幣に形成されたインレット中のＩＣチップに記録された紙幣のＩＤデータ、紙幣の金種データなどを読み取って、その内部に収納された紙幣の金種別枚数を計数可能に構成されている。
【００６４】
また、第一の紙幣収納ボックス３０ａが、紙幣処理機に取り付けられて、接続ターミナル２１５が紙幣処理機の接続ターミナルに接続されると、シャッタソレノイドが、紙幣処理機のＣＰＵ（図示せず）によって、コントローラを介して、駆動され、シャッタ２１０が、スプリングなどの付勢手段の付勢力に抗して、開かれるように構成されている。
【００６５】
一方、紙幣処理機から取り外されたときは、電源スイッチ２１１を操作することによって、第一の紙幣収納ボックス３０ａのコントローラが起動され、コントローラによって、ＲＦＩＤリーダー３２ａが起動されて、ＲＦＩＤリーダー３２ａから、所定の周波数の電波が発信される。上述のように、第一の紙幣収納ボックス３０ａのケーシング２００は、ＲＦＩＤリーダー３２ａから発信される周波数の電波を遮蔽する性質を有する材料によって形成されているため、ＲＦＩＤリーダー３２ａから発信された電波は、第一の紙幣収納ボックス３０ａ内に収納されている紙幣に形成されたインレットのアンテナのみによって受信され、ＲＦＩＤリーダー３２ａによって、第一の紙幣収納ボックス３０ａ内に収納されている紙幣に形成されたインレット中のＩＣチップに記録された紙幣のＩＤデータ、紙幣の金種データなどのＲＦＩＤデータのみが読み取られる。ＲＦＩＤリーダー３２ａが読み取った紙幣のＲＦＩＤデータはコントローラに出力され、コントローラは、入力された紙幣のＲＦＩＤデータに基づいて、第一の紙幣収納ボックス３０ａの内部に収納されている紙幣の金種別枚数を算出し、ディスプレイ２１２に表示する。このように、本実施態様にかかる第一の紙幣収納ボックス３０ａは、紙幣処理機から取り外された状態においても、その内部に収納されている紙幣の金種別枚数を計数可能に構成されている。
【００６６】
図２には図示されてはいないが、上述のように、本実施態様においては、汚損紙幣収納ボックス３１ならびに第二の紙幣収納ボックス３０ｂ、第三の紙幣収納ボックス３０ｃおよび第四の紙幣収納ボックス３０ｄは、第一の紙幣収納ボックス３０ａと同じ構造を有し、それぞれ、ＲＦＩＤリーダー３１ａ、ＲＦＩＤリーダー３２ｂ、ＲＦＩＤリーダー３２ｃおよびＲＦＩＤリーダー３２ｄと、ＲＦＩＤリーダー３１ａ、ＲＦＩＤリーダー３２ｂ、ＲＦＩＤリーダー３２ｃおよびＲＦＩＤリーダー３２ｄから発信される周波数の電波を遮蔽する性質を有する材料によって形成されたケーシング２００を備えている。
【００６７】
また、図１には図示されていないが、汚損紙幣一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄの底部は、シャッタによって構成され、シャッタを開放することによって、汚損紙幣一時貯留ボックス２８内に一時的に貯留された汚損紙幣、第一の紙幣一時貯留ボックス２７ａ内に一時的に貯留された第一の金種の紙幣、第二の紙幣一時貯留ボックス２７ｂ内に一時的に貯留された第二の金種の紙幣、第三の紙幣一時貯留ボックス２７ｃ内に一時的に貯留された第三の金種の紙幣および第四の紙幣一時貯留ボックス２７ｄ内に一時的に貯留された第四の金種の紙幣が、それぞれ、汚損紙幣収納ボックス３１、第一の紙幣収納ボックス３０ａ、第二の紙幣収納ボックス３０ｂ、第三の紙幣収納ボックス３０ｃおよび第四の紙幣収納ボックス３０ｄのシャッタ２１０を介して、汚損紙幣収納ボックス３１、第一の紙幣収納ボックス３０ａ、第二の紙幣収納ボックス３０ｂ、第三の紙幣収納ボックス３０ｃおよび第四の紙幣収納ボックス３０ｄ内に送られて、収納されるように構成されている。
【００６８】
図１に示されるように、第一の紙幣収納ボックス３０ａの下部には、第一の紙幣収納ボックス３０ａ内に収納された紙幣を、出金すべき紙幣として、１枚ずつ、出金紙幣搬送路３５内に繰り出す第一の紙幣繰り出し部３３ａが設けられ、第二の紙幣収納ボックス３０ｂの下部には、第二の紙幣収納ボックス３０ｂ内に収納された紙幣を、出金すべき紙幣として、１枚ずつ、出金紙幣搬送路３５内に繰り出す第二の紙幣繰り出し部３３ｂが設けられている。さらに、第三の紙幣収納ボックス３０ｃの下部には、第三の紙幣収納ボックス３０ｃ内に収納された紙幣を、出金すべき紙幣として、１枚ずつ、出金紙幣搬送路３５内に繰り出す第三の紙幣繰り出し部３３ｃが設けられ、第四の紙幣収納ボックス３０ｄの下部には、第四の紙幣収納ボックス３０ｄ内に収納された紙幣を、出金すべき紙幣として、１枚ずつ、出金紙幣搬送路３５内に繰り出す第四の紙幣繰り出し部３３ｄが設けられている。
【００６９】
ここに、本実施態様においては、汚損紙幣収納ボックス３１内に収納された汚損紙幣は回収され、出金には利用されないため、汚損紙幣収納ボックス３１内に収納された汚損紙幣を、出金紙幣搬送路３５内に繰り出すための紙幣繰り出し部は設けられていない。
【００７０】
図１に示されるように、出金紙幣搬送路３５には、第一の紙幣収納ボックス３０ａ、第二の紙幣収納ボックス３０ｂ、第三の紙幣収納ボックス３０ｃあるいは第四の紙幣収納ボックス３０ｄから繰り出された出金すべき紙幣を判別するとともに、出金すべき紙幣を金種別に計数する出金紙幣判別部４０が設けられている。
【００７１】
出金紙幣判別部４０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、出金すべき紙幣が、真正でかつ現に流通している紙幣か否か、真正でかつ現に流通している紙幣である場合は、その金種、紙幣が１枚ずつ送られているか否かならびに紙幣の短辺が紙幣の搬送方向と平行になるように送られているか否かを判別するための光学データおよび磁気データを生成するセンサユニット（図示せず）と、出金すべき紙幣に形成されたインレット中のＩＣチップに記録された紙幣のＩＤデータ、紙幣の金種データなどのＲＦＩＤデータを読み取るＲＦＩＤリーダー（図示せず）とを備えている。
【００７２】
このように、出金紙幣判別部４０は、ＲＦＩＤリーダーを備えているため、ＲＦＩＤリーダーが出金紙幣判別部４０外に存在する紙幣のＲＦＩＤデータを読み取ることがないように、ＲＦＩＤリーダーから発信される周波数の電波を遮蔽する性質を有する材料によって形成されたケーシング４０ｃによって覆われている。
【００７３】
図１に示されるように、出金紙幣判別部４０の下流側において、出金紙幣搬送路３５から、分岐搬送路４１が分岐し、分岐搬送路４１は、紙幣回収ボックス４３に接続されている。分岐搬送路４１の分岐部には、出金すべき紙幣を出金紙幣搬送路３５および分岐搬送路４１のいずれかに選択的に導くゲート部材４２が設けられている。
【００７４】
本実施態様においては、出金紙幣判別部４０によって、偽造紙幣あるいは外国紙幣と判別された紙幣、２枚以上の紙幣の全部あるいは一部が重なり合って、送られていると判別された紙幣ならびに紙幣の短辺が紙幣の搬送方向と角度をなして送られていると判別された紙幣は、出金紙幣搬送路３５、ゲート部材４２および分岐搬送路４１を介して、紙幣回収ボックス４３内に送られて、回収されるように構成されている。
【００７５】
紙幣回収ボックス４３内には、紙幣回収ボックス４３内に回収されている紙幣に形成されたインレット中のＩＣチップに記録された紙幣のＩＤデータ、紙幣の金種データなどのＲＦＩＤデータを読み取るＲＦＩＤリーダー（図示せず）が設けられている。
【００７６】
また、紙幣回収ボックス４３は、紙幣回収ボックス４３内に設けられたＲＦＩＤリーダーが紙幣回収ボックス４３外に存在する紙幣のＲＦＩＤデータを読み取ることがないように、ＲＦＩＤリーダーから発信される周波数の電波を遮蔽する性質を有する材料によって形成されたケーシング４３ｂによって覆われている。
【００７７】
真正でかつ現に流通している紙幣が、１枚ずつ、その短辺が紙幣の搬送方向と平行になるように送られている場合には、その紙幣は、出金紙幣判別部４０から、出金紙幣搬送路３５、ゲート部材４２、出金紙幣搬送路３５、ゲート部材４６および出金紙幣搬送路３５を介して、紙幣出金口１２に送られて、出金される。
【００７８】
図３は、図１に示された紙幣処理機の制御系、検出系、駆動系、入力系および表示系を示すブロックダイアグラムである。
【００７９】
図３に示されるように、本実施態様にかかる紙幣処理機の制御系は、紙幣処理機の動作を制御するＣＰＵ５０と、紙幣入出金機の制御プログラムなどが格納されたＲＯＭ５１と、各種データを記憶するＲＡＭ５２を備えている。
【００８０】
図３に示されるように、本実施態様にかかる紙幣処理機の検出系は、紙幣判別部１５および出金紙幣判別部４０を備えている。紙幣判別部１５は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するための光学データおよび磁気データを生成するセンサユニット１５ａと、紙幣に形成されたインレット中のＩＣチップに記録された紙幣のＩＤデータ、紙幣の金種データなどのＲＦＩＤデータを読み取るＲＦＩＤリーダー１５ｂとを備えている。また、出金紙幣判別部４０も、紙幣に向けて、光を発する光源と、光源から発せられ、紙幣によって反射された光を検出する反射光センサと、光源から発せられ、紙幣を透過した光を検出するセンサとを含む光学センサ手段と、紙幣の磁気的性質を検出する磁気センサを備え、周知の方法によって、出金すべき紙幣が、真正でかつ現に流通している紙幣か否か、真正でかつ現に流通している紙幣である場合は、その金種、紙幣が１枚ずつ送られているか否かならびに紙幣の短辺が紙幣の搬送方向と平行になるように送られているか否かを判別するための光学データおよび磁気データを生成するセンサユニット４０ａと、出金すべき紙幣に形成されたインレット中のＩＣチップに記録された紙幣のＩＤデータ、紙幣の金種データなどのＲＦＩＤデータを読み取るＲＦＩＤリーダー４０ｂとを備えている。
【００８１】
図３に示されるように、本実施態様にかかる紙幣処理機の検出系は、さらに、紙幣回収ボックス４３内に設けられ、紙幣回収ボックス４３内に回収された紙幣に形成されたインレット中のＩＣチップに記録された紙幣のＩＤデータ、紙幣の金種データなどのＲＦＩＤデータを読み取るＲＦＩＤリーダー４３ａとを備えている。
【００８２】
図３に示されるように、本実施態様にかかる紙幣処理機の駆動系は、搬送路１４、搬送路１６、分岐搬送路１７、分岐搬送路１９、分岐搬送路２０、分岐搬送路２１、分岐搬送路２２、出金紙幣搬送路３５ならびに分岐搬送路４１に設けられた搬送ローラ（図示せず）を駆動するローラ駆動手段５５と、ゲート部材１８を駆動するソレノイド５６と、ゲート部材２３を駆動するソレノイド５７と、ゲート部材２４を選択的に駆動するソレノイド５８と、ゲート部材２５を駆動するソレノイド５９と、ゲート部材２６を駆動するソレノイド６０と、ゲート部材４２を駆動するソレノイド６１と、汚損紙幣一時貯留ボックス２８の底部を構成するシャッタを駆動するソレノイド６５と、第一の紙幣一時貯留ボックス２７ａの底部を構成するシャッタを駆動するソレノイド６６と、第二の紙幣一時貯留ボックス２７ｂの底部を構成するシャッタを駆動するソレノイド６７と、第三の紙幣一時貯留ボックス２７ｃの底部を構成するシャッタを駆動するソレノイド６８と、第四の紙幣一時貯留ボックス２７ｄの底部を構成するシャッタを駆動するソレノイド６９と、第一の紙幣収納ボックス３０ａの下部に設けられ、第一の紙幣収納ボックス３０ａ内に収納された紙幣を、出金すべき紙幣として、１枚ずつ、出金紙幣搬送路３５内に繰り出す第一の紙幣繰り出し部３３ａと、第二の紙幣収納ボックス３０ｂの下部に設けられ、第二の紙幣収納ボックス３０ｂ内に収納された紙幣を、出金すべき紙幣として、１枚ずつ、出金紙幣搬送路３５内に繰り出す第二の紙幣繰り出し部３３ｂと、第三の紙幣収納ボックス３０ｃの下部に設けられ、第三の紙幣収納ボックス３０ｃ内に収納された紙幣を、出金すべき紙幣として、１枚ずつ、出金紙幣搬送路３５内に繰り出す第三の紙幣繰り出し部３３ｃと、第四の紙幣収納ボックス３０ｄの下部に設けられ、第四の紙幣収納ボックス３０ｄ内に収納された紙幣を、出金すべき紙幣として、１枚ずつ、出金紙幣搬送路３５内に繰り出す第四の紙幣繰り出し部３３ｄとを備えている。
【００８３】
図３に示されるように、本実施態様にかかる紙幣処理機の入力系は、オペレータによって操作され、種々の指示信号が入力されるキーボード７５を備えており、紙幣入出金機の表示系は、紙幣の計数結果などを表示するディスプレイ７７を備えている。
【００８４】
図３に示されるように、紙幣処理機は、さらに、複数の接続ターミナル２２０を備え、紙幣処理機の複数の接続ターミナル２２０に、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄの接続ターミナル２１５が接続されており、ＣＰＵ５０には、接続ターミナル２２０および接続ターミナル２１５を介して、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄの制御系が接続されている。図３においては、簡易化のため、１つの紙幣収納ボックスの接続ターミナル２１５に接続された１つの接続ターミナル２２０のみが図示されている。
【００８５】
図４は、第一の紙幣収納ボックス３０ａの制御系、検出系、駆動系、入力系および表示系のブロックダイアグラムである。
【００８６】
図４に示されるように、第一の紙幣収納ボックス３０ａの制御系は、第一の紙幣収納ボックス３０ａの動作を制御するコントローラ２５０ａと、第一の紙幣収納ボックス３０ａの制御プログラムなどが格納されたＲＯＭ２５１ａと、各種データを記憶するＲＡＭ２５２ａを備えており、第一の紙幣収納ボックス３０ａの検出系は、第一の紙幣収納ボックス３０ａ内に収納された紙幣に形成されたインレット中のＩＣチップに記録された紙幣のＩＤデータ、紙幣の金種データなどのＲＦＩＤデータを読み取るＲＦＩＤリーダー３２ａを備えている。
【００８７】
また、図４に示されるように、第一の紙幣収納ボックス３０ａの駆動系は、シャッター２１０を開くシャッタソレノイド２５５ａを備えている。
【００８８】
さらに、図４に示されるように、第一の紙幣収納ボックス３０ａの入力系は、電源スイッチ２１１と、ディスプレイスイッチ２１３を備え、第一の紙幣収納ボックス３０ａの表示系は、ディスプレイ２１２を備えている。
【００８９】
図５は、第二の紙幣収納ボックス３０ｂの制御系、検出系、駆動系、入力系および表示系のブロックダイアグラムである。
【００９０】
図５に示されるように、第二の紙幣収納ボックス３０ｂの制御系は、第二の紙幣収納ボックス３０ｂの動作を制御するコントローラ２５０ｂと、第二の紙幣収納ボックス３０ｂの制御プログラムなどが格納されたＲＯＭ２５１ｂと、各種データを記憶するＲＡＭ２５２ｂを備えており、第二の紙幣収納ボックス３０ｂの検出系は、第二の紙幣収納ボックス３０ｂ内に収納された紙幣に形成されたインレット中のＩＣチップに記録された紙幣のＩＤデータ、紙幣の金種データなどのＲＦＩＤデータを読み取るＲＦＩＤリーダー３２ｂを備えている。
【００９１】
また、図５に示されるように、第二の紙幣収納ボックス３０ｂの駆動系は、シャッター２１０を開くシャッタソレノイド２５５ｂを備えている。
【００９２】
さらに、図５に示されるように、第二の紙幣収納ボックス３０ｂの入力系は、電源スイッチ２１１と、ディスプレイスイッチ２１３を備え、第二の紙幣収納ボックス３０ｂの表示系は、ディスプレイ２１２を備えている。
【００９３】
図６は、第三の紙幣収納ボックス３０ｃの制御系、検出系、駆動系、入力系および表示系のブロックダイアグラムである。
【００９４】
図６に示されるように、第三の紙幣収納ボックス３０ｃの制御系は、第三の紙幣収納ボックス３０ｃの動作を制御するコントローラ２５０ｃと、第三の紙幣収納ボックス３０ｃの制御プログラムなどが格納されたＲＯＭ２５１ｃと、各種データを記憶するＲＡＭ２５２ｃを備えており、第三の紙幣収納ボックス３０ｃの検出系は、第三の紙幣収納ボックス３０ｃ内に収納された紙幣に形成されたインレット中のＩＣチップに記録された紙幣のＩＤデータ、紙幣の金種データなどのＲＦＩＤデータを読み取るＲＦＩＤリーダー３２ｃを備えている。
【００９５】
また、図６に示されるように、第三の紙幣収納ボックス３０ｃの駆動系は、シャッター２１０を開くシャッタソレノイド２５５ｃを備えている。
【００９６】
さらに、図６に示されるように、第三の紙幣収納ボックス３０ｃの入力系は、電源スイッチ２１１と、ディスプレイスイッチ２１３を備え、第三の紙幣収納ボックス３０ｃの表示系は、ディスプレイ２１２を備えている。
【００９７】
図７は、第四の紙幣収納ボックス３０ｄの制御系、検出系、駆動系、入力系および表示系のブロックダイアグラムである。
【００９８】
図７に示されるように、第四の紙幣収納ボックス３０ｄの制御系は、第四の紙幣収納ボックス３０ｄの動作を制御するコントローラ２５０ｄと、第四の紙幣収納ボックス３０ｄの制御プログラムなどが格納されたＲＯＭ２５１ｄと、各種データを記憶するＲＡＭ２５２ｄを備えており、第四の紙幣収納ボックス３０ｄの検出系は、第四の紙幣収納ボックス３０ｄ内に収納された紙幣に形成されたインレット中のＩＣチップに記録された紙幣のＩＤデータ、紙幣の金種データなどのＲＦＩＤデータを読み取るＲＦＩＤリーダー３２ｄを備えている。
【００９９】
また、図７に示されるように、第四の紙幣収納ボックス３０ｄの駆動系は、シャッター２１０を開くシャッタソレノイド２５５ｄを備えている。
【０１００】
さらに、図７に示されるように、第四の紙幣収納ボックス３０ｄの入力系は、電源スイッチ２１１と、ディスプレイスイッチ２１３を備え、第四の紙幣収納ボックス３０ｄの表示系は、ディスプレイ２１２を備えている。
【０１０１】
図８は、汚損紙幣収納ボックス３１の制御系、検出系、駆動系、入力系および表示系のブロックダイアグラムである。
【０１０２】
図８に示されるように、汚損紙幣収納ボックス３１の制御系は、汚損紙幣収納ボックス３１の動作を制御するコントローラ２４０と、汚損紙幣収納ボックス３１の制御プログラムなどが格納されたＲＯＭ２４１と、各種データを記憶するＲＡＭ２４２を備えており、汚損紙幣収納ボックス３１の検出系は、汚損紙幣収納ボックス３１内に収納された汚損紙幣に形成されたインレット中のＩＣチップに記録された紙幣のＩＤデータ、紙幣の金種データなどのＲＦＩＤデータを読み取るＲＦＩＤリーダー３１ａを備えている。
【０１０３】
また、図８に示されるように、汚損紙幣収納ボックス３１の駆動系は、シャッター２１０を開くシャッタソレノイド２４５を備えている。
【０１０４】
さらに、図８に示されるように、汚損紙幣収納ボックス３１の入力系は、電源スイッチ２１１と、ディスプレイスイッチ２１３を備え、汚損紙幣収納ボックス３１の表示系は、ディスプレイ２１２を備えている。
【０１０５】
以上のように構成された本実施態様にかかる紙幣処理機は、以下のようにして、紙幣入金口１１に投入された紙幣を入金し、第一の紙幣収納ボックス３０ａ、第二の紙幣収納ボックス３０ｂ、第三の紙幣収納ボックス３０ｃあるいは第四の紙幣収納ボックス３０ｄに収納された紙幣を、紙幣出金口１２に出金する。
【０１０６】
まず、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄが取り付けられた紙幣収納ユニット３０が、紙幣処理機に取り付けられると、紙幣処理機の接続ターミナル２２０に、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄの接続ターミナル２１５が接続される。
【０１０７】
紙幣処理機の接続ターミナル２２０に、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄの接続ターミナル２１５が接続されると、紙幣処理機のＣＰＵ５０から、汚損紙幣収納ボックス３１のコントローラ２４０ならびに第一の紙幣収納ボックス３０ａのコントローラ２５０ａ、第二の紙幣収納ボックス３０ｂのコントローラ２５０ｂ、第三の紙幣収納ボックス３０ｃのコントローラ２５０ｃおよび第四の紙幣収納ボックス３０ｄのコントローラ２５０ｄに、収納紙幣確認処理信号が出力され、汚損紙幣収納ボックス３１、第一の紙幣収納ボックス３０ａ、第二の紙幣収納ボックス３０ｂ、第三の紙幣収納ボックス３０ｃおよび第四の紙幣収納ボックス３０ｄ内に収納されている紙幣の金種別の枚数を確認する収納紙幣確認処理が実行される。
【０１０８】
汚損紙幣収納ボックス３１のコントローラ２４０は、紙幣処理機のＣＰＵ５０から、収納紙幣確認処理信号を受けると、汚損紙幣収納ボックス３１内に設けられたＲＦＩＤリーダー３１ａに駆動信号を出力して、ＲＦＩＤリーダー３１ａを起動させ、所定の周波数の電波を発信させる。
【０１０９】
同様にして、第一の紙幣収納ボックス３０ａのコントローラ２５０ａ、第二の紙幣収納ボックス３０ｂのコントローラ２５０ｂ、第三の紙幣収納ボックス３０ｃのコントローラ２５０ｃおよび第四の紙幣収納ボックス３０ｄのコントローラ２５０ｄは、紙幣処理機のＣＰＵ５０から、収納紙幣確認処理信号を受けると、それぞれ、対応するＲＦＩＤリーダー３２ａ、３２ｂ、３２ｃおよび３２ｄに駆動信号を出力して、ＲＦＩＤリーダー３２ａ、３２ｂ、３２ｃおよび３２ｄを起動させ、所定の周波数の電波を発信させる。
【０１１０】
ここに、ＲＦＩＤリーダーは、所定の周波数の電波を発信して、インレットのアンテナに受信させて、ＩＣチップに書き込まれたＲＦＩＤデータを読み取るように構成されているので、紙幣がＲＦＩＤリーダーから発信された電波が到達する空間内に存在していれば、紙幣が互いに集積されている場合でも、紙幣に形成されたインレット中のＩＣチップに記録された紙幣のＩＤデータ、紙幣の金種データなどのＲＦＩＤデータを正確に読み取ることができる。
【０１１１】
上述のように、汚損紙幣収納ボックス３１は、ＲＦＩＤリーダー３１ａから発信される周波数の電波を遮蔽する性質を有する材料によって形成されているため、ＲＦＩＤリーダー３１ａから発信された電波は、汚損紙幣収納ボックス３１内に収納されている汚損紙幣に形成されたインレットのアンテナのみによって受信され、汚損紙幣収納ボックス３１内に収納されている汚損紙幣に形成されたインレット中のＩＣチップに記録された紙幣のＩＤデータ、紙幣の金種データなどのＲＦＩＤデータのみが読み取られて、ＣＰＵ５０に出力され、ＲＦＩＤリーダー３１ａから入力された汚損紙幣のＲＦＩＤデータに基づき、ＣＰＵ５０によって、汚損紙幣収納ボックス３１内に収納されている汚損紙幣の金種別の枚数が算出される。
【０１１２】
汚損紙幣収納ボックス３１内に収納されている汚損紙幣の金種別の枚数の算出結果は、紙幣処理機のＲＡＭ５２の汚損紙幣収納ボックス３１内に収納されている紙幣の金種別の枚数データを格納するメモリ領域および汚損紙幣収納ボックス３１のＲＡＭ２４２に書き込まる。
【０１１３】
同様に、第一の紙幣収納ボックス３０ａは、ＲＦＩＤリーダー３２ａから発信される周波数の電波を遮蔽する性質を有する材料によって形成されているため、ＲＦＩＤリーダー３２ａから発信された電波は、第一の紙幣収納ボックス３０ａ内に収納されている紙幣に形成されたインレットのアンテナのみによって受信され、ＲＦＩＤリーダー３２ａによって、第一の紙幣収納ボックス３０ａ内に収納されている紙幣に形成されたインレット中のＩＣチップに記録された紙幣のＩＤデータ、紙幣の金種データなどのＲＦＩＤデータのみが読み取られ、また、第二の紙幣収納ボックス３０ｂは、ＲＦＩＤリーダー３２ｂから発信される周波数の電波を遮蔽する性質を有する材料によって形成されているため、ＲＦＩＤリーダー３２ｂから発信された電波は、第二の紙幣収納ボックス３０ｂ内に収納されている紙幣に形成されたインレットのアンテナのみによって受信され、ＲＦＩＤリーダー３２ｂによって、第二の紙幣収納ボックス３０ｂ内に収納されている紙幣に形成されたインレット中のＩＣチップに記録された紙幣のＩＤデータ、紙幣の金種データなどのＲＦＩＤデータのみが読み取られて、それぞれ、ＣＰＵ５０に出力され、ＲＦＩＤリーダー３２ａから入力された紙幣のＲＦＩＤデータおよびＲＦＩＤリーダー３２ｂから入力された紙幣のＲＦＩＤデータに基づき、ＣＰＵ５０によって、第一の紙幣収納ボックス３０ａ内に収納されている紙幣の金種別の枚数および第二の紙幣収納ボックス３０ｂ内に収納されている紙幣の金種別の枚数が算出される。
【０１１４】
第一の紙幣収納ボックス３０ａ内に収納されている紙幣の金種別の枚数の算出結果は、紙幣処理機のＲＡＭ５２の第一の紙幣収納ボックス３０ａ内に収納されている紙幣の金種別の枚数データを格納するメモリ領域および第一の紙幣収納ボックス３０ａのＲＡＭ２５２ａに書き込まれ、第二の紙幣収納ボックス３０ｂ内に収納されている紙幣の金種別の枚数の算出結果は、紙幣処理機のＲＡＭ５２の第二の紙幣収納ボックス３０ｂ内に収納されている紙幣の金種別の枚数データを格納するメモリ領域および第二の紙幣収納ボックス３０ｂのＲＡＭ２５２ｂに書き込まれる。
【０１１５】
さらに、第三の紙幣収納ボックス３０ｃは、ＲＦＩＤリーダー３２ｃから発信される周波数の電波を遮蔽する性質を有する材料によって形成されているため、ＲＦＩＤリーダー３２ｃから発信された電波は、第三の紙幣収納ボックス３０ｃ内に収納されている紙幣に形成されたインレットのアンテナのみによって受信され、ＲＦＩＤリーダー３２ｃによって、第三の紙幣収納ボックス３０ｃ内に収納されている紙幣に形成されたインレット中のＩＣチップに記録された紙幣のＩＤデータ、紙幣の金種データなどのＲＦＩＤデータのみが読み取られ、また、第四の紙幣収納ボックス３０ｄは、ＲＦＩＤリーダー３２ｄから発信される周波数の電波を遮蔽する性質を有する材料によって形成されているため、ＲＦＩＤリーダー３２ｄ発信された電波は、第四の紙幣収納ボックス３０ｄ内に収納されている紙幣に形成されたインレットのアンテナのみによって受信され、ＲＦＩＤリーダー３２ｄによって、第四の紙幣収納ボックス３０ｄ内に収納されている紙幣に形成されたインレット中のＩＣチップに記録された紙幣のＩＤデータ、紙幣の金種データなどのＲＦＩＤデータのみが読み取られて、それぞれ、ＣＰＵ５０に出力され、ＲＦＩＤリーダー３２ｃから入力された紙幣のＲＦＩＤデータおよびＲＦＩＤリーダー３２ｄから入力された紙幣のＲＦＩＤデータに基づき、ＣＰＵ５０によって、第三の紙幣収納ボックス３０ｃ内に収納されている紙幣の金種別の枚数および第四の紙幣収納ボックス３０ｄ内に収納されている紙幣の金種別の枚数が算出される。
【０１１６】
第三の紙幣収納ボックス３０ｃ内に収納されている紙幣の金種別の枚数の算出結果は、紙幣処理機のＲＡＭ５２の第三の紙幣収納ボックス３０ｃ内に収納されている紙幣の金種別の枚数データを格納するメモリ領域および第三の紙幣収納ボックス３０ｃのＲＡＭ２５２ａに書き込まれ、第四の紙幣収納ボックス３０ｄ内に収納されている紙幣の金種別の枚数の算出結果は、紙幣処理機のＲＡＭ５２の第四の紙幣収納ボックス３０ｄ内に収納されている紙幣の金種別の枚数データを格納するメモリ領域および第四の紙幣収納ボックス３０ｄのＲＡＭ２５２ｂに書き込まれる。
【０１１７】
紙幣処理機のＣＰＵ５０は、汚損紙幣収納ボックス３１のコントローラ２４０ならびに第一の紙幣収納ボックス３０ａのコントローラ２５０ａ、第二の紙幣収納ボックス３０ｂのコントローラ２５０ｂ、第三の紙幣収納ボックス３０ｃのコントローラ２５０ｃおよび第四の紙幣収納ボックス３０ｄのコントローラ２５０ｄに、収納紙幣確認処理信号を出力するのと同時に、汚損紙幣収納ボックス３１のコントローラ２４０ならびに第一の紙幣収納ボックス３０ａのコントローラ２５０ａ、第二の紙幣収納ボックス３０ｂのコントローラ２５０ｂ、第三の紙幣収納ボックス３０ｃのコントローラ２５０ｃおよび第四の紙幣収納ボックス３０ｄのコントローラ２５０ｄに、シャッタ開放信号を出力する。
【０１１８】
汚損紙幣収納ボックス３１のコントローラ２４０ならびに第一の紙幣収納ボックス３０ａのコントローラ２５０ａ、第二の紙幣収納ボックス３０ｂのコントローラ２５０ｂ、第三の紙幣収納ボックス３０ｃのコントローラ２５０ｃおよび第四の紙幣収納ボックス３０ｄのコントローラ２５０ｄは、紙幣処理機のＣＰＵ５０から、シャッタ開放信号を受けると、それぞれ、シャッタソレノイド２４５、シャッタソレノイド２５５ａ、シャッタソレノイド２５５ｂ、シャッタソレノイド２５５ｃおよびシャッタソレノイド２５５ｄに駆動信号を出力して、シャッタ２１０を開放する。
【０１１９】
次いで、オペレータによって、入金信号がキーボード７５に入力され、紙幣が紙幣入金口１１に投入されると、ＣＰＵ５０は、ローラ駆動手段５５に駆動信号を出力する。
【０１２０】
その結果、紙幣は、１枚づつ、紙幣入金口１１から搬送路１４内に繰り出され、紙幣判別部１５に送られる。
【０１２１】
紙幣判別部１５においては、センサユニット１５ａによって、紙幣の光学データおよび磁気データが読み取られるとともに、ＲＦＩＤリーダー１５ｂによって、紙幣に形成されたインレット中のＩＣチップに記録された紙幣のＩＤデータ、紙幣の金種データなどのＲＦＩＤデータが読み取られ、読み取られた紙幣の光学データ、磁気データおよびＲＦＩＤデータはＣＰＵ５０に出力される。
【０１２２】
ＣＰＵ５０は、紙幣判別部１５のＲＦＩＤリーダー１５ｂから入力されたＲＦＩＤデータをＲＡＭ５２に書き込むとともに、ＲＡＭ５２に書き込まれたＲＦＩＤデータに基づいて、紙幣が、現に流通している真正な紙幣か否かおよび紙幣の金種を暫定的に判別する。
【０１２３】
ここに、紙幣のＩＤデータ、紙幣の金種データなどのＲＦＩＤデータは、紙幣の発行権限を有する機関によって、特定のフォーマットで、インレット中のＩＣチップに記録されているから、ＣＰＵ５０は、紙幣判別部１５のＲＦＩＤリーダー１５ｂから入力されたＲＦＩＤデータに基づいて、紙幣が、現に流通している真正な紙幣か否かを判別し、その金種を判別することができる。
【０１２４】
その結果、ＲＦＩＤデータに基づいて、紙幣判別部１５によって検出された紙幣が、現に流通している真正な紙幣ではないと判別したときは、ＣＰＵ５０は、判別結果をＲＡＭ５２に書き込み、これに対して、ＲＦＩＤデータに基づいて、紙幣が、現に流通している真正な紙幣と判別したときは、ＣＰＵ５０は、ＲＦＩＤデータに基づいて、紙幣の金種を暫定的に決定し、さらに、暫定的に決定した紙幣の金種に対応する金種の紙幣の基準光学データおよび基準磁気データをＲＯＭ５１から読み出す。
【０１２５】
次いで、ＣＰＵ５０は、紙幣判別部１５のセンサユニット１５ａから入力された紙幣の光学データおよび磁気データを、ＲＯＭ５１から読み出した紙幣の基準光学データおよび基準磁気データと比較し、紙幣の金種および汚損レベル、紙幣が１枚ずつ送られているか否かならびに紙幣の短辺が紙幣の搬送方向と平行になるように送られているか否かを判別する。
【０１２６】
すなわち、光学センサ手段の反射光センサが検出した紙幣の表面パターンデータと、暫定的に決定した金種の紙幣の基準表面パターンデータとを比較した結果、両者の差が第一のしきい値以下と判定したときは、ＣＰＵ５０は、紙幣判別部１５によって検出された紙幣は、ＲＦＩＤデータに基づいて暫定的に決定した金種の紙幣であると最終的に判別する。
【０１２７】
これに対して、光学センサ手段の反射光センサが検出した紙幣の表面パターンデータと、暫定的に決定した金種の紙幣の基準表面パターンデータとを比較した結果、両者の差が第一のしきい値よりも大きい第二のしきい値を超えていると判定したときは、ＣＰＵ５０は、その紙幣は、現に流通している真正な紙幣であるが、紙幣の短辺が紙幣の搬送方向と平行になるように送られていないと判別する。
【０１２８】
一方、光学センサ手段の反射光センサが検出した紙幣の表面パターンデータと、暫定的に決定した金種の紙幣の基準表面パターンデータとを比較した結果、両者の差が第一のしきい値以上を超えているが、第二のしきい値以下であると判定したときは、ＣＰＵ５０は、紙幣判別部１５によって検出された紙幣は、ＲＦＩＤデータに基づいて暫定的に決定した金種の紙幣であるが、汚損レベルが所定レベルを超えた汚損紙幣であると判別する。
【０１２９】
これに対して、光学センサ手段の透過光センサが検出した紙幣の透過光データと、暫定的に決定した金種の紙幣の基準透過光データとを比較した結果、両者が実質的に一致しているときは、その紙幣は、１枚ずつ送られていると判別し、両者が実質的に一致していないときは、２枚以上の紙幣が、全部あるいはその一部が重なり合って、送られていると判別する。
【０１３０】
その結果、紙幣判別部１５によって検出された紙幣が、偽造紙幣もしくは外国紙幣と判別した場合、２枚以上の紙幣の全部あるいは一部が重なり合って、送られていると判別した場合あるいは紙幣の短辺が紙幣の搬送方向と角度をなして送られていると判別した場合には、ＣＰＵ５０は、判別結果をＲＡＭ５２に書き込むとともに、ゲート部材１８を駆動するソレノイド５６に駆動信号を出力して、その紙幣を、分岐搬送路１７を介して、紙幣返却口１３に送り、オペレータに返却する。
【０１３１】
本実施態様においては、紙幣判別部１５は、ＲＦＩＤリーダー１５ｂを備えており、ＲＦＩＤリーダー１５ｂによって、紙幣に形成されたインレット中のＩＣチップに記録された紙幣のＩＤデータ、紙幣の金種データなどのＲＦＩＤデータが読み取られるから、２枚以上の紙幣の全部あるいは一部が重なり合って、送られている場合や、紙幣の短辺が紙幣の搬送方向と角度をなして送られている場合においても、その紙幣の金種を正確に判別することができるが、２枚以上の紙幣の全部あるいは一部が重なり合って、送られている場合や、紙幣の短辺が紙幣の搬送方向と角度をなして送られている場合には、それらの紙幣は、搬送路１６の下流側においてジャミングを起こすおそれがあるため、紙幣返却口１３に送って、オペレータに返却するように構成されている。
【０１３２】
一方、紙幣判別部１５によって検出された紙幣が、現に流通している真正な紙幣で、かつ、１枚ずつ、その短辺が紙幣の搬送方向と平行になるように送られているが、汚損レベルが所定レベルを超えた汚損紙幣であると判別したときは、ＣＰＵ５０は、判別結果を、ＲＡＭ５２の汚損紙幣の枚数を管理するためのデータを格納するメモリ領域に書き込むとともに、その紙幣を金種別に計数して、計数結果を、汚損紙幣の計数データとして、ＲＡＭ５２の汚損紙幣の枚数を管理するためのデータを格納するメモリ領域に書き込み、ゲート部材１８を駆動するソレノイド５６に駆動信号を出力することなく、ゲート部材２３を駆動するソレノイド５７に駆動信号を出力する。
【０１３３】
したがって、汚損紙幣は、搬送路１６内を、分岐搬送路１７の分岐部の下流側に送られ、分岐搬送路１９の分岐部に達すると、ゲート部材２３によって、選択的に分岐搬送路１９に導かれ、汚損紙幣一時貯留ボックス２８内に送られて、一時的に貯留される。
【０１３４】
これに対して、その紙幣が、汚損レベルが所定レベル以下の現に流通している真正な紙幣であり、かつ、第一の金種の紙幣であると判別したときは、ＣＰＵ５０は、判別結果を、ＲＡＭ５２の第一の金種の紙幣の枚数を管理するためのデータを格納するメモリ領域に書き込むとともに、その紙幣を金種別に計数して、計数結果を、第一の金種の紙幣の計数データとして、ＲＡＭ５２の第一の金種の紙幣の枚数を管理するためのデータを格納するメモリ領域に書き込み、ゲート部材１８を駆動するソレノイド５６およびゲート部材２３を駆動するソレノイド５７に駆動信号を出力することなく、ゲート部材２４を駆動するソレノイド５８に駆動信号を出力する。
【０１３５】
したがって、第一の金種の紙幣は、分岐搬送路１７の分岐部および分岐搬送路１９の分岐部を通過して、搬送路１６内をさらに下流側に送られ、分岐搬送路２０の分岐部に達すると、ゲート部材２４によって、選択的に分岐搬送路２０に導かれ、第一の紙幣一時貯留ボックス２７ａ内に送られて、一時的に貯留される。
【０１３６】
一方、その紙幣が、汚損レベルが所定レベル以下の現に流通している真正な紙幣であり、かつ、第二の金種の紙幣であると判別したときは、ＣＰＵ５０は、判別結果を、第二の金種の紙幣の計数データとして、ＲＡＭ５２の第二の金種の紙幣の枚数を管理するためのデータを格納するメモリ領域に書き込むとともに、その紙幣を金種別に計数して、計数結果をＲＡＭ５２の第二の金種の紙幣の枚数を管理するためのデータを格納するメモリ領域に書き込み、ゲート部材１８を駆動するソレノイド５６、ゲート部材２３を駆動するソレノイド５７およびゲート部材２４を駆動するソレノイド５８に駆動信号を出力することなく、ゲート部材２５を駆動するソレノイド５９に駆動信号を出力する。
【０１３７】
したがって、第二の金種の紙幣は、分岐搬送路１７の分岐部、分岐搬送路１９の分岐部および分岐搬送路２０の分岐部を通過して、搬送路１６内をさらに下流側に送られ、分岐搬送路２１の分岐部に達すると、ゲート部材２５によって、選択的に分岐搬送路２１に導かれ、第二の紙幣一時貯留ボックス２７ｂ内に送られて、一時的に貯留される。
【０１３８】
これに対して、その紙幣が、汚損レベルが所定レベル以下の現に流通している真正な紙幣であり、かつ、第三の金種の紙幣であると判別したときは、ＣＰＵ５０は、判別結果を、第三の金種の紙幣の計数データとして、ＲＡＭ５２の第三の金種の紙幣の枚数を管理するためのデータを格納するメモリ領域に書き込むとともに、その紙幣を金種別に計数して、計数結果をＲＡＭ５２の第三の金種の紙幣の枚数を管理するためのデータを格納するメモリ領域に書き込み、ゲート部材１８を駆動するソレノイド５６、ゲート部材２３を駆動するソレノイド５７、ゲート部材２４を駆動するソレノイド５８およびゲート部材２５を駆動するソレノイド５９に駆動信号を出力することなく、ゲート部材２６を駆動するソレノイド６０に駆動信号を出力する。
【０１３９】
したがって、第三の金種の紙幣は、分岐搬送路１７の分岐部、分岐搬送路１９の分岐部、分岐搬送路２０の分岐部および分岐搬送路２１の分岐部を通過して、搬送路１６内をさらに下流側に送られ、分岐搬送路２２の分岐部に達すると、ゲート部材２６によって、選択的に分岐搬送路２２に導かれ、第三の紙幣一時貯留ボックス２７ｃ内に送られて、一時的に貯留される。
【０１４０】
一方、その紙幣が、汚損レベルが所定レベル以下の現に流通している真正な紙幣であり、かつ、第四の金種の紙幣であると判別したときは、ＣＰＵ５０は、判別結果を、第四の金種の紙幣の計数データとして、ＲＡＭ５２の第四の金種の紙幣の枚数を管理するためのデータを格納するメモリ領域に書き込むとともに、その紙幣を金種別に計数して、計数結果をＲＡＭ５２の第四の金種の紙幣の枚数を管理するためのデータを格納するメモリ領域に書き込み、ゲート部材１８を駆動するソレノイド５６、ゲート部材２３を駆動するソレノイド５７、ゲート部材２４を駆動するソレノイド５８、ゲート部材２５を駆動するソレノイド５９およびゲート部材２６を駆動するソレノイド６０のいずれにも駆動信号を出力しない。
【０１４１】
その結果、第四の金種の紙幣は、分岐搬送路１７の分岐部、分岐搬送路１９の分岐部、分岐搬送路２０の分岐部、分岐搬送路２１の分岐部および分岐搬送路２２の分岐部を通過して、搬送路１６内をさらに下流側に送られ、第四の紙幣一時貯留ボックス２７ｄ内に送られて、一時的に貯留される。
【０１４２】
本実施態様においては、このように、紙幣のＲＦＩＤデータに基づき、紙幣判別部１５によって検出された紙幣が、現に流通している真正な紙幣であるか否かを判別し、現に流通している真正な紙幣であると判別したときは、紙幣のＲＦＩＤデータに基づき、紙幣の金種を暫定的に決定し、暫定的に決定した紙幣の金種に対応する金種の紙幣の基準光学データおよび基準磁気データをＲＯＭ５１から読み出し、紙幣判別部１５のセンサユニット１５ａから入力された紙幣の光学データおよび磁気データを、ＲＯＭ５１から読み出した紙幣の基準光学データおよび基準磁気データと比較して、紙幣の金種を最終的に判別するとともに、その紙幣の汚損のレベル、紙幣が１枚ずつ送られているか否かならびに紙幣の短辺が紙幣の搬送方向と平行になるように送られているか否かを判別するように構成されているから、紙幣の判別に要する時間を大幅に短縮することが可能になる。
【０１４３】
次いで、ＣＰＵ５０は、ＲＡＭ５２に書き込まれた計数結果に基づき、汚損紙幣一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄ内に送られた紙幣の合計金額を算出し、ディスプレイ７７に表示する。
【０１４４】
ディスプレイ７７に表示された紙幣の合計金額が予期していた紙幣の合計金額と一致しないなどの理由で、オペレータが、入金処理を中止させるために、入金中止信号を、キーボード７５に入力し、入金中止信号がＣＰＵ５０に入力されたときは、ＣＰＵ５０は、ＲＡＭ５２の汚損紙幣の枚数を管理するためのデータを格納するメモリ領域、第一の金種の紙幣の枚数を管理するためのデータを格納するメモリ領域、第二の金種の紙幣の枚数を管理するためのデータを格納するメモリ領域、第三の金種の紙幣の枚数を管理するためのデータを格納するメモリ領域および第四の金種の紙幣の枚数を管理するためのデータを格納するメモリ領域に書き込まれた対応する紙幣の計数データを消去するとともに、紙幣一時貯留ユニット２７をロックしているロック部材（図示せず）のロックを解除するとともに、ディスプレイ７７に、ロックが解除され、紙幣一時貯留ユニット２７が取り出し可能な状態になった旨を表示する。
【０１４５】
したがって、オペレータは、紙幣一時貯留ユニット２７を紙幣処理機から引き出し、汚損紙幣一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄ内に貯留されていた紙幣を回収することができる。
【０１４６】
これに対して、オペレータが、ディスプレイ７７に表示された紙幣の合計金額を確認して、入金指示信号を、キーボード７５に入力し、入金指示信号がＣＰＵ５０に入力されたときは、ＣＰＵ５０は、汚損紙幣一時貯留ボックス２８の底部を構成するシャッタを駆動するソレノイド６５、第一の紙幣一時貯留ボックス２７ａの底部を構成するシャッタを駆動するソレノイド６６、第二の紙幣一時貯留ボックス２７ｂの底部を構成するシャッタを駆動するソレノイド６７、第三の紙幣一時貯留ボックス２７ｃの底部を構成するシャッタを駆動するソレノイド６８および第四の紙幣一時貯留ボックス２７ｄの底部を構成するシャッタを駆動するソレノイド６９に駆動信号を出力して、汚損紙幣一時貯留ボックス２８の底部を構成するシャッタ、第一の紙幣一時貯留ボックス２７ａの底部を構成するシャッタ、第二の紙幣一時貯留ボックス２７ｂの底部を構成するシャッタ、第三の紙幣一時貯留ボックス２７ｃの底部を構成するシャッタおよび第四の紙幣一時貯留ボックス２７ｄの底部を構成するシャッタを開放させる。
【０１４７】
その結果、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄのシャッタ２１０は開放されているため、汚損紙幣一時貯留ボックス２８内に一時的に貯留されていた汚損紙幣は、汚損紙幣収納ボックス３１内に落下して、汚損紙幣収納ボックス３１内に収納されるとともに、第一の紙幣一時貯留ボックス２７ａ内に一時的に貯留されていた第一の金種の紙幣は、第一の紙幣収納ボックス３０ａ内に落下して、第一の紙幣収納ボックス３０ａ内に収納され、第二の紙幣一時貯留ボックス２７ｂ内に一時的に貯留されていた第二の金種の紙幣は、第二の紙幣収納ボックス３０ｂ内に落下して、第二の紙幣収納ボックス３０ｂ内に収納される。同時に、第三の紙幣一時貯留ボックス２７ｃ内に一時的に貯留されていた第三の金種の紙幣は、第三の紙幣収納ボックス３０ｃ内に落下して、第三の紙幣収納ボックス３０ｃ内に収納され、第四の紙幣一時貯留ボックス２７ｄ内に一時的に貯留されていた第四の金種の紙幣は、第四の紙幣収納ボックス３０ｄ内に落下し、第四の紙幣収納ボックス３０ｂ内に収納される。
【０１４８】
こうして、紙幣の入金処理が完了する。
【０１４９】
紙幣処理機から、紙幣を出金する場合には、オペレータによって、出金すべき金種ごとの紙幣の枚数を特定する出金データと出金信号がキーボード７５に入力される。
【０１５０】
オペレータによって入力された出金データと出金信号は、ＣＰＵ５０に出力され、ＣＰＵ５０は、入力された出金すべき金種ごとの紙幣の枚数を特定する出金データを、ＲＡＭ５２の出金すべき紙幣を管理するデータを格納するメモリ領域に書き込む。
【０１５１】
次いで、ＣＰＵ５０は、ＲＡＭ５２の出金すべき紙幣を管理するデータを格納するメモリ領域に書き込んだ出金データにしたがって、第一の紙幣収納ボックス３０ａの下部に設けられた第一の紙幣繰り出し部３３ａ、第二の紙幣収納ボックス３０ｂの下部に設けられた第二の紙幣繰り出し部３３ｂ、第三の紙幣収納ボックス３０ｃの下部に設けられた第三の紙幣繰り出し部３３ｃおよび第四の紙幣収納ボックス３０ｄの下部に設けられた第四の紙幣繰り出し部３３ｄを選択的に駆動する。
【０１５２】
すなわち、第一の金種の紙幣を出金すべきときは、ＣＰＵ５０は、第一の紙幣繰り出し部３３ａに駆動信号を出力して、第一の紙幣収納ボックス３０ａ内に収納されている第一の金種の紙幣を、１枚ずつ、出金紙幣搬送路３５に繰り出させ、第二の金種の紙幣を出金すべきときは、ＣＰＵ５０は、第二の紙幣繰り出し部３３ｂに駆動信号を出力して、第二の紙幣収納ボックス３０ｂ内に収納されている第二の金種の紙幣を、１枚ずつ、出金紙幣搬送路３５に繰り出させる。一方、第三の金種の紙幣を出金すべきときは、ＣＰＵ５０は、第三の紙幣繰り出し部３３ｃに駆動信号を出力して、第三の紙幣収納ボックス３０ｃ内に収納されている第三の金種の紙幣を、１枚ずつ、出金紙幣搬送路３５に繰り出させ、第四の金種の紙幣を出金すべきときは、ＣＰＵ５０は、第四の紙幣繰り出し部３３ｄに駆動信号を出力して、第四の紙幣収納ボックス３０ｄ内に収納されている第四の金種の紙幣を、１枚ずつ、出金紙幣搬送路３５に繰り出させる。
【０１５３】
出金紙幣搬送路３５に繰り出された紙幣は、出金紙幣判別部４０に送られる。
【０１５４】
出金すべき紙幣が、出金紙幣判別部４０に送られると、センサユニット４０ａによって、紙幣の光学データおよび磁気データが読み取られるとともに、ＲＦＩＤリーダー４０ｂによって、紙幣に形成されたインレット中のＩＣチップに記録された紙幣のＩＤデータ、紙幣の金種データなどのＲＦＩＤデータが読み取られ、読み取られた紙幣の光学データ、磁気データおよびＲＦＩＤデータはＣＰＵ５０に出力される。
【０１５５】
ＣＰＵ５０は、出金紙幣判別部４０から入力された紙幣の光学データ、磁気データおよびＲＦＩＤデータに基づいて、紙幣が、現に流通している真正な紙幣か否かを判別し、紙幣が現に流通している真正な紙幣であると判別したときは、その金種を判別するとともに、紙幣が１枚ずつ送られているか否かおよび紙幣の短辺が紙幣の搬送方向と平行になるように送られているか否かを判別する。
【０１５６】
ここに、紙幣判別部１５から入力された紙幣の光学データ、磁気データおよびＲＦＩＤデータに基づき、現に流通している真正な紙幣と判別された紙幣のみが、第一の紙幣収納ボックス３０ａ、第二の紙幣収納ボックス３０ｂ、第三の紙幣収納ボックス３０ｃおよび第四の紙幣収納ボックス３０ｄに送られて、収納され、第一の紙幣収納ボックス３０ａ、第二の紙幣収納ボックス３０ｂ、第三の紙幣収納ボックス３０ｃおよび第四の紙幣収納ボックス３０ｄ内には、それぞれ、第一の金種の紙幣、第二の金種の紙幣、第三の金種の紙幣および第四の金種の紙幣が収納されており、したがって、第一の紙幣収納ボックス３０ａ、第二の紙幣収納ボックス３０ｂ、第三の紙幣収納ボックス３０ｃおよび第四の紙幣収納ボックス３０ｄから繰り出されて、出金紙幣判別部４０に送られる紙幣はすべて、現に流通している真正な紙幣であるはずであり、また、その紙幣が、第一の紙幣収納ボックス３０ａ、第二の紙幣収納ボックス３０ｂ、第三の紙幣収納ボックス３０ｃおよび第四の紙幣収納ボックス３０ｄのうち、いずれの紙幣収納ボックスから繰り出されたかによって、その紙幣の金種を知ることができるから、出金紙幣判別部４０から入力された紙幣の光学データ、磁気データおよびＲＦＩＤデータに基づいて、ＣＰＵ５０が、出金すべき紙幣が、現に流通している真正な紙幣か否かを判別することは必ずしも必要ではないし、また、出金すべき紙幣の金種を判別することも必ずしも必要ではないが、本実施態様においては、紙幣処理機から、出金された紙幣の金種および枚数ならびに紙幣処理機内に収納されている紙幣の金種ごとの枚数を正確に管理するために、出金紙幣判別部４０から入力された紙幣の光学データ、磁気データおよびＲＦＩＤデータに基づいて、ＣＰＵ５０が、出金すべき紙幣が、現に流通している真正な紙幣か否かおよび出金すべき紙幣の金種を判別するように構成されている。
【０１５７】
ＣＰＵ５０は、出金紙幣判別部４０のＲＦＩＤリーダー４０ｂから入力されたＲＦＩＤデータをＲＡＭ５２に書き込むとともに、ＲＡＭ５２に書き込まれたＲＦＩＤデータに基づいて、紙幣が、現に流通している真正な紙幣か否かおよび紙幣の金種を暫定的に判別する。
【０１５８】
その結果、ＲＦＩＤデータに基づいて、出金紙幣判別部４０によって検出された紙幣が、現に流通している真正な紙幣ではないと判別したときは、ＣＰＵ５０は、判別結果をＲＡＭ５２に書き込み、これに対して、ＲＦＩＤデータに基づいて、紙幣が、現に流通している真正な紙幣と判別したときは、ＣＰＵ５０は、ＲＦＩＤデータに基づいて、紙幣の金種を暫定的に決定し、さらに、暫定的に決定した紙幣の金種に対応する金種の紙幣の基準光学データおよび基準磁気データをＲＯＭ５１から読み出す。
【０１５９】
次いで、ＣＰＵ５０は、出金紙幣判別部４０のセンサユニット４０ａから入力された紙幣の光学データおよび磁気データを、ＲＯＭ５１から読み出した紙幣の基準光学データおよび基準磁気データと比較し、紙幣の金種を最終的に判別するとともに、紙幣が１枚ずつ送られているか否かならびに紙幣の短辺が紙幣の搬送方向と平行になるように送られているか否かを判別する。
【０１６０】
すなわち、光学センサ手段の反射光センサが検出した紙幣の表面パターンデータと、暫定的に決定した金種の紙幣の基準表面パターンデータとを比較した結果、両者の差が第一のしきい値以下と判定したときは、ＣＰＵ５０は、出金紙幣判別部４０によって検出された紙幣は、ＲＦＩＤデータに基づいて暫定的に決定した金種の紙幣であると最終的に判別する。
【０１６１】
これに対して、光学センサ手段の反射光センサが検出した紙幣の表面パターンデータと、暫定的に決定した金種の紙幣の基準表面パターンデータとを比較した結果、両者の差が第一のしきい値よりも大きい第二のしきい値を超えていると判定したときは、ＣＰＵ５０は、その紙幣は、現に流通している真正な紙幣であるが、紙幣の短辺が紙幣の搬送方向と平行になるように送られていないと判別する。
【０１６２】
ここに、紙幣が、現に流通している真正な紙幣であるが、汚損レベルが所定レベルを超えている場合には、光学センサ手段の反射光センサが検出した紙幣の表面パターンデータと、暫定的に決定した金種の紙幣の基準表面パターンデータとの差が、第一のしきい値を超え、第二のしきい値未満になるが、汚損レベルが所定レベルを超えた汚損紙幣は、汚損紙幣収納ボックス３１内に回収されているから、光学センサ手段の反射光センサが検出した紙幣の表面パターンデータと、暫定的に決定した金種の紙幣の基準表面パターンデータとの差が、第一のしきい値を超え、第二のしきい値未満になるということはない。
【０１６３】
これに対して、光学センサ手段の透過光センサが検出した紙幣の透過光データと、暫定的に決定した金種の紙幣の基準透過光データとを比較した結果、両者が実質的に一致しているときは、その紙幣は、１枚ずつ送られていると判別し、両者が実質的に一致していないときは、２枚以上の紙幣が、全部あるいはその一部が重なり合って、送られていると判別する。
【０１６４】
判別の結果、出金紙幣判別部４０によって検出された紙幣が、現に流通している真正な紙幣で、１枚ずつ、その短辺が紙幣の搬送方向と平行になるように送られていると判別したときは、ＣＰＵ５０は、判別した金種の紙幣が１枚出金された旨をＲＡＭ５２に書き込むとともに、その金種の紙幣の枚数を管理するためのデータを格納するＲＡＭ５２のメモリ領域に書き込まれた紙幣の計数データを１枚分だけ減じた上で、その紙幣を、出金紙幣搬送路３５、ゲート部材４２、出金紙幣搬送路３５、ゲート部材４６および出金紙幣搬送路３５を介して、紙幣出金口１２に送って、出金する。
【０１６５】
一方、出金紙幣判別部４０によって検出された紙幣が、偽造紙幣もしくは外国紙幣と判別した場合には、ＣＰＵ５０は、ＲＡＭ５２の紙幣回収ボックス４３内に回収された紙幣の枚数を管理するデータを格納するメモリ領域に、偽造紙幣あるいは外国紙幣が検出され、偽造紙幣あるいは外国紙幣が１枚回収された旨の計数データを書き込み、さらに、ゲート部材４２を駆動するソレノイド６１に駆動信号を出力して、出金紙幣搬送路３５を分岐搬送路４１に連通させ、偽造紙幣あるいは外国紙幣と判別した紙幣を紙幣回収ボックス４３に導いて、紙幣回収ボックス４３内に回収させる。
【０１６６】
これに対して、ＣＰＵ５０が、２枚以上の紙幣の全部あるいは一部が重なり合って、送られていると判別した場合あるいは紙幣の短辺が紙幣の搬送方向と角度をなして送られていると判別した場合には、これらの紙幣を紙幣出金口１２に送ると、紙幣が出金紙幣搬送路３５内で、ジャミングを起こすおそれがあるため、ゲート部材４２を駆動するソレノイド６１に駆動信号を出力して、出金紙幣搬送路３５を分岐搬送路４１に連通させ、これらの紙幣を紙幣回収ボックス４３に導いて、紙幣回収ボックス４３内に回収させる。
【０１６７】
この際、ＣＰＵ５０は、ＲＦＩＤリーダー４０ｂによって読み取られた紙幣のＲＦＩＤデータに基づいて、紙幣回収ボックス４３内に回収された紙幣の金種および枚数を判別して、ＲＡＭ５２の紙幣回収ボックス４３内に回収された紙幣の枚数を管理するデータを格納するメモリ領域に書き込まれた紙幣の計数データを書き換えるとともに、その金種の紙幣の枚数を管理するためのデータを格納するＲＡＭ５２のメモリ領域に書き込まれた紙幣の計数データを書き換える。
【０１６８】
ここに、出金紙幣判別部４０が、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備えているに過ぎない従来の紙幣処理機にあっては、２枚以上の紙幣の全部あるいは一部が重なり合って、送られている場合あるいは紙幣の短辺が紙幣の搬送方向と角度をなして送られている場合には、それらの金種を精度よく判別することが不可能であり、また、２枚以上の紙幣の全部あるいは一部が重なり合って、送られている場合には、何枚の紙幣が重なり合って送られているかを精度よく判別することが不可能であるため、紙幣回収ボックス４３内に回収された紙幣の金種別枚数を、精度よく、把握することができず、したがって、第一の紙幣収納ボックス３０ａ、第二の紙幣収納ボックス３０ｂ、第三の紙幣収納ボックス３０ｃおよび第四の紙幣収納ボックス３０ｄから、出金のために繰り出された紙幣の金種別枚数を精度よく把握することが不可能であるため、第一の紙幣収納ボックス３０ａ、第二の紙幣収納ボックス３０ｂ、第三の紙幣収納ボックス３０ｃおよび第四の紙幣収納ボックス３０ｄに収納されている紙幣の金種別枚数を正確に管理することが不可能であった。
【０１６９】
しかしながら、本実施態様においては、紙幣処理機の出金紙幣判別部４０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備えたセンサユニット４０ａに加えて、紙幣に形成されたインレット中のＩＣチップに記録された紙幣のＩＤデータ、紙幣の金種データなどのＲＦＩＤデータを読み取るＲＦＩＤリーダー４０ｂを備えているため、２枚以上の紙幣の全部あるいは一部が重なり合って、送られている場合あるいは紙幣の短辺が紙幣の搬送方向と角度をなして送られている場合においても、ＣＰＵ５０は、ＲＦＩＤリーダー４０ｂによって読み取られた紙幣のＲＦＩＤデータに基づいて、それらの紙幣の金種を精度よく判別することができ、また、２枚以上の紙幣の全部あるいは一部が重なり合って、送られている場合に、ＣＰＵ５０は、ＲＦＩＤリーダー４０ｂによって読み取られた紙幣のＲＦＩＤデータに基づいて、何枚の紙幣が重なり合って送られているかを精度よく判別することができ、したがって、第一の紙幣収納ボックス３０ａ、第二の紙幣収納ボックス３０ｂ、第三の紙幣収納ボックス３０ｃおよび第四の紙幣収納ボックス３０ｄから、出金のために繰り出された紙幣の金種別枚数を精度よく把握して、第一の紙幣収納ボックス３０ａ、第二の紙幣収納ボックス３０ｂ、第三の紙幣収納ボックス３０ｃおよび第四の紙幣収納ボックス３０ｄに収納されている紙幣の金種別枚数を正確に管理することができ、紙幣処理機の紙幣管理機能を大幅に向上させることが可能になる。
【０１７０】
こうして、第一の紙幣収納ボックス３０ａ、第二の紙幣収納ボックス３０ｂ、第三の紙幣収納ボックス３０ｃおよび第四の紙幣収納ボックス３０ｄから、選択的に、紙幣が繰り出され、紙幣が出金されるたびに、ＣＰＵ５０は、対応する金種の紙幣の枚数を管理するためのデータを格納するＲＡＭ５２のメモリ領域に書き込まれた紙幣の計数データを書き換えるとともに、その紙幣が、現に流通している真正な紙幣で、１枚ずつ、その短辺が紙幣の搬送方向と平行になるように送られていると判別したときは、その金種の紙幣が、１枚出金された旨をＲＡＭ５２に書き込み、一方、紙幣を紙幣回収ボックス４３内に回収すべきと判別したときは、ＲＡＭ５２の紙幣回収ボックス４３内に回収された紙幣の枚数を管理するデータを格納するメモリ領域に書き込まれた紙幣の計数データを書き換える。
【０１７１】
こうして、ＲＡＭ５２に書き込まれた出金された紙幣の金種別の枚数データが、ＲＡＭ５２に書き込まれた出金データ中の各金種の紙幣の出金すべき枚数に等しくなると、紙幣の出金処理が完了する。
【０１７２】
本実施態様にかかる紙幣処理機は、さらに、随時、紙幣処理機内に収納されている紙幣の金種別の枚数、すなわち、汚損紙幣収納ボックス３１、第一の紙幣収納ボックス３０ａ、第二の紙幣収納ボックス３０ｂ、第三の紙幣収納ボックス３０ｃおよび第四の紙幣収納ボックス３０ｄならびに紙幣回収ボックス４３内に収納されている紙幣の金種別の枚数を確認する収納紙幣確認処理を実行可能に構成されている。
【０１７３】
すなわち、収納紙幣確認処理を実行するにあたっては、紙幣処理機のＣＰＵ５０は、まず、汚損紙幣収納ボックス３１のコントローラ２４０ならびに第一の紙幣収納ボックス３０ａのコントローラ２５０ａ、第二の紙幣収納ボックス３０ｂのコントローラ２５０ｂ、第三の紙幣収納ボックス３０ｃのコントローラ２５０ｃおよび第四の紙幣収納ボックス３０ｄのコントローラ２５０ｄに、収納紙幣確認処理信号を出力する。
【０１７４】
紙幣処理機のＣＰＵ５０から、収納紙幣確認処理信号を受けると、汚損紙幣収納ボックス３１のコントローラ２４０は、汚損紙幣収納ボックス３１内に設けられたＲＦＩＤリーダー３１ａに駆動信号を出力して、ＲＦＩＤリーダー３１ａを起動させる。
【０１７５】
その結果、汚損紙幣収納ボックス３１を紙幣処理機に取り付けたときと同様にして、ＲＦＩＤリーダー３１ａによって、汚損紙幣収納ボックス３１内に収納されている汚損紙幣に形成されたインレット中のＩＣチップに記録された紙幣のＩＤデータ、紙幣の金種データなどのＲＦＩＤデータのみが読み取られて、ＣＰＵ５０に出力され、ＣＰＵ５０によって、汚損紙幣収納ボックス３１内に収納されている汚損紙幣の金種別の枚数が算出される。
【０１７６】
したがって、紙幣処理機の汚損紙幣収納ボックス３１内に収納されている汚損紙幣の金種別の枚数を確認するために、汚損紙幣収納ボックス３１から、汚損紙幣を出金紙幣搬送路３５に繰り出して、繰り出された汚損紙幣の金種を判別し、金種別の枚数を計数した後に、再度、汚損紙幣を汚損紙幣収納ボックス３１内に導いて、収納させることは必要でない。
【０１７７】
同様にして、第一の紙幣収納ボックス３０ａのコントローラ２５０ａ、第二の紙幣収納ボックス３０ｂのコントローラ２５０ｂ、第三の紙幣収納ボックス３０ｃのコントローラ２５０ｃおよび第四の紙幣収納ボックス３０ｄのコントローラ２５０ｄは、紙幣処理機のＣＰＵ５０から、収納紙幣確認処理信号を受けると、それぞれ、対応するＲＦＩＤリーダー３２ａ、３２ｂ、３２ｃおよび３２ｄに駆動信号を出力して、ＲＦＩＤリーダー３２ａ、３２ｂ、３２ｃおよび３２ｄを起動させる。
【０１７８】
その結果、第一の紙幣収納ボックス３０ａ、第二の紙幣収納ボックス３０ｂ、第三の紙幣収納ボックス３０ｃおよび第四の紙幣収納ボックス３０ｄを紙幣処理機に取り付けたときと同様にして、ＲＦＩＤリーダー３２ａ、３２ｂ、３２ｃおよび３２ｄによって、それぞれ、第一の紙幣収納ボックス３０ａ、第二の紙幣収納ボックス３０ｂ、第三の紙幣収納ボックス３０ｃおよび第四の紙幣収納ボックス３０ｄ内に収納されている紙幣に形成されたインレット中のＩＣチップに記録された紙幣のＩＤデータ、紙幣の金種データなどのＲＦＩＤデータのみが読み取られて、ＣＰＵ５０に出力され、ＣＰＵ５０によって、第一の紙幣収納ボックス３０ａ、第二の紙幣収納ボックス３０ｂ、第三の紙幣収納ボックス３０ｃおよび第四の紙幣収納ボックス３０ｄ内に収納されている汚損紙幣の金種別の枚数が算出される。
【０１７９】
このように、本実施態様においては、第一の紙幣収納ボックス３０ａ、第二の紙幣収納ボックス３０ｂ、第三の紙幣収納ボックス３０ｃおよび第四の紙幣収納ボックス３０ｄ内に収納されている紙幣の金種別の枚数を確認するために、第一の紙幣収納ボックス３０ａ、第二の紙幣収納ボックス３０ｂ、第三の紙幣収納ボックス３０ｃおよび第四の紙幣収納ボックス３０ｄから、紙幣を出金紙幣搬送路３５に繰り出して、繰り出された紙幣の金種を判別し、金種別の枚数を計数した後に、再度、第一の紙幣収納ボックス３０ａ、第二の紙幣収納ボックス３０ｂ、第三の紙幣収納ボックス３０ｃおよび第四の紙幣収納ボックス３０ｄ内に導いて、収納させることは必要でない。
【０１８０】
したがって、本実施態様においては、汚損紙幣収納ボックス３１から繰り出された汚損紙幣を、再度、汚損紙幣収納ボックス３１内に導く紙幣搬送路や、第一の紙幣収納ボックス３０ａ、第二の紙幣収納ボックス３０ｂ、第三の紙幣収納ボックス３０ｃおよび第四の紙幣収納ボックス３０ｄから繰り出された紙幣を、再度、第一の紙幣収納ボックス３０ａ、第二の紙幣収納ボックス３０ｂ、第三の紙幣収納ボックス３０ｃおよび第四の紙幣収納ボックス３０ｄ内に導く紙幣搬送路などの特別な機構を設けることなく、汚損紙幣収納ボックス３１内に収納された汚損紙幣ならびに第一の紙幣収納ボックス３０ａ、第二の紙幣収納ボックス３０ｂ、第三の紙幣収納ボックス３０ｃおよび第四の紙幣収納ボックス３０ｄ内に収納された紙幣の金種ならびに金種別の枚数を正確に把握することが可能になるから、簡易な構成で、かつ、簡易な操作によって、収納紙幣確認処理を実行することが可能になる。
【０１８１】
汚損紙幣収納ボックス３１のコントローラ２４０ならびに第一の紙幣収納ボックス３０ａのコントローラ２５０ａ、第二の紙幣収納ボックス３０ｂのコントローラ２５０ｂ、第三の紙幣収納ボックス３０ｃのコントローラ２５０ｃおよび第四の紙幣収納ボックス３０ｄのコントローラ２５０ｄに、収納紙幣確認処理信号を出力するのと同時に、紙幣処理機のＣＰＵ５０は、紙幣回収ボックス４３内に設けられたＲＦＩＤリーダー４３ａに駆動信号を出力して、ＲＦＩＤリーダー４３ａを起動させ、所定の周波数の電波を発信させる。
【０１８２】
ここに、紙幣回収ボックス４３は、ＲＦＩＤリーダー４３ａから発信される周波数の電波を遮蔽する性質を有する材料によって形成されているため、ＲＦＩＤリーダー４３ａから発信された電波は、紙幣回収ボックス４３内に回収されている紙幣に形成されたインレットのアンテナのみによって受信され、ＲＦＩＤリーダー４３ａによって、紙幣回収ボックス４３内に回収されている紙幣に形成されたインレット中のＩＣチップに記録された紙幣のＩＤデータ、紙幣の金種データなどのＲＦＩＤデータのみが読み取られて、ＣＰＵ５０に出力され、ＲＦＩＤリーダー４３ａから入力された紙幣のＲＦＩＤデータに基づき、紙幣回収ボックス４３内に収納されている紙幣の金種および金種別枚数が算出される。
【０１８３】
出金すべき紙幣が、１枚ずつ、搬送されているか否かおよび出金すべき紙幣が、その短辺が紙幣の搬送方向と平行になるように搬送されているか否かが、光学センサによって検出された出金すべき紙幣の光学データや磁気センサによって検出された出金すべき紙幣の磁気データに基づいて判別されるように構成されている従来の紙幣処理機においては、紙幣回収ボックス４３内に回収された紙幣の金種や金種別枚数を正確に把握することが不可能であるが、本実施態様においては、紙幣回収ボックス４３内に、紙幣に形成されたインレット中のＩＣチップに記録された紙幣のＩＤデータ、紙幣の金種データなどのＲＦＩＤデータを読み取ることができるＲＦＩＤリーダー４３ａを設け、ＲＦＩＤリーダー４３ａによって検出された紙幣のＲＦＩＤデータに基づいて、ＣＰＵ５０が、紙幣回収ボックス４３内に回収されている紙幣の金種および金種別枚数を算出するよに構成されているので、紙幣回収ボックス４３内に回収されている紙幣の金種および金種別枚数を正確に把握することが可能になる。
【０１８４】
ＣＰＵ５０は、こうして算出された汚損紙幣収納ボックス３１内に収納されている紙幣の金種および金種別枚数、第一の紙幣収納ボックス３０ａ、第二の紙幣収納ボックス３０ｂ、第三の紙幣収納ボックス３０ｃおよび第四の紙幣収納ボックス３０ｄ内に収納されている紙幣の金種および金種別枚数ならびに紙幣回収ボックス４３内に回収されている紙幣の金種別枚数数を、ＲＡＭ５２の対応するメモリ領域に書き込まれている対応するデータと照合して、紙幣処理機内に収納されている紙幣の金種別の枚数を確認する。
【０１８５】
こうして、収納紙幣確認処理が完了する。
【０１８６】
一日の業務が完了すると、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄが取り付けられた紙幣収納ユニット３０が、紙幣処理機から取り外され、さらに、オペレータによって、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄのハンドル２０２が把持されて、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄが、紙幣収納ユニット３０から取り外される。
【０１８７】
紙幣収納ユニット３０が、紙幣処理機から取り外されると、紙幣処理機の接続ターミナル２２０と、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄの接続ターミナル２１５との接続が断たれ、紙幣処理機のＣＰＵ５０から、汚損紙幣収納ボックス３１のコントローラ２４０ならびに第一の紙幣収納ボックス３０ａのコントローラ２５０ａ、第二の紙幣収納ボックス３０ｂのコントローラ２５０ｂ、第三の紙幣収納ボックス３０ｃのコントローラ２５０ｃおよび第四の紙幣収納ボックス３０ｄのコントローラ２５０ｄにシャッタ駆動信号が入力されなくなるため、シャッタソレノイド２４５、２５５ａ、２５５ｂ、２５５ｃおよび２５５ｄが駆動を停止し、したがって、スプリングなどの付勢手段の付勢力によって、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄのシャッタ２１０が閉じられる。したがって、紙幣処理機から取り外された状態では、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄのシャッタ２１０は、通常、閉じられている。
【０１８８】
こうして、紙幣収納ユニット３０から取り外された汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄは、収納されている紙幣を保管するための金庫として利用される。
【０１８９】
このように、本実施態様においては、紙幣処理機から取り外された状態で、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄは、金庫として利用されるから、その内部に収納されている紙幣の金種および金種別枚数が検出可能であることが望ましい。
【０１９０】
そこで、本実施態様にかかる汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄはいずれも、紙幣処理機から取り外された状態で、その内部に収納されている紙幣の金種および金種別枚数を検出することができるように構成されている。
【０１９１】
第一の紙幣収納ボックス３０ａに収納された紙幣の金種および金種別枚数を検出する場合には、まず、オペレータによって、電源スイッチ２１１が操作され、第一の紙幣収納ボックス３０ａのコントローラ２５０ａが起動される。
【０１９２】
コントローラは、ＲＦＩＤリーダー３２ａを起動し、ＲＦＩＤリーダー３２ａから、所定の周波数の電波を発信させる。
【０１９３】
第一の紙幣収納ボックス３０ａのケーシング２００は、ＲＦＩＤリーダー３２ａから発信される周波数の電波を遮蔽する性質を有する材料によって形成されているから、ＲＦＩＤリーダー３２ａから発信された電波は、第一の紙幣収納ボックス３０ａ内に収納されている紙幣に形成されたインレットのアンテナのみによって受信される。
【０１９４】
したがって、ＲＦＩＤリーダー３２ａによって、第一の紙幣収納ボックス３０ａ内に収納されている紙幣に形成されたインレット中のＩＣチップに記録された紙幣のＩＤデータ、紙幣の金種データなどのＲＦＩＤデータのみが読み取られて、コントローラ２５０ａに出力され、ＲＡＭ２５２ａの所定のメモリ領域に格納される。
【０１９５】
前述のように、紙幣のＩＤデータ、紙幣の金種データなどのＲＦＩＤデータは、紙幣の発行権限を有する機関によって、特定のフォーマットで、インレット中のＩＣチップに記録されているから、コントローラ２５０ａは、ＲＦＩＤリーダー３２ａから入力され、ＲＡＭ２５２ａに格納されたＲＦＩＤデータに基づいて、第一の紙幣収納ボックス３０ａ内に収納されている紙幣の金種を判別するとともに、第一の紙幣収納ボックス３０ａ内に収納されている紙幣の金種別枚数を算出することができる。
【０１９６】
こうして、第一の紙幣収納ボックス３０ａ内に収納されている紙幣の金種別枚数が算出されると、コントローラ２５０ａは、紙幣の金種別枚数の算出結果を、ディスプレイ２１２に表示するとともに、ＲＡＭ２５２ａの所定のメモリ領域に格納する。
【０１９７】
ここに、コントローラ２５０ａは、通常、紙幣の金種別枚数の算出結果を、第一の紙幣収納ボックス３０ａ内に収納されている紙幣の金種および金種ごとの枚数の形で、ディスプレイ２１２に表示するように構成されているが、オペレータは、第一の紙幣収納ボックス３０ａのケーシング２００に形成されたディスプレイスイッチ２１３を操作することによって、紙幣の金種別枚数の算出結果を、第一の紙幣収納ボックス３０ａ内に収納されている紙幣の金種および金種ごとの合計金額の形で、ディスプレイ２１２に表示させることもできる。
【０１９８】
第二の紙幣収納ボックス３０ｂ、第三の紙幣収納ボックス３０ｃおよび第四の紙幣収納ボックス３０ｄならびに汚損紙幣収納ボックス３１内に収納されている紙幣の金種別枚数も、第二の紙幣収納ボックス３０ｂ、第三の紙幣収納ボックス３０ｃおよび第四の紙幣収納ボックス３０ｄならびに汚損紙幣収納ボックス３１の電源スイッチ２１１を操作して、第二の紙幣収納ボックス３０ｂのコントローラ２５０ｂ、第三の紙幣収納ボックス３０ｃのコントローラ２５０ｃおよび第四の紙幣収納ボックス３０ｄのコントローラ２５０ｄならびに汚損紙幣収納ボックス３１のコントローラ２４０を起動させることによって、同様にして、算出し、ディスプレイ２１２に表示させることができる。
【０１９９】
さらに、上述のように、本実施態様にかかる第一の紙幣収納ボックス３０ａ、第二の紙幣収納ボックス３０ｂ、第三の紙幣収納ボックス３０ｃおよび第四の紙幣収納ボックス３０ｄは、紙幣処理機から取り外された状態では、金庫として利用されるから、その内部に収納された紙幣が取り出されたり、その内部に、新たに紙幣が補充されることがあり、その結果、紙幣処理機にセットされたときに、それぞれに収納されるべき金種の紙幣と異なった金種の紙幣が、誤って、補充されることがあり得る。そこで、本実施態様においては、オペレータが、第一の紙幣収納ボックス３０ａ、第二の紙幣収納ボックス３０ｂ、第三の紙幣収納ボックス３０ｃあるいは第四の紙幣収納ボックス３０ｄのケーシング２００に形成されたディスプレイスイッチ２１３を操作することによって、それぞれに収納されるべき金種の紙幣以外の金種の紙幣が収納されているときに、その旨をオペレータに報知するための警告を、ディスプレイ２１２に表示可能に構成されている。
【０２００】
汚損紙幣収納ボックス３１に収納された汚損紙幣は、通常、こうして、金種別枚数を確認した上で、取り出されて、回収される。
【０２０１】
これに対して、第一の紙幣収納ボックス３０ａ、第二の紙幣収納ボックス３０ｂ、第三の紙幣収納ボックス３０ｃおよび第四の紙幣収納ボックス３０ｄ内に収納された紙幣は、業務を再開した際に、紙幣処理機から出金するための紙幣として利用され、第一の紙幣収納ボックス３０ａ、第二の紙幣収納ボックス３０ｂ、第三の紙幣収納ボックス３０ｃおよび第四の紙幣収納ボックス３０ｄは、業務の再開にあたって、紙幣収納ユニット３０に取り付けられて、紙幣処理機にセットされる。このとき、必要に応じて、第一の紙幣収納ボックス３０ａ、第二の紙幣収納ボックス３０ｂ、第三の紙幣収納ボックス３０ｃおよび第四の紙幣収納ボックス３０ｄ内に、それぞれ、第一の金種の紙幣、第二の金種の紙幣、第三の金種の紙幣および第四の金種の紙幣を補充した後に、第一の紙幣収納ボックス３０ａ、第二の紙幣収納ボックス３０ｂ、第三の紙幣収納ボックス３０ｃおよび第四の紙幣収納ボックス３０ｄを紙幣収納ユニット３０に取り付けて、紙幣処理機にセットすることもできる。
【０２０２】
従来の紙幣処理機にあっては、一旦、紙幣処理機から、紙幣を収納する紙幣収納ボックスを取り外し、再度、紙幣処理機にセットするときは、紙幣収納ボックス内に紙幣を補充したか否かにかかわらず、紙幣収納ボックスに収納されている紙幣の金種別枚数を確認し、ＲＡＭ５２に記憶させるため、紙幣収納ボックスに収納されている紙幣を、出金紙幣搬送路３５に繰り出し、出金紙幣判別部４０によって検出した紙幣のデータに基づいて、紙幣の金種を判別し、再度、紙幣収納ボックス内に導いて、収納させることが必要であったが、本実施態様によれば、紙幣収納ボックス内に紙幣を補充した場合においても、第一の紙幣収納ボックス３０ａ、第二の紙幣収納ボックス３０ｂ、第三の紙幣収納ボックス３０ｃおよび第四の紙幣収納ボックス３０ｄを紙幣処理機にセットするのに先立って、第一の紙幣収納ボックス３０ａのコントローラ２５０ａ、第二の紙幣収納ボックス３０ｂのコントローラ２５０ｂ、第三の紙幣収納ボックス３０ｃのコントローラ２５０ｃおよび第四の紙幣収納ボックス３０ｄのコントローラ２５０ｄを起動させて、対応するＲＦＩＤリーダー３２ａ、３２ｂ、３２ｃ、３２ｄによって、その内部に収納されている紙幣のＲＦＩＤデータを読み取ることにより、第一の紙幣収納ボックス３０ａ、第二の紙幣収納ボックス３０ｂ、第三の紙幣収納ボックス３０ｃおよび第四の紙幣収納ボックス３０ｄ内に収納されている紙幣の金種別枚数を正確に把握することができ、また、第一の紙幣収納ボックス３０ａ、第二の紙幣収納ボックス３０ｂ、第三の紙幣収納ボックス３０ｃおよび第四の紙幣収納ボックス３０ｄを紙幣処理機にセットした後、紙幣処理機による紙幣の処理に先立って、紙幣処理機のＣＰＵ５０に収納紙幣確認処理を実行させることにより、第一の紙幣収納ボックス３０ａ、第二の紙幣収納ボックス３０ｂ、第三の紙幣収納ボックス３０ｃおよび第四の紙幣収納ボックス３０ｄ内に収納されている紙幣の金種別枚数を正確に把握することができるから、第一の紙幣収納ボックス３０ａ、第二の紙幣収納ボックス３０ｂ、第三の紙幣収納ボックス３０ｃおよび第四の紙幣収納ボックス３０ｄを紙幣処理機にセットした後、紙幣処理機による紙幣の処理に先立って、第一の紙幣収納ボックス３０ａ、第二の紙幣収納ボックス３０ｂ、第三の紙幣収納ボックス３０ｃおよび第四の紙幣収納ボックス３０ｄ内に収納されている紙幣を、出金紙幣搬送路３５に繰り出し、出金紙幣判別部４０によって検出した紙幣のデータに基づいて、紙幣の金種を判別し、再度、第一の紙幣収納ボックス３０ａ、第二の紙幣収納ボックス３０ｂ、第三の紙幣収納ボックス３０ｃおよび第四の紙幣収納ボックス３０ｄ内に導いて、収納させる必要がなく、業務再開時の操作を大幅に簡易化することが可能になる。
【０２０３】
本実施態様によれば、汚損紙幣収納ボックス３１内に設けられたＲＦＩＤリーダー３１ａを用いて、汚損紙幣収納ボックス３１内に収納されている汚損紙幣に形成されたインレット中のＩＣチップに記録された紙幣のＩＤデータ、紙幣の金種データなどのＲＦＩＤデータを読み取り、汚損紙幣収納ボックス３１内に収納されている汚損紙幣の金種および金種別枚数を確認し、第一の紙幣収納ボックス３０ａ内に設けられたＲＦＩＤリーダー３２ａ、第二の紙幣収納ボックス３０ｂ内に設けられたＲＦＩＤリーダー３２ｂ、第三の紙幣収納ボックス３０ｃ内に設けられたＲＦＩＤリーダー３２ｃおよび第四の紙幣収納ボックス３０ｄ内に設けられたＲＦＩＤリーダー３２ｄを用いて、第一の紙幣収納ボックス３０ａ、第二の紙幣収納ボックス３０ｂ、第三の紙幣収納ボックス３０ｃおよび第四の紙幣収納ボックス３０ｄ内に、それぞれ、収納されている紙幣に形成されたインレット中のＩＣチップに記録された紙幣のＩＤデータ、紙幣の金種データなどのＲＦＩＤデータを読み取り、第一の紙幣収納ボックス３０ａ、第二の紙幣収納ボックス３０ｂ、第三の紙幣収納ボックス３０ｃおよび第四の紙幣収納ボックス３０ｄのそれぞれに収納されている紙幣の金種および金種別枚数を確認するように構成されているから、汚損紙幣収納ボックス３１から繰り出された汚損紙幣を、再度、汚損紙幣収納ボックス３１内に導く紙幣搬送路や、第一の紙幣収納ボックス３０ａ、第二の紙幣収納ボックス３０ｂ、第三の紙幣収納ボックス３０ｃおよび第四の紙幣収納ボックス３０ｄから繰り出された紙幣を、再度、第一の紙幣収納ボックス３０ａ、第二の紙幣収納ボックス３０ｂ、第三の紙幣収納ボックス３０ｃおよび第四の紙幣収納ボックス３０ｄ内に導く紙幣搬送路などの特別な機構を設けることなく、汚損紙幣収納ボックス３１内に収納された汚損紙幣ならびに第一の紙幣収納ボックス３０ａ、第二の紙幣収納ボックス３０ｂ、第三の紙幣収納ボックス３０ｃおよび第四の紙幣収納ボックス３０ｄ内に収納された紙幣の金種ならびに金種別の枚数を正確に確認し、把握することができ、したがって、簡易な構成で、かつ、簡易な操作によって、収納紙幣確認処理を実行することが可能になる。
【０２０４】
また、従来の紙幣処理機においては、出金紙幣判別部４０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを有するセンサユニット４０ａのみを備えているにすぎず、したがって、２枚以上の紙幣の全部あるいは一部が重なり合って、搬送されているということは判別できても、それらの紙幣の金種および何枚の紙幣が重なり合って送られているかを判別することはできず、また、紙幣の短辺が紙幣の搬送方向と角度をなして搬送されているということは判別できても、その紙幣の金種を判別することはできないため、紙幣回収ボックス４３内に回収された紙幣の金種および金種別の枚数を正確に把握することは不可能で、第一の紙幣収納ボックス３０ａ、第二の紙幣収納ボックス３０ｂ、第三の紙幣収納ボックス３０ｃおよび第四の紙幣収納ボックス３０ｄに収納されている紙幣の金種別枚数を正確に把握することは不可能であったが、本実施態様によれば、紙幣回収ボックス４３内に、紙幣回収ボックス４３内に回収された紙幣に形成されたインレット中のＩＣチップに記録された紙幣のＩＤデータ、紙幣の金種データなどのＲＦＩＤデータを読み取るＲＦＩＤリーダー４３ａが設けられているから、紙幣回収ボックス４３内に回収されている紙幣の金種別の枚数を正確に把握することができ、さらには、出金紙幣判別部４０が、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、出金すべき紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するための光学データおよび磁気データを生成するセンサユニット４０ａに加えて、出金すべき紙幣に形成されたインレット中のＩＣチップに記録された紙幣のＩＤデータ、紙幣の金種データなどのＲＦＩＤデータを読み取るＲＦＩＤリーダー４０ｂを備えているから、２枚以上の紙幣の全部あるいは一部が重なり合って、送られている場合においても、ＣＰＵ５０は、ＲＦＩＤリーダー４０ｂによって読み取られた紙幣のＲＦＩＤデータに基づいて、それらの紙幣の金種および何枚の紙幣が重なり合って送られているかを精度よく判別することができ、また、紙幣の短辺が紙幣の搬送方向と角度をなして送られている場合においても、ＣＰＵ５０は、ＲＦＩＤリーダー４０ｂによって読み取られた紙幣のＲＦＩＤデータに基づいて、それらの紙幣の金種を精度よく判別することができ、したがって、紙幣回収ボックス４３内に回収されるべき紙幣の金種および枚数を精度よく判別することが可能になる。
【０２０５】
したがって、本実施態様によれば、簡易な構成で、第一の紙幣収納ボックス３０ａ、第二の紙幣収納ボックス３０ｂ、第三の紙幣収納ボックス３０ｃおよび第四の紙幣収納ボックス３０ｄに収納されている紙幣の金種別枚数を正確に把握することができ、紙幣処理機の紙幣管理機能を大幅に向上させることが可能になる。
【０２０６】
さらに、本実施態様によれば、紙幣判別部１５は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するための光学データおよび磁気データを生成するセンサユニット１５ａに加えて、紙幣に形成されたインレット中のＩＣチップに記録された紙幣のＩＤデータ、紙幣の金種データなどのＲＦＩＤデータを読み取るＲＦＩＤリーダー１５ｂを備え、ＲＦＩＤリーダー１５ｂによって読み取られたＲＦＩＤデータに基づいて、紙幣の金種を暫定的に決定し、暫定的に決定した紙幣の金種に対応する金種の紙幣の基準光学データおよび基準磁気データをＲＯＭ５１から読み出し、紙幣判別部１５のセンサユニット１５ａから入力された紙幣の光学データおよび磁気データを、ＲＯＭ５１から読み出した紙幣の基準光学データおよび基準磁気データと比較し、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するように構成されているから、紙幣処理機に投入された紙幣の判別に要する時間を大幅に短縮することが可能になるとともに、紙幣処理機に投入された紙幣の判別精度を大幅に向上させることが可能になる。
【０２０７】
また、本実施態様によれば、出金紙幣判別部４０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、出金すべき紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するための光学データおよび磁気データを生成するセンサユニット４０ａに加えて、出金すべき紙幣に形成されたインレット中のＩＣチップに記録された紙幣のＩＤデータ、紙幣の金種データなどのＲＦＩＤデータを読み取るＲＦＩＤリーダー４０ｂを備え、ＲＦＩＤリーダー４０ｂによって読み取られたＲＦＩＤデータに基づいて、紙幣の金種を暫定的に決定し、暫定的に決定した紙幣の金種に対応する金種の紙幣の基準光学データおよび基準磁気データをＲＯＭ５１から読み出し、出金紙幣判別部４０のセンサユニット４０ａから入力された紙幣の光学データおよび磁気データを、ＲＯＭ５１から読み出した紙幣の基準光学データおよび基準磁気データと比較し、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するように構成されているから、出金すべき紙幣の判別に要する時間を大幅に短縮することが可能になるとともに、出金すべき紙幣の判別精度を大幅に向上させることが可能になる。
【０２０８】
さらに、本実施態様によれば、第一の紙幣収納ボックス３０ａ、第二の紙幣収納ボックス３０ｂ、第三の紙幣収納ボックス３０ｃおよび第四の紙幣収納ボックス３０ｄならびに汚損紙幣収納ボックス３１は、それぞれ、紙幣処理機から取り外された状態で、それぞれの内部に収納されている紙幣の金種別枚数を検出可能に構成されており、したがって、第一の紙幣収納ボックス３０ａ、第二の紙幣収納ボックス３０ｂ、第三の紙幣収納ボックス３０ｃおよび第四の紙幣収納ボックス３０ｄならびに汚損紙幣収納ボックス３１の金庫としての機能を向上させることができる。
【０２０９】
図９は、本発明の別の好ましい実施態様にかかる紙幣収納ボックスを備えた紙幣処理機の略縦断面図である。
【０２１０】
本実施態様にかかる紙幣処理機は、銀行などの金融機関内で使用されるように構成され、図１ないし図８に示された紙幣処理機と同様に、紙幣の発行権限を有する機関によって、インレット中の読み取り専用のＩＣチップに、紙幣のＩＤデータ、紙幣の金種データなどのＲＦＩＤデータが、特定のフォーマットで、記録された紙幣を処理するように構成されている。
【０２１１】
図９に示されるように、本実施態様にかかる紙幣処理機は、ハウジング１０と、ハウジング１０内に、紙幣入出金機構１と、第一の紙幣帯封機構２と、第二の紙幣帯封機構３を備えている。
【０２１２】
紙幣入出金機構１は、紙幣処理機に投入された紙幣のうち、真正な紙幣を入金紙幣として、金種別に収納し、収納された真正な紙幣を出金するもので、従来の紙幣入出金機の機能を備えている。
【０２１３】
一方、第一の紙幣帯封機構２は、第一の所定数に等しい枚数、たとえば、１００枚の紙幣を重ね合わせ、重ね合わされた紙幣に結束テープを巻回して、帯封をし、第一の所定数に等しい枚数の紙幣を含む紙幣束（以下、「単位紙幣束」という。）を生成するものであり、従来の紙幣帯封装置の機能を備え、また、第二の紙幣帯封機構３は、それぞれが、第一の所定数に等しい枚数の紙幣を含む第二の所定数に等しい数の単位紙幣束を、たとえば、１０束の単位紙幣束を重ね合わせ、重ね合わされた単位紙幣束に結束テープを巻回して、帯封をし、第二の所定数に等しい数の単位紙幣束を含む紙幣束（大束）を生成するものであり、第二の所定数に等しい数の単位紙幣束に帯封する従来の紙幣帯封装置の機能を備えている。
【０２１４】
したがって、本実施態様にかかる紙幣処理機は、従来の紙幣入出金機、第一の所定数に等しい枚数の紙幣を重ね合わせて、帯封をし、第一の所定数に等しい枚数の紙幣を含む単位紙幣束（小束）を生成する従来の紙幣帯封装置および第二の所定数に等しい数の単位紙幣束を重ね合わせて、第二の所定数に等しい数の単位紙幣束に帯封する従来の紙幣帯封装置が結合された構造を有している。
【０２１５】
図９に示されるように、本実施態様にかかる紙幣処理機の紙幣入出金機構１は、サブハウジング１０ａ内に設けられ、紙幣が投入される紙幣入金口１１、紙幣を出金する紙幣出金口１２および投入された紙幣で、受け入れ不能と判別された紙幣を返却する紙幣返却口１３を、サブハウジング１０ａの上部に備えている。
【０２１６】
図９に示されるように、本実施態様にかかる紙幣処理機は、さらに、搬送路１４を介して、紙幣入金口１１に接続され、紙幣繰り出し手段（図示せず）により、紙幣入金口１１から、１枚ずつ、繰り出された紙幣を判別する紙幣判別部１５を備えている。
【０２１７】
紙幣判別部１５は、図１ないし図８に示された紙幣処理機と同様に、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するための光学データおよび磁気データを生成するセンサユニット（図示せず）と、紙幣に形成されたインレット中のＩＣチップに記録された紙幣のＩＤデータ、紙幣の金種データなどのＲＦＩＤデータを読み取るＲＦＩＤリーダー（図示せず）とを備えており、紙幣判別部１５のセンサユニットによって生成された紙幣の光学データおよび磁気データならびにＲＦＩＤリーダーによって読み取られたＲＦＩＤデータは、ＣＰＵ（図示せず）に出力され、ＣＰＵによって、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かが判別され、１枚ずつ、その短辺が紙幣の搬送方向と平行になるように送られている真正でかつ現に流通している紙幣が金種別に計数されるように構成されている。
【０２１８】
このように、紙幣判別部１５は、ＲＦＩＤリーダーを備えているため、ＲＦＩＤリーダーが紙幣判別部１５外に存在する紙幣のＲＦＩＤデータを読み取ることがないように、ＲＦＩＤリーダーから発信される周波数の電波を遮蔽する性質を有する材料によって形成されたケーシング１５ｃによって覆われている。
【０２１９】
図９に示されるように、紙幣判別部１５の下流側には、搬送路１６が接続されており、搬送路１６から、紙幣返却口１３に接続された分岐搬送路１７が分岐し、分岐搬送路１７の分岐部には、紙幣を、搬送路１６および分岐搬送路１７のいずれかに選択的に導くゲート部材１８が設けられている。
【０２２０】
紙幣判別部１５のセンサユニットによって生成された紙幣の光学データおよび磁気データならびにＲＦＩＤリーダーによって読み取られたＲＦＩＤデータに基づき、偽造紙幣あるいは外国紙幣と判別された紙幣、２枚以上の紙幣の全部あるいは一部が重なり合って、送られていると判別された紙幣ならびに紙幣の短辺が紙幣の搬送方向と角度をなして送られていると判別された紙幣は、搬送路１６、ゲート部材１８および分岐搬送路１７を介して、紙幣返却口１３に送られて、オペレータに返却される。
【０２２１】
一方、分岐搬送路１７の分岐部の下流側の搬送路１６からは、分岐搬送路１９、分岐搬送路２０、分岐搬送路２１および分岐搬送路２２が、この順に分岐しており、分岐搬送路１９の分岐部には、紙幣を搬送路１６および分岐搬送路１９のいずれかに選択的に導くゲート部材２３が設けられ、分岐搬送路２０の分岐部には、紙幣を搬送路１６および分岐搬送路２０のいずれかに選択的に導くゲート部材２４が設けられている。また、分岐搬送路２１の分岐部には、紙幣を搬送路１６および分岐搬送路２１のいずれかに選択的に導くゲート部材２５が設けられ、分岐搬送路２２の分岐部には、紙幣を搬送路１６および分岐搬送路２２のいずれかに選択的に導くゲート部材２６が設けられている。
【０２２２】
図９に示されるように、搬送路１６の下方には、紙幣一時貯留ユニット２７が設けられ、分岐搬送路１９、分岐搬送路２０、分岐搬送路２１および分岐搬送路２２は、紙幣一時貯留ユニット２７内に延び、搬送路１６は、分岐搬送路２２の分岐部の下流側において、紙幣一時貯留ユニット２７内に延びている。紙幣一時貯留ユニット２７は、紙幣処理機に入金されるべき紙幣を、金種別に、一時的に貯留するものであり、図１ないし図８に示された紙幣処理機と同様に、通常は、ロック部材（図示せず）によって、ロックされて、紙幣処理機に固定され、ロック部材によるロックが解除されたときは、スライドさせて、紙幣処理機から取り出し可能に構成されている。
【０２２３】
本実施態様においても、紙幣処理機は、４種類の金種の紙幣を処理可能で、かつ、汚損レベルが所定レベルを超えた汚損紙幣を回収可能に構成されており、したがって、図１ないし図８に示された紙幣処理機と同様に、紙幣一時貯留ユニット２７は、汚損紙幣一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄを備えている。
【０２２４】
図９に示されるように、分岐搬送路１９は、汚損紙幣一時貯留ボックス２８に接続されている。一方、分岐搬送路２０、分岐搬送路２１および分岐搬送路２２は、第一の紙幣一時貯留ボックス２７ａ、第二の紙幣一時貯留ボックス２７ｂおよび第三の紙幣一時貯留ボックス２７ｃに接続され、搬送路１６は、分岐搬送路２２の分岐部の下流側で、第四の紙幣一時貯留ボックス２７ｄに接続されている。
【０２２５】
したがって、紙幣判別部１５のセンサユニットによって生成された紙幣の光学データおよび磁気データならびにＲＦＩＤリーダーによって読み取られたＲＦＩＤデータに基づいて、真正でかつ現に流通している紙幣で、１枚ずつ、その短辺が紙幣の搬送方向と平行になるように送られているが、汚損のレベルが所定レベルを超えていると判別された汚損紙幣は、搬送路１６、ゲート部材１８、搬送路１６、ゲート部材２３および分岐搬送路１９を介して、汚損紙幣一時貯留ボックス２８内に送られて、一時的に貯留される。
【０２２６】
また、紙幣判別部１５のセンサユニットによって生成された紙幣の光学データおよび磁気データならびにＲＦＩＤリーダーによって読み取られたＲＦＩＤデータに基づいて、真正でかつ現に流通している紙幣で、１枚ずつ、その短辺が紙幣の搬送方向と平行になるように送られていると判別された紙幣のうち、第一の金種の紙幣は、搬送路１６、ゲート部材１８、搬送路１６、ゲート部材２３、搬送路１６、ゲート部材２４および分岐搬送路２０を介して、第一の紙幣一時貯留ボックス２７ａ内に送られて、一時的に貯留され、第二の金種の紙幣は、搬送路１６、ゲート部材１８、搬送路１６、ゲート部材２３、搬送路１６、ゲート部材２４、搬送路１６、ゲート部材２５および分岐搬送路２１を介して、第二の紙幣一時貯留ボックス２７ｂ内に送られて、一時的に貯留される。
【０２２７】
一方、真正でかつ現に流通している紙幣で、１枚ずつ、その短辺が紙幣の搬送方向と平行になるように送られていると判別された紙幣のうち、第三の金種の紙幣は、搬送路１６、ゲート部材１８、搬送路１６、ゲート部材２３、搬送路１６、ゲート部材２４、搬送路１６、ゲート部材２５、搬送路１６、ゲート部材２６および分岐搬送路２２を介して、第三の紙幣一時貯留ボックス２７ｃ内に送られて、一時的に貯留され、第四の金種の紙幣は、搬送路１６、ゲート部材１８、搬送路１６、ゲート部材２３、搬送路１６、ゲート部材２４、搬送路１６、ゲート部材２５、搬送路１６、ゲート部材２６および搬送路１６を介して、第四の紙幣一時貯留ボックス２７ｄ内に送られて、一時的に貯留される。
【０２２８】
図９に示されるように、紙幣一時貯留ユニット２７の下方には、紙幣処理機に入金された紙幣を、金種別に収納する紙幣収納ユニット３０が設けられており、図１ないし図８に示された紙幣処理機と同様に、紙幣収納ユニット３０は、通常は、ロック部材（図示せず）によって、ロックされて、紙幣処理機に固定され、ロック部材によるロックが解除されたときは、スライドさせて、紙幣処理機から取り出し可能に構成されている。
【０２２９】
図９に示されるように、紙幣収納ユニット３０は、汚損紙幣一時貯留ボックス２８に一時的に貯留された汚損紙幣を収納する汚損紙幣収納ボックス３１と、第一の紙幣一時貯留ボックス２７ａ内に一時的に貯留された第一の金種の紙幣を収納する第一の紙幣収納ボックス３０ａと、第二の紙幣一時貯留ボックス２７ｂ内に一時的に貯留された第二の金種の紙幣を収納する第二の紙幣収納ボックス３０ｂと、第三の紙幣一時貯留ボックス２７ｃ内に一時的に貯留された第三の金種の紙幣を収納する第三の紙幣収納ボックス３０ｃと、第四の紙幣一時貯留ボックス２７ｄ内に一時的に貯留された第四の金種の紙幣を収納する第四の紙幣収納ボックス３０ｄとを備えている。
【０２３０】
本実施態様においても、図１ないし図８に示された紙幣処理機と同様に、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄは、それぞれ、紙幣収納ユニット３０に、取り外し可能に取り付けられている。
【０２３１】
本実施態様においても、第一の紙幣収納ボックス３０ａは、図２に示された第一の紙幣収納ボックス３０ａと同一の構造を有し、その内部に収納されている紙幣に形成されたインレット中のＩＣチップに記録された紙幣のＩＤデータ、紙幣の金種データなどのＲＦＩＤデータを読み取るＲＦＩＤリーダー３２ａと、ＲＦＩＤリーダー３２ａから発信される周波数の電波を遮蔽する性質を有する材料によって形成されたケーシング２００を備えている。
【０２３２】
また、汚損紙幣収納ボックス３１、第二の紙幣収納ボックス３０ｂ、第三の紙幣収納ボックス３０ｃおよび第四の紙幣収納ボックス３０ｄも、図１ないし図８に示された実施態様と同一の構造を有し、それぞれ、その内部に収納されている紙幣に形成されたインレット中のＩＣチップに記録された紙幣のＩＤデータ、紙幣の金種データなどのＲＦＩＤデータを読み取るＲＦＩＤリーダー３１ａ、ＲＦＩＤリーダー３２ｂ、ＲＦＩＤリーダー３２ｃおよびＲＦＩＤリーダー３２ｄと、ＲＦＩＤリーダー３１ａ、ＲＦＩＤリーダー３２ｂ、ＲＦＩＤリーダー３２ｃおよびＲＦＩＤリーダー３２ｄから発信される周波数の電波を遮蔽する性質を有する材料によって形成されたケーシング２００を備えている。
【０２３３】
図１ないし図８に示された実施態様と同様に、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄは、それぞれ、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄが紙幣処理機に取り付けられたときに開放されるシャッタ２１０を備えている。
【０２３４】
図１ないし図８に示された紙幣処理機と同様に、汚損紙幣一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄの底部は、シャッタによって構成され、シャッタを開放することによって、汚損紙幣一時貯留ボックス２８内に一時的に貯留された汚損紙幣、第一の紙幣一時貯留ボックス２７ａ内に一時的に貯留された第一の金種の紙幣、第二の紙幣一時貯留ボックス２７ｂ内に一時的に貯留された第二の金種の紙幣、第三の紙幣一時貯留ボックス２７ｃ内に一時的に貯留された第三の金種の紙幣および第四の紙幣一時貯留ボックス２７ｄ内に一時的に貯留された第四の金種の紙幣が、それぞれ、シャッタ２１０を介して、汚損紙幣収納ボックス３１、第一の紙幣収納ボックス３０ａ、第二の紙幣収納ボックス３０ｂ、第三の紙幣収納ボックス３０ｃおよび第四の紙幣収納ボックス３０ｄ内に送られて、収納されるように構成されている。
【０２３５】
また、図１ないし図８に示された紙幣処理機と同様に、第一の紙幣収納ボックス３０ａの下部には、第一の紙幣収納ボックス３０ａ内に収納された紙幣を、出金すべき紙幣として、１枚ずつ、出金紙幣搬送路３５内に繰り出す第一の紙幣繰り出し部３３ａが設けられ、第二の紙幣収納ボックス３０ｂの下部には、第二の紙幣収納ボックス３０ｂ内に収納された紙幣を、出金すべき紙幣として、１枚ずつ、出金紙幣搬送路３５内に繰り出す第二の紙幣繰り出し部３３ｂが設けられている。さらに、第三の紙幣収納ボックス３０ｃの下部には、第三の紙幣収納ボックス３０ｃ内に収納された紙幣を、出金すべき紙幣として、１枚ずつ、出金紙幣搬送路３５内に繰り出す第三の紙幣繰り出し部３３ｃが設けられ、第四の紙幣収納ボックス３０ｄの下部には、第四の紙幣収納ボックス３０ｄ内に収納された紙幣を、出金すべき紙幣として、１枚ずつ、出金紙幣搬送路３５内に繰り出す第四の紙幣繰り出し部３３ｄが設けられている。
【０２３６】
図１および図２に示された紙幣処理機と同様に、汚損紙幣収納ボックス３１内に収納された汚損紙幣は回収され、出金には利用されないため、汚損紙幣収納ボックス３１内に収納された汚損紙幣を、出金紙幣搬送路３５内に繰り出すための紙幣繰り出し部は設けられていない。
【０２３７】
図９に示されるように、出金紙幣搬送路３５には、第一の紙幣収納ボックス３０ａ、第二の紙幣収納ボックス３０ｂ、第三の紙幣収納ボックス３０ｃあるいは第四の紙幣収納ボックス３０ｄから繰り出された出金すべき紙幣を判別するとともに、出金すべき紙幣を金種別に計数する出金紙幣判別部４０が設けられている。
【０２３８】
出金紙幣判別部４０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、第一の紙幣収納ボックス３０ａ、第二の紙幣収納ボックス３０ｂ、第三の紙幣収納ボックス３０ｃあるいは第四の紙幣収納ボックス３０ｄから繰り出された出金すべき紙幣が、真正でかつ現に流通している紙幣か否か、真正でかつ現に流通している紙幣である場合は、その金種、紙幣が１枚ずつ送られているか否かならびに紙幣の短辺が紙幣の搬送方向と平行になるように送られているか否かを判別するための光学データおよび磁気データを生成するセンサユニット（図９には示されていない）と、出金すべき紙幣に形成されたインレット中のＩＣチップに記録された紙幣のＩＤデータ、紙幣の金種データなどのＲＦＩＤデータを読み取るＲＦＩＤリーダー（図９には示されていない）とを備えている。
【０２３９】
このように、出金紙幣判別部４０は、ＲＦＩＤリーダーを備えているため、ＲＦＩＤリーダーが出金紙幣判別部４０外に存在する紙幣のＲＦＩＤデータを読み取ることがないように、ＲＦＩＤリーダーから発信される周波数の電波を遮蔽する性質を有する材料によって形成されたケーシング４０ｃによって覆われている。
【０２４０】
図９に示されるように、出金紙幣判別部４０の下流側において、出金紙幣搬送路３５から、分岐搬送路４１が分岐し、分岐搬送路４１は、紙幣回収ボックス４３に接続されている。分岐搬送路４１の分岐部には、出金すべき紙幣を出金紙幣搬送路３５および分岐搬送路４１のいずれかに選択的に導くゲート部材４２が設けられている。
【０２４１】
出金紙幣判別部４０によって、偽造紙幣あるいは外国紙幣と判別された紙幣、２枚以上の紙幣の全部あるいは一部が重なり合って、送られていると判別された紙幣ならびに紙幣の短辺が紙幣の搬送方向と角度をなして送られていると判別された紙幣は、出金紙幣搬送路３５、ゲート部材４２および分岐搬送路４１を介して、紙幣回収ボックス４３内に送られて、回収されるように構成されている。
【０２４２】
紙幣回収ボックス４３内には、紙幣回収ボックス４３内に回収されている紙幣に形成されたインレット中のＩＣチップに記録された紙幣のＩＤデータ、紙幣の金種データなどのＲＦＩＤデータを読み取るＲＦＩＤリーダー（図９においては示されていない）が設けられている。
【０２４３】
また、紙幣回収ボックス４３は、紙幣回収ボックス４３内に設けられたＲＦＩＤリーダーが紙幣回収ボックス４３外に存在する紙幣のＲＦＩＤデータを読み取ることがないように、ＲＦＩＤリーダーから発信される周波数の電波を遮蔽する性質を有する材料によって形成されたケーシング４３ｂによって覆われている。
【０２４４】
さらに、図９に示されるように、分岐搬送路４１の分岐部の下流側において、出金紙幣搬送路３５から分岐し、第一の紙幣帯封機構２内に延びる接続搬送路４７が設けられており、接続搬送路４７の分岐部には、紙幣を出金紙幣搬送路３５および接続搬送路４７のいずれか一方に選択的に導くゲート部材４８が設けられている。
【０２４５】
真正でかつ現に流通している紙幣が、１枚ずつ、その短辺が紙幣の搬送方向と平行になるように送られている場合には、その紙幣は、出金紙幣判別部４０から、出金紙幣搬送路３５、ゲート部材４２、出金紙幣搬送路３５、ゲート部材４６、出金紙幣搬送路３５、ゲート部材４８および出金紙幣搬送路３５を介して、紙幣出金口１２に送られて、出金される。
【０２４６】
上述のように、本実施態様にかかる紙幣処理機の紙幣入出金機構１は、サブハウジング１０ａ内に設けられ、分岐搬送路４５の分岐部の下流側において、出金紙幣搬送路３５から分岐し、第一の紙幣帯封機構２内に延びる接続搬送路４７と、接続搬送路４７の分岐部に、紙幣を出金紙幣搬送路３５および接続搬送路４７のいずれか一方に選択的に導くゲート部材４８が設けられている点を除き、図１ないし図８に示された紙幣処理機と同じ構成を有している。
【０２４７】
図９に示されるように、接続搬送路４７を介して、紙幣入出金機構１と接続された第一の紙幣帯封機構２は、サブハウジング１０ｂ内に収容され、所定枚数の紙幣を集積して、集積紙幣を生成する第一の紙幣集積ボックス８１および所定枚数の紙幣を集積して、集積紙幣を生成する第二の紙幣集積ボックス８２を備えた第一の紙幣帯封ユニット８０を備えている。本実施態様においては、第一の紙幣集積ボックス８１および第二の紙幣集積ボックス８２は、それぞれ、１００枚の紙幣を集積可能に構成されている。
【０２４８】
接続搬送路４７は、第一の紙幣帯封機構２内において、第一の分岐搬送路８３および第二の分岐搬送路８４に分岐し、第一の分岐搬送路８３は、第一の紙幣集積ボックス８１に接続され、第二の分岐搬送路８４は、第二の紙幣集積ボックス８２に接続されている。
【０２４９】
図９に示されるように、第一の分岐搬送路８３と第二の分岐搬送路８４の分岐部には、ゲート部材８５が設けられている。
【０２５０】
図９に示されるように、第一の紙幣帯封機構２の第一の紙幣帯封ユニット８０は、第一の紙幣集積ボックス８１および第二の紙幣集積ボックス８２の出口に隣接して、上下方向に移動可能な紙幣保持手段８６を備えている。紙幣保持手段８６は、一対の挟持部材８６ａ、８６ｂを備えている。
【０２５１】
図９に示されるように、第一の紙幣帯封機構２の第一の紙幣帯封ユニット８０は、さらに、紙幣保持手段８６によって挟持された１００枚の集積紙幣に向けて、ＩＣチップとアンテナを含むインレット（図示せず）が所定の間隔で形成された結束テープＴ１を供給する結束テープ供給部材８７と、結束テープ供給部材８７によって供給された結束テープＴ１を、紙幣保持手段８６の一対の挟持部材８６ａ、８６ｂによって挟持された１００枚の集積紙幣の略中央部に巻き付けて、帯封をし、第一の所定数に等しい枚数、たとえば、１００枚の紙幣を含む単位紙幣束を生成する巻き付け手段（図示せず）を備え、さらに、結束テープ供給部材８７の近傍には、結束テープＴ１に形成されたインレット内のＩＣチップに、結束テープＴ１を巻き付けて、生成されるべき単位紙幣束に含まれる紙幣のＩＤデータ、金種データなどの単位紙幣束を構成する紙幣に関するＲＦＩＤデータならびに帯封処理を施した紙幣の枚数、帯封処理を施した日時、帯封処理を施した金融機関名、帯封処理の実行者などの帯封処理に関するＲＦＩＤデータを書き込むＲＦＩＤライター８８が設けられている。
【０２５２】
インレットを結束テープＴ１に形成する方法としては、結束テープＴ１用の紙を抄く際に、結束テープＴ１用の紙にインレットを埋め込む方法、結束テープＴ１にインレットを貼り付ける方法、結束テープＴ１にインレットを印刷する方法などが挙げられるが、とくに限定されるものではない。
【０２５３】
第一の紙幣帯封ユニット８０の第一の紙幣集積ボックス８１および第二の紙幣集積ボックス８２、紙幣保持手段８６、巻き付け手段、ＲＦＩＤライター８８およびＲＦＩＤライター８８の近傍の結束テープＴ１の搬送路は、結束テープＴ１に形成されたインレット内のＩＣチップにＲＦＩＤデータを書き込む際に、ＲＦＩＤライター８８から発信される周波数の電波を遮蔽する材料によって形成されたケーシング８９によって覆われている。
【０２５４】
図９に示されるように、第一の紙幣帯封機構２は、第一の紙幣帯封ユニット８０の下方に、紙幣束収納ユニット９０を備えている。紙幣束収納ユニット９０は、通常は、ロック部材（図示せず）によって、ロックされて、紙幣処理機に固定され、ロック部材によるロックが解除されたときは、スライドさせて、紙幣処理機から取り出し可能に構成されている。
【０２５５】
図９に示されるように、紙幣束収納ユニット９０は、第一の金種の単位紙幣束を収納する第一の紙幣束収納ボックス９０ａと、第二の金種の単位紙幣束を収納する第二の紙幣束収納ボックス９０ｂと、第三の金種の単位紙幣束を収納する第三の紙幣束収納ボックス９０ｃと、第四の金種の単位紙幣束を収納する第四の紙幣束収納ボックス９０ｄを備えており、第一の紙幣帯封ユニット８０によって生成された単位紙幣束は、金種にしたがって、紙幣束搬送機構９１によって、第一の紙幣束収納ボックス９０ａ、第二の紙幣束収納ボックス９０ｂ、第三の紙幣束収納ボックス９０ｃおよび第四の紙幣束収納ボックス９０ｄのいずれかに選択的に送られて、収納されるように構成されている。
【０２５６】
第一の紙幣束収納ボックス９０ａ、第二の紙幣束収納ボックス９０ｂ、第三の紙幣束収納ボックス９０ｃおよび第四の紙幣束収納ボックス９０ｄは、それぞれ、図２に示された第一の紙幣収納ボックス３０ａと同一の構造を有し、その内部に収納されている紙幣に形成されたインレット中のＩＣチップに記録された紙幣のＩＤデータ、紙幣の金種データなどのＲＦＩＤデータを読み取るＲＦＩＤリーダー（図９においては図示していない）と、紙幣処理機に取り付けられたときに、紙幣処理機の接続ターミナル（図示せず）と接続可能に構成された接続ターミナル２１５を備えている。
【０２５７】
また、第一の紙幣束収納ボックス９０ａ、第二の紙幣束収納ボックス９０ｂ、第三の紙幣束収納ボックス９０ｃおよび第四の紙幣束収納ボックス９０ｄは、それぞれ、その内部に設けられたＲＦＩＤリーダーが、その内部に収納された紙幣のみのＲＦＩＤデータを選択的に読み取り可能なように、ＲＦＩＤリーダーから発信される周波数の電波を遮蔽する性質を有する材料によって形成されたケーシングを備えている。
【０２５８】
図９に示されるように、第一の紙幣束収納ボックス９０ａの下部には、第一の紙幣束収納ボックス９０ａ内に収納された単位紙幣束を、１つずつ、紙幣束搬送路９２に繰り出す第一の紙幣束繰り出し部９３ａが設けられ、第二の紙幣束収納ボックス９０ｂの下部には、第二の紙幣束収納ボックス９０ｂ内に収納された単位紙幣束を、１つずつ、紙幣束搬送路９２に繰り出す第二の紙幣束繰り出し部９３ｂが設けられている。さらに、第三の紙幣束収納ボックス９０ｃの下部には、第三の紙幣束収納ボックス９０ｃ内に収納された単位紙幣束を、１つずつ、紙幣束搬送路９２に繰り出す第三の紙幣束繰り出し部９３ｃが設けられ、第四の紙幣束収納ボックス９０ｄの下部には、第四の紙幣束収納ボックス９０ｄ内に収納された単位紙幣束を、１つずつ、紙幣束搬送路９２に繰り出す第四の紙幣束繰り出し部９３ｄが設けられている。
【０２５９】
図９に示されるように、紙幣束搬送路９２は、紙幣束出金搬送路９５および第二の紙幣帯封機構３内に延びる接続搬送路９６に分岐しており、紙幣束出金搬送路９５および接続搬送路９６の分岐部には、紙幣束搬送路９２を、紙幣束出金搬送路９５および接続搬送路９６の一方に選択的に接続するゲート部材９７が設けられている。
【０２６０】
紙幣束出金搬送路９５は、ハウジング１０ｂの上部に設けられた紙幣束出金口９８に接続され、紙幣束出金搬送路９５には、紙幣束検出部９９が設けられている。
【０２６１】
図９に示されるように、紙幣束検出部９９は、ＲＦＩＤリーダー（図示せず）を備え、ＲＦＩＤリーダーから発信される周波数の電波を遮蔽する性質を有する材料によって形成されたケーシング９９ｂによって覆われている。
【０２６２】
第二の紙幣帯封機構３は、第一の所定数に等しい枚数の紙幣、たとえば、１００枚の紙幣に帯封が付された単位紙幣束を、第二の所定数に等しい数、たとえば、１０束だけ、束ねて、帯封を付し、単位紙幣束が積層された紙幣束を作成するものであり、図９に示されるように、接続搬送路９６を介して、第一の紙幣帯封機構２と接続され、サブハウジング１０ｃ内に収容されている。
【０２６３】
また、図９に示されるように、サブハウジング１０ｃの紙幣入出金機構１と反対側の側部には、第一の所定数に等しい枚数の紙幣、たとえば、１００枚の紙幣に、ＩＣチップとアンテナを含むインレットが形成された結束テープＴ１が巻き付けられて、帯封が付された単位紙幣束が投入される紙幣束入金口１００と、第二の所定数に等しい数の単位紙幣束が積層され、結束テープが巻き付けられて、帯封がされた紙幣束が出金される紙幣束出金口１０１が設けられている。
【０２６４】
したがって、本実施態様にかかる第二の紙幣帯封機構３は、第一の紙幣帯封機構２によって生成された単位紙幣束を、第二の所定数に等しい数だけ、束ねて、帯封を付し、単位紙幣束が積層された紙幣束を作成可能であるとともに、紙幣束入金口１００から投入された単位紙幣束を、第二の所定数に等しい数だけ、束ねて、帯封を付し、単位紙幣束が積層された紙幣束を作成可能に構成されている。
【０２６５】
図９に示されるように、接続搬送路９６と、紙幣束入金口１００に接続された入金紙幣束搬送路１０２とは、紙幣束搬送路１０３に合流し、紙幣束搬送路１０３は、データ読み取り部１０５に接続されている。データ読み取り部１０５は、単位紙幣束に巻き付けられた結束テープＴ１に形成されているインレット内のＩＣチップに書き込まれたＲＦＩＤデータを読み取る第一のＲＦＩＤリーダー（図示せず）と、単位紙幣束に含まれた紙幣に形成されているインレット内のＩＣチップに書き込まれたＲＦＩＤデータを読み取る第二のＲＦＩＤリーダー（図示せず）を備え、第一のＲＦＩＤリーダーおよび第二のＲＦＩＤリーダーから発信される周波数の電波を遮蔽する材料によって形成されたケーシング１０５ｃによって覆われている。
【０２６６】
図９に示されるように、第二の紙幣帯封機構３は、さらに、紙幣束搬送路１０３を介して、データ読み取り部１０５に接続された第二の紙幣帯封ユニット１１０を備えている。
【０２６７】
第二の紙幣帯封機構３の第二の紙幣帯封ユニット１１０は、第一の所定数に等しい枚数の紙幣、たとえば、１００枚の紙幣に、ＩＣチップとアンテナを含むインレットが形成された結束テープＴ１が巻き付けられて、帯封が付された単位紙幣束を、第二の所定数に等しい数だけ、たとえば、１０束だけ、集積させる紙幣束集積手段１１１と、一対の挟持部材（図示せず）を備え、紙幣束集積手段１１１によって集積された第二の所定数に等しい数の単位紙幣束を、一対の挟持部材の間に挟持する紙幣束保持部材１１２と、紙幣束保持部材１１２によって挟持された第二の所定数に等しい数の単位紙幣束にＩＣチップとアンテナを含むインレットが所定の間隔で形成された結束テープＴ２を供給する結束テープ供給部材１１３と、結束テープ供給部材１１３によって供給された結束テープＴ２を、紙幣束保持部材１１２によって挟持された第二の所定数に等しい数の単位紙幣束の略中央部に巻き付けて、帯封を付す巻き付け手段１１４と、第二の所定数に等しい数の単位紙幣に巻き付けられるべき結束テープＴ２に形成されたインレット内のＩＣチップに、生成されるべき紙幣束に含まれる紙幣のＩＤデータ、金種データなどの紙幣束を構成する紙幣に関するＲＦＩＤデータならびに帯封処理を施した紙幣の枚数、帯封処理を施した日時、帯封処理を施した金融機関名、帯封処理の実行者などの帯封処理に関するＲＦＩＤデータを書き込むＲＦＩＤライター１１５を備えている。
【０２６８】
インレットを結束テープＴ２に形成する方法としては、結束テープＴ２用の紙を抄く際に、インレットを結束テープＴ２用の紙に埋め込む方法、結束テープＴ２にインレットを貼り付ける方法、結束テープＴ２にインレットを印刷する方法などが挙げられるが、とくに限定されるものではない。
【０２６９】
第二の紙幣帯封ユニット１１０の紙幣束集積手段１１１、紙幣束保持部材１１２、巻き付け手段１１４、ＲＦＩＤライター１１５およびＲＦＩＤライター１１５の近傍の結束テープＴ２の搬送路は、結束テープＴ２に形成されたインレット内のＩＣチップにＲＦＩＤデータを書き込む際に、ＲＦＩＤライター１１５から発信される周波数の電波を遮蔽する材料によって形成されたケーシング１１６によって覆われている。
【０２７０】
図９に示されるように、第二の紙幣帯封ユニット１１０は、紙幣束搬送路１１７を介して、紙幣束出金口１０１に接続されており、第二の紙幣帯封ユニット１１０によって、第一の所定数に等しい枚数の紙幣、たとえば、１００枚の紙幣に帯封が付された単位紙幣束を、第二の所定数に等しい数、たとえば、１０束だけ、束ねて、帯封を付して生成された紙幣束は、紙幣束出金口１０１から出金されるように構成されている。
【０２７１】
図１０は、図９に示された紙幣処理機の制御系、検出系、駆動系、入力系および表示系を示すブロックダイアグラムである。
【０２７２】
図１０に示されるように、本実施態様にかかる紙幣処理機の制御系は、紙幣処理機の動作を制御するＣＰＵ５０と、紙幣入出金機の制御プログラムなどが格納されたＲＯＭ５１と、各種データを記憶するＲＡＭ５２と、時計５３を備えている。
【０２７３】
ここに、ＲＡＭ５２には、紙幣処理機が設置されている金融機関名、支店名、紙幣処理機のＩＤデータなどの紙幣処理機に関するデータが記憶されている。
【０２７４】
また、図１０に示されるように、ＣＰＵ５０は、紙幣束に帯封処理を施す権限を有する金融機関によって、共同管理されている中央管理サーバ５４に接続されており、中央管理サーバ５４には、各金融機関が、所定枚数の紙幣に、結束テープを巻回して、帯封をし、紙幣束を生成する際に、結束テープに形成されたインレット内のＩＣチップに書き込んだ帯封処理に関するデータが記憶されている。
【０２７５】
図１０に示されるように、本実施態様にかかる紙幣処理機の検出系は、紙幣入出金機構１の検出系１５１、第一の紙幣帯封機構２の検出系１５２および第二の紙幣帯封機構３の検出系１５３を備えている。
【０２７６】
図１１は、紙幣入出金機構１の検出系１５１、第一の紙幣帯封機構２の検出系１５２および第二の紙幣帯封機構３の検出系１５３のブロックダイアグラムである。
【０２７７】
図１１に示されるように、紙幣入出金機構１の検出系１５１は、図１および図２に示された紙幣入出金機の検出系と同様に、紙幣判別部１５および出金紙幣判別部４０を備えている。紙幣判別部１５は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するための光学データおよび磁気データを生成するセンサユニット１５ａと、紙幣に形成されたインレット中のＩＣチップに記録された紙幣のＩＤデータ、紙幣の金種データなどのＲＦＩＤデータを読み取るＲＦＩＤリーダー１５ｂとを備えている。また、出金紙幣判別部４０も、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、出金すべき紙幣が、真正でかつ現に流通している紙幣か否か、真正でかつ現に流通している紙幣である場合は、その金種、紙幣が１枚ずつ送られているか否かならびに紙幣の短辺が紙幣の搬送方向と平行になるように送られているか否かを判別するための光学データおよび磁気データを生成するセンサユニット４０ａと、出金すべき紙幣に形成されたインレット中のＩＣチップに記録された紙幣のＩＤデータ、紙幣の金種データなどのＲＦＩＤデータを読み取るＲＦＩＤリーダー４０ｂとを備えている。
【０２７８】
図１１に示されるように、本実施態様にかかる紙幣処理機の紙幣入出金機構１の検出系１５１は、さらに、紙幣回収ボックス４３内に設けられ、紙幣回収ボックス４３内に回収された紙幣に形成されたインレット中のＩＣチップに記録された紙幣のＩＤデータ、紙幣の金種データなどのＲＦＩＤデータを読み取るＲＦＩＤリーダー４３ａとを備えている。
【０２７９】
図１１に示されるように、第一の紙幣帯封機構２の検出系１５２は、紙幣束出金搬送路９５に設けられたＲＦＩＤリーダー９９ａを備えた紙幣束検出部９９を備えている。
【０２８０】
図１１に示されるように、第二の紙幣帯封機構３の検出系１５３は、データ読み取り部１０５を備え、データ読み取り部１０５は、単位紙幣束に巻き付けられた結束テープＴ１に形成されているインレット内のＩＣチップに書き込まれたＲＦＩＤデータを読み取る第一のＲＦＩＤリーダー１０５ａと、単位紙幣束に含まれた紙幣に形成されているインレット内のＩＣチップに書き込まれたＲＦＩＤデータを読み取る第二のＲＦＩＤリーダー１０５ｂを備えている。
【０２８１】
図１０に示されるように、本実施態様にかかる紙幣処理機の駆動系は、紙幣入出金機構１の駆動系１６１、第一の紙幣帯封機構２の駆動系１６２および第二の紙幣帯封機構３の駆動系１６３を備えている。
【０２８２】
図１２は、図９に示された紙幣処理機の紙幣入出金機構１の駆動系１６１を示すブロックダイアグラムである。
【０２８３】
図１２に示されるように、紙幣入出金機構１の駆動系１６１は、図１ないし図８に示された紙幣入出金機の駆動系を同様に、ゲート部材１８を駆動するソレノイド５６と、ゲート部材２３を駆動するソレノイド５７と、ゲート部材２４を選択的に駆動するソレノイド５８と、ゲート部材２５を駆動するソレノイド５９と、ゲート部材２６を駆動するソレノイド６０と、ゲート部材４２を駆動するソレノイド６１と、汚損紙幣一時貯留ボックス２８の底部を構成するシャッタを駆動するソレノイド６５と、第一の紙幣一時貯留ボックス２７ａの底部を構成するシャッタを駆動するソレノイド６６と、第二の紙幣一時貯留ボックス２７ｂの底部を構成するシャッタを駆動するソレノイド６７と、第三の紙幣一時貯留ボックス２７ｃの底部を構成するシャッタを駆動するソレノイド６８と、第四の紙幣一時貯留ボックス２７ｄの底部を構成するシャッタを駆動するソレノイド６９と、第一の紙幣収納ボックス３０ａの下部に設けられ、第一の紙幣収納ボックス３０ａ内に収納された紙幣を、出金すべき紙幣として、１枚ずつ、出金紙幣搬送路３５内に繰り出す第一の紙幣繰り出し部３３ａと、第二の紙幣収納ボックス３０ｂの下部に設けられ、第二の紙幣収納ボックス３０ｂ内に収納された紙幣を、出金すべき紙幣として、１枚ずつ、出金紙幣搬送路３５内に繰り出す第二の紙幣繰り出し部３３ｂと、第三の紙幣収納ボックス３０ｃの下部に設けられ、第三の紙幣収納ボックス３０ｃ内に収納された紙幣を、出金すべき紙幣として、１枚ずつ、出金紙幣搬送路３５内に繰り出す第三の紙幣繰り出し部３３ｃと、第四の紙幣収納ボックス３０ｄの下部に設けられ、第四の紙幣収納ボックス３０ｄ内に収納された紙幣を、出金すべき紙幣として、１枚ずつ、出金紙幣搬送路３５内に繰り出す第四の紙幣繰り出し部３３ｄとを備えている。
【０２８４】
図１２に示されるように、紙幣入出金機構１の駆動系１６１は、さらに、紙幣入出金機構１の搬送路１４、搬送路１６、分岐搬送路１７、分岐搬送路１９、分岐搬送路２０、分岐搬送路２１、分岐搬送路２２、出金紙幣搬送路３５ならびに分岐搬送路４１に設けられた搬送ローラ（図示せず）を駆動するローラ駆動手段５５ａと、紙幣入出金機構１と第一の紙幣帯封機構２を接続する接続搬送路４７、紙幣束搬送路９２および紙幣束出金搬送路９５に設けられた搬送ローラ（図示せず）を駆動するローラ駆動手段５５ｂと、第一の紙幣帯封機構２と第二の紙幣帯封機構３を接続する接続搬送路９６、入金紙幣束搬送路１０２、紙幣束搬送路１０３および紙幣束搬送路１１７に設けられた搬送ローラ（図示せず）を駆動するローラ駆動手段５５ｃと、ゲート部材４８を駆動するソレノイド６３を備えている。
【０２８５】
図１３は、図９に示された紙幣処理機の第一の紙幣帯封機構２の駆動系１６２を示すブロックダイアグラムである。
【０２８６】
図１３に示されるように、第一の紙幣帯封機構２の駆動系１６２は、ゲート部材８５を駆動するソレノイド１２０と、第一の紙幣帯封ユニット８０の第一の紙幣集積ボックス８１内に集積された紙幣を送り出す第一の集積紙幣送り出し手段１２１と、第一の紙幣帯封ユニット８０の第二の紙幣集積ボックス８２内に集積された紙幣を送り出す第二の集積紙幣送り出し手段１２２と、第一の紙幣帯封ユニット８０の紙幣保持手段８６を上下方向に移動させるモータ１２３と、第一の紙幣帯封ユニット８０の紙幣保持手段８６の一対の挟持部材８６ａ、８６ｂを相対的に移動させるモータ１２４と、第一の紙幣帯封ユニット８０の結束テープ供給部材８７を駆動するモータ１２５と、第一の紙幣帯封ユニット８０の巻き付け手段（図示せず）を駆動する巻き付けモータ１２６と、第一の紙幣帯封ユニット８０のＲＦＩＤライター８８を駆動するＲＦＩＤライター駆動手段１２７と、紙幣束搬送機構９１を駆動する紙幣束搬送機構駆動手段１２８と、第一の紙幣束収納ボックス９０ａ内に収納された単位紙幣束を、１つずつ、紙幣束搬送路９２に繰り出す第一の紙幣束繰り出し部９３ａと、第二の紙幣束収納ボックス９０ｂ内に収納された単位紙幣束を、１つずつ、紙幣束搬送路９２に繰り出す第二の紙幣束繰り出し部９３ｂと、第三の紙幣束収納ボックス９０ｃ内に収納された単位紙幣束を、１つずつ、紙幣束搬送路９２に繰り出す第三の繰り出し部９３ｃと、第四の紙幣束収納ボックス９０ｄ内に収納された単位紙幣束を、１つずつ、紙幣束搬送路９２に繰り出す第四の紙幣束繰り出し部９３ｄと、第一の紙幣帯封機構２に設けられたゲート部材９７を駆動するソレノイド１２９を備えている。
【０２８７】
図１４は、図９に示された紙幣処理機の第二の紙幣帯封機構３の駆動系１６３を示すブロックダイアグラムである。
【０２８８】
図１４に示されるように、第二の紙幣帯封機構３の駆動系１６３は、第二の紙幣帯封ユニット１１０の紙幣束集積手段１１１内で集積された第二の所定数に等しい数の単位紙幣束を、紙幣束保持手段１１２に向けて、送り出す紙幣束送り出し手段１３０と、第二の紙幣帯封ユニット１１０の紙幣束保持手段１１２の一対の挟持部材を相対的に移動させるモータ１３１と、第二の紙幣帯封ユニット１１０の結束テープ供給部材１１３を駆動するモータ１３２と、第二の紙幣帯封ユニット１１０の巻き付け手段１１４を駆動する巻き付けモータ１３３と、第二の紙幣帯封ユニット１１０のＲＦＩＤライター１１５を駆動するＲＦＩＤライター駆動手段１３５とを備えている。
【０２８９】
図１０に示されるように、本実施態様にかかる紙幣処理機の入力系は、オペレータによって操作され、種々の指示信号が入力されるキーボード７５を備えており、紙幣処理機の表示系は、紙幣の計数結果などを表示するディスプレイ７７を備えている。
【０２９０】
図１０に示されるように、紙幣処理機は、さらに、複数の接続ターミナル２２０を備え、紙幣処理機の複数の接続ターミナル２２０に、紙幣入出金機構１に設けられた汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄの接続ターミナル２１５が接続されており、ＣＰＵ５０には、接続ターミナル２２０および接続ターミナル２１５を介して、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄの制御系が接続されている。図１０においては、簡易化のため、紙幣入出金機構１に設けられた１つの紙幣収納ボックスの接続ターミナル２１５に接続された１つの接続ターミナル２２０のみが図示されている。
【０２９１】
ここに、第一の紙幣収納ボックス３０ａの制御系、検出系、駆動系、入力系および表示系、第二の紙幣収納ボックス３０ｂの制御系、検出系、駆動系、入力系および表示系、第三の紙幣収納ボックス３０ｃの制御系、検出系、駆動系、入力系および表示系、第四の紙幣収納ボックス３０ｄの制御系、検出系、駆動系、入力系および表示系ならびに汚損紙幣収納ボックス３１の制御系、検出系、駆動系、入力系および表示系は、それぞれ、図４、図５、図６、図７および図８に示されたのと同様の構成を有している。
【０２９２】
図１０に示されるように、紙幣処理機の複数の接続ターミナル２２０には、さらに、第一の紙幣帯封機構２に設けられた第一の紙幣束収納ボックス９０ａ、第二の紙幣束収納ボックス９０ｂ、第三の紙幣束収納ボックス９０ｃおよび第四の紙幣束収納ボックス９０ｄの接続ターミナル２１５が接続され、ＣＰＵ５０には、接続ターミナル２２０および接続ターミナル２１５を介して、第一の紙幣束収納ボックス９０ａ、第二の紙幣束収納ボックス９０ｂ、第三の紙幣束収納ボックス９０ｃおよび第四の紙幣束収納ボックス９０ｄの制御系が接続されている。図１０においては、簡易化のため、第一の紙幣帯封機構２に設けられた１つの紙幣束収納ボックスの接続ターミナル２１５に接続された１つの接続ターミナル２２０のみが図示されている。
【０２９３】
図１５は、第一の紙幣束収納ボックス９０ａの制御系、検出系、駆動系、入力系および表示系のブロックダイアグラムである。
【０２９４】
図１５に示されるように、第一の紙幣束収納ボックス９０ａの制御系は、第一の紙幣束収納ボックス９０ａの動作を制御するコントローラ３００ａと、第一の紙幣束収納ボックス９０ａの制御プログラムなどが格納されたＲＯＭ３０１ａと、各種データを記憶するＲＡＭ３０２ａを備えており、第一の紙幣束収納ボックス９０ａの検出系は、第一の紙幣束収納ボックス９０ａ内に収納された紙幣束を構成する紙幣に形成されたインレット中のＩＣチップに記録された紙幣のＩＤデータ、紙幣の金種データなどのＲＦＩＤデータを読み取るＲＦＩＤリーダー３５０ａを備えている。
【０２９５】
また、図１５に示されるように、第一の紙幣束収納ボックス９０ａの駆動系は、シャッター２１０を開くシャッタソレノイド３０５ａを備えている。
【０２９６】
さらに、図１５に示されるように、第一の紙幣束収納ボックス９０ａの入力系は、電源スイッチ２１１と、ディスプレイスイッチ２１３を備え、第一の紙幣束収納ボックス９０ａの表示系は、ディスプレイ２１２を備えている。
【０２９７】
図１６は、第二の紙幣束収納ボックス９０ｂの制御系、検出系、駆動系、入力系および表示系のブロックダイアグラムである。
【０２９８】
図１６に示されるように、第二の紙幣束収納ボックス９０ｂの制御系は、第二の紙幣束収納ボックス９０ｂの動作を制御するコントローラ３００ｂと、第二の紙幣束収納ボックス９０ｂの制御プログラムなどが格納されたＲＯＭ３０１ｂと、各種データを記憶するＲＡＭ３０２ｂを備えており、第二の紙幣束収納ボックス９０ｂの検出系は、第二の紙幣束収納ボックス９０ｂ内に収納された紙幣束を構成する紙幣に形成されたインレット中のＩＣチップに記録された紙幣のＩＤデータ、紙幣の金種データなどのＲＦＩＤデータを読み取るＲＦＩＤリーダー３５０ｂを備えている。
【０２９９】
また、図１６に示されるように、第二の紙幣束収納ボックス９０ｂの駆動系は、シャッター２１０を開くシャッタソレノイド３０５ｂを備えている。
【０３００】
さらに、図１６に示されるように、第二の紙幣束収納ボックス９０ｂの入力系は、電源スイッチ２１１と、ディスプレイスイッチ２１３を備え、第二の紙幣束収納ボックス９０ｂの表示系は、ディスプレイ２１２を備えている。
【０３０１】
図１７は、第三の紙幣束収納ボックス９０ｃの制御系、検出系、駆動系、入力系および表示系のブロックダイアグラムである。
【０３０２】
図１７に示されるように、第三の紙幣束収納ボックス９０ｃの制御系は、第三の紙幣束収納ボックス９０ｃの動作を制御するコントローラ３００ｃと、第三の紙幣束収納ボックス９０ｃの制御プログラムなどが格納されたＲＯＭ３０１ｃと、各種データを記憶するＲＡＭ３０２ｃを備えており、第三の紙幣束収納ボックス９０ｃの検出系は、第三の紙幣束収納ボックス９０ｃ内に収納された紙幣束を構成する紙幣に形成されたインレット中のＩＣチップに記録された紙幣のＩＤデータ、紙幣の金種データなどのＲＦＩＤデータを読み取るＲＦＩＤリーダー３５０ｃを備えている。
【０３０３】
また、図１７に示されるように、第三の紙幣束収納ボックス９０ｃの駆動系は、シャッター２１０を開くシャッタソレノイド３０５ｃを備えている。
【０３０４】
さらに、図１７に示されるように、第三の紙幣束収納ボックス９０ｃの入力系は、電源スイッチ２１１と、ディスプレイスイッチ２１３を備え、第三の紙幣束収納ボックス９０ｃの表示系は、ディスプレイ２１２を備えている。
【０３０５】
図１８は、第四の紙幣束収納ボックス９０ｄの制御系、検出系、駆動系、入力系および表示系のブロックダイアグラムである。
【０３０６】
図１８に示されるように、第四の紙幣束収納ボックス９０ｄの制御系は、第四の紙幣束収納ボックス９０ｄの動作を制御するコントローラ３００ｄと、第四の紙幣束収納ボックス９０ｄの制御プログラムなどが格納されたＲＯＭ３０１ｄと、各種データを記憶するＲＡＭ３０２ｄを備えており、第四の紙幣束収納ボックス９０ｄの検出系は、第四の紙幣束収納ボックス９０ｄ内に収納された紙幣束を構成する紙幣に形成されたインレット中のＩＣチップに記録された紙幣のＩＤデータ、紙幣の金種データなどのＲＦＩＤデータを読み取るＲＦＩＤリーダー３５０ｄを備えている。
【０３０７】
また、図１８に示されるように、第四の紙幣束収納ボックス９０ｄｃの駆動系は、シャッター２１０を開くシャッタソレノイド３０５ｄを備えている。
【０３０８】
さらに、図１８に示されるように、第四の紙幣束収納ボックス９０ｄの入力系は、電源スイッチ２１１と、ディスプレイスイッチ２１３を備え、第四の紙幣束収納ボックス９０ｄの表示系は、ディスプレイ２１２を備えている。
【０３０９】
以上のように構成された本実施態様にかかる紙幣処理機に、紙幣を入金する場合は、図１ないし図８に示された紙幣処理機と同様にして、紙幣入金口１１から、紙幣が投入され、金種別に、紙幣入出金機構１の第一の紙幣収納ボックス３０ａ、第二の紙幣収納ボックス３０ｂ、第三の紙幣収納ボックス３０ｃおよび第四の紙幣収納ボックス３０ｄ内に収納される。
【０３１０】
また、本実施態様にかかる紙幣処理機から、紙幣を出金する場合においても、図１ないし図８に示された紙幣処理機と同様にして、紙幣入出金機構１の第一の紙幣収納ボックス３０ａ、第二の紙幣収納ボックス３０ｂ、第三の紙幣収納ボックス３０ｃおよび／または第四の紙幣収納ボックス３０ｄから、紙幣が１枚ずつ、繰り出され、紙幣出金口１２に出金される。
【０３１１】
この際、紙幣入出金機構１の第一の紙幣収納ボックス３０ａ、第二の紙幣収納ボックス３０ｂ、第三の紙幣収納ボックス３０ｃおよび第四の紙幣収納ボックス３０ｄから繰り出された出金すべき紙幣で、出金紙幣判別部４０によって検出されたデータに基づいて、偽造紙幣、外国紙幣などの流通していない紙幣と判別された紙幣、２枚以上の紙幣の全部あるいは一部が重なり合って、搬送されていると判別された紙幣ならびにその短辺が紙幣の搬送方向と角度をなして搬送されていると判別された紙幣は、紙幣回収ボックス４３内に導かれて、回収される。
【０３１２】
これに対して、第一の紙幣帯封機構２を用いて、紙幣入出金機構１の第一の紙幣収納ボックス３０ａ、第二の紙幣収納ボックス３０ｂ、第三の紙幣収納ボックス３０ｃおよび／または第四の紙幣収納ボックス３０ｄに収納された紙幣の単位紙幣束を生成する場合には、まず、オペレータによって、単位紙幣束を生成すべき紙幣の金種および単位紙幣束に含まれるべき紙幣の枚数を特定するとともに、生成すべき単位紙幣束の数を特定する第一の紙幣束データと、第一の紙幣束生成信号とが、キーボード７５に入力される。同時に、オペレータによって、金融機関名、支店名、紙幣処理機のＩＤデータならびにオペレータの名前などの帯封処理に関するデータがキーボード７５に入力される。
【０３１３】
オペレータによって入力された第一の紙幣束データおよび帯封処理に関するデータならびに第一の紙幣束生成信号はＣＰＵ５０に出力され、オペレータによって入力された第一の紙幣束データおよび帯封処理に関するデータならびに第一の紙幣束生成信号を受けると、ＣＰＵ５０は、オペレータによって入力された第一の紙幣束生成データおよび帯封処理に関するデータを、ＲＡＭ５２の第一の紙幣帯封機構２を管理するデータを格納するメモリ領域に書き込むとともに、ゲート部材４８を駆動するソレノイド６３に駆動信号を出力して、出金紙幣搬送路３５と接続搬送路４７とを連通させ、さらに、ローラ駆動手段５５ｂに駆動信号を出力して、紙幣入出金機構１と第一の紙幣帯封機構２を接続する接続搬送路４７、紙幣束搬送路９２および紙幣束出金搬送路９５に設けられた搬送ローラ（図示せず）を駆動する点を除き、図１および図２に示された紙幣処理機において、出金データと出金信号が入力された場合と同様にして、紙幣入出金機構１の第一の紙幣収納ボックス３０ａ、第二の紙幣収納ボックス３０ｂ、第三の紙幣収納ボックス３０ｃあるいは第四の紙幣収納ボックス３０ｄから、出金紙幣搬送路３５内に、１枚ずつ、紙幣を繰り出す。
【０３１４】
第一の紙幣収納ボックス３０ａ、第二の紙幣収納ボックス３０ｂ、第三の紙幣収納ボックス３０ｃあるいは第四の紙幣収納ボックス３０ｄから繰り出され、出金紙幣判別部４０によって検出されたデータに基づいて、真正でかつ現に流通している紙幣で、１枚ずつ、その短辺が紙幣の搬送方向と平行になるように送られていると判別された紙幣は、出金紙幣搬送路３５、ゲート部材４２、出金紙幣搬送路３５、ゲート部材４６および出金紙幣搬送路３５を介して、出金紙幣搬送路３５と接続搬送路４７の分岐部に送られる。
【０３１５】
この際、ＣＰＵ５０は、出金紙幣判別部４０から入力された紙幣の光学データ、磁気データおよびＲＦＩＤデータに基づいて、出金紙幣搬送路３５と接続搬送路４７の分岐部に送られた金種の紙幣の枚数を管理するためのデータを格納するメモリ領域に書き込まれた紙幣の計数データを書き換えるとともに、ＲＡＭ５２の第一の紙幣帯封機構２を管理するデータを格納するメモリ領域に、紙幣入出金機構１から、第一の紙幣帯封機構２に送られた紙幣のＩＤデータ、金種データおよび金種別の枚数データを書き込む。
【０３１６】
ここに、ゲート部材４８は、あらかじめ、出金紙幣搬送路３５と接続搬送路４７とを連通させる位置に移動されているから、紙幣は、接続搬送路４７内を進み、第一の紙幣帯封機構２内に送られる。
【０３１７】
一方、出金紙幣判別部４０によって検出されたデータに基づいて、偽造紙幣、外国紙幣などの流通していない紙幣と判別された紙幣、２枚以上の紙幣の全部あるいは一部が重なり合って、搬送されていると判別された紙幣ならびにその短辺が紙幣の搬送方向と角度をなして搬送されていると判別された紙幣は、紙幣回収ボックス４３内に導かれて、回収される。
【０３１８】
この際、ＣＰＵ５０は、ＲＦＩＤリーダー４０ｂによって読み取られた紙幣のＲＦＩＤデータに基づいて、紙幣回収ボックス４３内に回収された紙幣の金種および枚数を判別して、ＲＡＭ５２の紙幣回収ボックス４３内に回収された紙幣の枚数を管理するデータを格納するメモリ領域に書き込まれた紙幣の計数データを書き換えるとともに、その金種の紙幣の枚数を管理するためのデータを格納するＲＡＭ５２のメモリ領域に書き込まれた紙幣の計数データを書き換える。
【０３１９】
第一の紙幣帯封機構２内に送られた紙幣は、第一の紙幣集積ボックス８１内に送られて、集積される。
【０３２０】
ＣＰＵ５０は、出金紙幣判別部４０から入力される紙幣の光学データ、磁気データおよびＲＦＩＤデータに基づいて、接続搬送路４７を介して、紙幣入出金機構１から、第一の紙幣帯封機構２に送られた紙幣のＩＤデータ、金種データおよび金種別の枚数データを読み取って、ＲＡＭ５２に書き込む。
【０３２１】
こうして、次々に、紙幣入出金機構１の第一の紙幣収納ボックス３０ａ、第二の紙幣収納ボックス３０ｂ、第三の紙幣収納ボックス３０ｃあるいは第四の紙幣収納ボックス３０ｄから繰り出された紙幣が、第一の紙幣集積ボックス８１内に送られて、集積された結果、ＲＡＭ５２の第一の紙幣帯封機構２を管理するデータを格納するメモリ領域に書き込まれた第一の紙幣束生成データならびに紙幣入出金機構１から、第一の紙幣帯封機構２に送られた紙幣のＩＤデータ、金種データおよび金種別の枚数データに基づいて、第一の紙幣集積ボックス８１内に、所定枚数の紙幣、たとえば、１００枚の紙幣が集積され、ＲＡＭ５２に書き込まれた単位紙幣束に含まれるべき紙幣の枚数に等しくなったと判別すると、ＣＰＵ５０は、ゲート部材８５を駆動するソレノイド１２０に駆動信号を出力して、接続搬送路４７を第二の分岐搬送路８４に接続し、その後に、第一の紙幣帯封機構２に送られてくる紙幣を、第二の紙幣集積ボックス８２内に導く。
【０３２２】
次いで、ＣＰＵ５０は、第一の紙幣帯封ユニット８０の紙幣保持手段８６を上下方向に移動させるモータ１２３に駆動信号を出力して、紙幣保持手段８６を第一の紙幣集積ボックス８１の出口に隣接するように位置させ、さらに、第一の集積紙幣送り出し手段１２１に駆動信号を出力して、第一の紙幣集積ボックス８１内に集積された紙幣を、紙幣保持手段８６の一対の挟持部材８６ａ、８６ｂの間に送り出す。
【０３２３】
さらに、ＣＰＵ５０は、モータ１２４に駆動信号を出力して、紙幣保持手段８６の一対の挟持部材８６ａ、８６ｂを近接させ、第一の紙幣集積ボックス８１から送り出された集積紙幣を挟持させる。
【０３２４】
次いで、ＣＰＵ５０は、第一の紙幣帯封ユニット８０の結束テープ供給部材８７を駆動するモータ１２５に駆動信号を出力して、結束テープ供給部材８７を駆動させ、結束テープＴ１を、紙幣保持手段８６の一対の挟持部材８６ａ、８６ｂによって挟持された第二の所定数に等しい数の単位紙幣束に向けて、繰り出させる。
【０３２５】
さらに、ＣＰＵ５０は、ＲＡＭ５２に書き込まれた生成されるべき紙幣束に含まれる紙幣の金種、ＩＤデータなどの紙幣束を構成する紙幣に関するデータ、金融機関名、支店名、紙幣処理機のＩＤデータならびにオペレータの名前などの帯封処理に関するデータを読み出すとともに、時計５３の計時データを読み出す。
【０３２６】
次いで、ＣＰＵ５０は、第一の紙幣帯封ユニット８０のＲＦＩＤライター８８を駆動するＲＦＩＤライター駆動手段１２７に駆動信号およびＲＡＭ５２から読み出したデータを出力し、結束テープ供給部材８７によって繰り出された結束テープＴ１に形成されたインレット内のＩＣチップに、生成されるべき紙幣束に含まれる紙幣の金種データ、ＩＤデータなどの紙幣束を構成する紙幣に関するＲＦＩＤデータならびに金融機関名、支店名、紙幣処理機のＩＤデータ、オペレータの名前、帯封処理を実行する日時などの帯封処理に関するＲＦＩＤデータを書き込む。
【０３２７】
さらに、ＣＰＵ５０は、結束テープＴ１に形成されたインレット内のＩＣチップに書き込んだ帯封処理に関するデータを、紙幣束に帯封処理を施す権限を有する金融機関によって、共同管理されている中央管理サーバ５４に出力する。こうして、中央管理サーバ５４に、紙幣束に巻回された結束テープＴ１に、紙幣処理機の第一の紙幣帯封機構２によって、書き込まれた帯封処理に関するデータが格納される。
【０３２８】
ＣＰＵ５０は、第一の紙幣帯封ユニット８０の結束テープ供給部材８７を駆動するモータ１２５に、さらに、駆動信号を出力して、結束テープ供給部材８７を駆動させ、結束テープＴ１を、紙幣保持手段８６の一対の挟持部材８６ａ、８６ｂによって挟持された集積紙幣に供給させ、次いで、第一の紙幣帯封ユニット８０の巻き付け手段（図示せず）を駆動する巻き付けモータ１２６に駆動信号を出力して、巻き付け手段により、紙幣保持手段８６の一対の挟持部材８６ａ、８６ｂによって挟持された集積紙幣の略中央部に、結束テープＴ１を巻き付けさせ、第一の所定数に等しい枚数の紙幣、たとえば、１００枚の紙幣を含む単位紙幣束を生成する。
【０３２９】
こうして、集積紙幣に帯封がされて、第一の所定数に等しい枚数の紙幣を含む単位紙幣束が生成されると、紙幣束搬送機構９１を駆動する紙幣束搬送機構駆動手段１２８に、ＲＡＭ５２から読み出した単位紙幣束に含まれている紙幣の金種データおよび駆動信号を出力して、単位紙幣束に含まれた紙幣の金種に応じて、第一の紙幣束収納ボックス９０ａ、第二の紙幣束収納ボックス９０ｂ、第三の紙幣束収納ボックス９０ｃおよび第四の紙幣束収納ボックス９０ｄのいずれかに、生成された単位紙幣束を収納させる。
【０３３０】
同時に、ＣＰＵ５０は、ＲＡＭ５２の第一の紙幣帯封機構２を管理するためのデータを格納するメモリ領域に、生成された単位紙幣束の金種および数ならびにその単位紙幣束が収納された紙幣束収納ボックスを特定する第一の紙幣束収納データを書き込む。
【０３３１】
ＣＰＵ５０は、ＲＡＭ５２に書き込まれている第一の紙幣束収納データ中の生成された単位紙幣束の数が、ＲＡＭ５２に書き込まれた第一の紙幣束データ中の生成すべき単位紙幣束の数に等しくなるまで、同様の処理を繰り返し、生成された単位紙幣束は、単位紙幣束に含まれた紙幣の金種に応じて、第一の紙幣束収納ボックス９０ａ、第二の紙幣束収納ボックス９０ｂ、第三の紙幣束収納ボックス９０ｃおよび第四の紙幣束収納ボックス９０ｄのいずれかに収納される。
【０３３２】
こうして、第一の紙幣帯封機構２による第一の所定数に等しい枚数の紙幣を含む単位紙幣束の生成処理が完了する。
【０３３３】
一方、第一の紙幣帯封機構２の第一の紙幣束収納ボックス９０ａ、第二の紙幣束収納ボックス９０ｂ、第三の紙幣束収納ボックス９０ｃおよび／または第四の紙幣束収納ボックス９０ｄに収納された単位紙幣束を出金するときは、オペレータによって、出金すべき単位紙幣束の金種および出金すべき単位紙幣束の数を特定する第一の紙幣束出金データと、第一の紙幣束出金信号が、キーボード７５に入力される。
【０３３４】
オペレータによって入力された第一の紙幣束出金データおよび第一の紙幣束出金信号は、ＣＰＵ５０に出力され、第一の紙幣束出金データおよび第一の紙幣束出金信号を受けると、ＣＰＵ５０は、第一の紙幣束出金データをＲＡＭ５２の第一の紙幣帯封機構２を管理するためのデータを格納するメモリ領域に書き込むとともに、ローラ駆動手段５５ｂに駆動信号を出力して、紙幣入出金機構１と第一の紙幣帯封機構２を接続する接続搬送路４７、紙幣束搬送路９２および紙幣束出金搬送路９５に設けられた搬送ローラ（図示せず）を駆動し、さらに、第一の紙幣束出金データに基づいて、第一の紙幣束収納ボックス９０ａ、第二の紙幣束収納ボックス９０ｂ、第三の紙幣束収納ボックス９０ｃおよび第四の紙幣束収納ボックス９０ｄのうち、単位紙幣束を繰り出すべき紙幣束収納ボックスを決定し、対応する紙幣束繰り出し部に駆動信号を出力する。このとき、ＣＰＵ５０は、第一の紙幣帯封機構２に設けられたゲート部材９７を駆動するソレノイド１２９には駆動信号を出力せず、したがって、ゲート部材９７は、紙幣束搬送路９２を紙幣束出金搬送路９５に接続する位置に保持される。
【０３３５】
その結果、オペレータによって指定された金種の単位紙幣束が、対応する紙幣束収納ボックスから、紙幣束搬送路９２内に、１つずつ繰り出され、紙幣束搬送路９２内に繰り出された単位紙幣束は、紙幣束出金搬送路９５に設けられた紙幣束検出部９９に送られる。
【０３３６】
単位紙幣束が、紙幣束検出部９９に送られると、ＲＦＩＤリーダー９９ａによって、単位紙幣束に巻き付けられた結束テープＴ１に形成されたインレット内のＩＣチップに書き込まれたＲＦＩＤデータが読み取られ、紙幣束検出部９９から、ＣＰＵ５０に出力される。
【０３３７】
ＣＰＵ５０は、紙幣束検出部９９から入力されたＲＦＩＤデータに基づき、紙幣束出金口９８に向けて、送られた単位紙幣束の金種および数を特定する紙幣束出金データを、ＲＡＭ５２に書き込む。
【０３３８】
さらに、単位紙幣束は、紙幣束検出部９９から、紙幣束出金口９８に送られて、出金される。
【０３３９】
ＣＰＵ５０は、同様の処理を繰り返し、ＲＡＭ５２に書き込まれている紙幣束出金データによって特定される紙幣束出金口９８に送られた単位紙幣束の金種および数が、ＲＡＭ５２に書き込まれている第一の紙幣束出金データ中の出金すべき単位紙幣束の数に等しくなると、第一の紙幣帯封機構２の第一の紙幣束収納ボックス９０ａ、第二の紙幣束収納ボックス９０ｂ、第三の紙幣束収納ボックス９０ｃおよび／または第四の紙幣束収納ボックス９０ｄに収納された単位紙幣束の出金処理を完了させる。
【０３４０】
本実施態様にかかる紙幣処理機は、さらに、第一の紙幣帯封機構２の第一の紙幣束収納ボックス９０ａ、第二の紙幣束収納ボックス９０ｂ、第三の紙幣束収納ボックス９０ｃおよび第四の紙幣束収納ボックス９０ｄに収納された単位紙幣束を、第二の紙幣帯封機構３に送って、第一の所定数に等しい枚数の紙幣、たとえば、１００枚の紙幣を含む単位紙幣束を、第二の所定数に等しい数だけ、たとえば、１０束の単位紙幣束を重ね合わせ、帯封をし、第二の所定数に等しい数の単位紙幣束を含む紙幣束を生成可能に構成されており、第一の紙幣帯封機構２の第一の紙幣束収納ボックス９０ａ、第二の紙幣束収納ボックス９０ｂ、第三の紙幣束収納ボックス９０ｃおよび第四の紙幣束収納ボックス９０ｄに収納された単位紙幣束を、第二の紙幣帯封機構３に送って、第二の所定数に等しい数だけ、重ね合わせて、帯封をし、第二の所定数に等しい数の単位紙幣束を含む紙幣束を生成する場合には、オペレータによって、第二の所定数に等しい数の単位紙幣束を重ね合わせて、生成すべき紙幣束の金種および生成されるべき紙幣束に含まれる単位紙幣束の数を特定するとともに、生成すべき紙幣束の数を特定する第二の紙幣束データと、第二の紙幣束生成信号とが、キーボード７５に入力される。同時に、オペレータによって、金融機関名、支店名、紙幣処理機のＩＤデータならびにオペレータの名前などの帯封処理に関するデータがキーボード７５に入力される。同時に、オペレータによって、金融機関名、支店名、紙幣処理機のＩＤデータならびにオペレータの名前などの帯封処理に関するデータがキーボード７５に入力される。
【０３４１】
オペレータによって入力された第二の紙幣束データおよび帯封処理に関するデータならびに第二の紙幣束生成信号はＣＰＵ５０に出力され、オペレータによって入力された第二の紙幣束データおよび帯封処理に関するデータならび第二の紙幣束生成信号を受けると、ＣＰＵ５０は、オペレータによって入力された第二の紙幣束データおよび帯封処理に関するデータをＲＡＭ５２の第二の紙幣帯封機構を管理するためのデータを格納するメモリ領域に書き込むとともに、第一の紙幣帯封機構２に設けられたゲート部材９７を駆動するソレノイド１２９に駆動信号を出力して、紙幣束搬送路９２を、第一の紙幣帯封機構２と第二の紙幣帯封機構３とを接続する接続搬送路９６に連通させ、さらに、ローラ駆動手段５５ｃに駆動信号を出力して、第一の紙幣帯封機構２と第二の紙幣帯封機構３を接続する接続搬送路９６、入金紙幣束搬送路１０２、紙幣束搬送路１０３および紙幣束搬送路１１７に設けられた搬送ローラ（図示せず）を駆動する。
【０３４２】
次いで、ＣＰＵ５０は、第二の紙幣束出金データに基づいて、第一の紙幣束収納ボックス９０ａ、第二の紙幣束収納ボックス９０ｂ、第三の紙幣束収納ボックス９０ｃおよび第四の紙幣束収納ボックス９０ｄのうち、単位紙幣束を繰り出すべき紙幣束収納ボックスを決定し、対応する紙幣束繰り出し部に駆動信号を出力する。
【０３４３】
その結果、オペレータによって指定された金種の単位紙幣束が、対応する紙幣束収納ボックスから、紙幣束搬送路９２内に、１つずつ繰り出され、紙幣束搬送路９２内に繰り出された単位紙幣束は、ゲート部材９７によって、第一の紙幣帯封機構２と第二の紙幣帯封機構３とを接続する接続搬送路９６に導かれる。
【０３４４】
接続搬送路９６に導かれた単位紙幣束は、データ読み取り部１０５に送られ、データ読み取り部１０５に設けられたＲＦＩＤリーダー１０５ａによって、単位紙幣束に巻き付けられた結束テープＴ１に形成されているインレット内のＩＣチップに書き込まれた単位紙幣束に含まれる紙幣のＩＤデータ、金種データなどの単位紙幣束を構成する紙幣に関するＲＦＩＤデータならびに帯封処理を施した紙幣の枚数、帯封処理を施した日時、帯封処理を施した金融機関名、帯封処理の実行者などの帯封処理に関するＲＦＩＤデータが読み取られるとともに、ＲＦＩＤリーダー１０５ｂによって、単位紙幣束に含まれた紙幣に形成されているインレット内のＩＣチップに書き込まれた紙幣のＩＤデータ、金種データなどの各紙幣のＲＦＩＤデータが読み取られ、ＲＦＩＤリーダー１０５ａによって読み取られた紙幣に関するＲＦＩＤデータおよび帯封処理に関するＲＦＩＤデータならびにＲＦＩＤリーダー１０５ｂによって読み取られた各紙幣のＲＦＩＤデータは、データ読み取り部１０５からＣＰＵ５０に出力される。
【０３４５】
ＣＰＵ５０は、データ読み取り部１０５から、紙幣に関するＲＦＩＤデータおよび帯封処理に関するＲＦＩＤデータならびに各紙幣のＲＦＩＤデータを受けると、紙幣に関するＲＦＩＤデータおよび帯封処理に関するＲＦＩＤデータならびに各紙幣のＲＦＩＤデータを、ＲＡＭ５２の第二の紙幣帯封機構３を管理するためのデータを格納するメモリ領域に書き込む。
【０３４６】
次いで、ＣＰＵ５０は、データ読み取り部１０５から入力されたＲＦＩＤデータに基づき、単位紙幣束を構成している紙幣の金種が、オペレータによって特定され、ＲＡＭ５２の第二の紙幣帯封機構を管理するためのデータを格納するメモリ領域に書き込まれている生成すべき紙幣束の金種と一致するか否かを判別する。
【０３４７】
その結果、データ読み取り部１０５から入力されたＲＦＩＤデータに基づいて判別された単位紙幣束を構成している紙幣の金種が、オペレータによって特定され、ＲＡＭ５２の第二の紙幣帯封機構を管理するためのデータを格納するメモリ領域に書き込まれている生成すべき紙幣束の金種と一致していないときは、ＣＰＵ５０は、ディスプレイ７７に、帯封処理を施すべきでない単位紙幣束が検出された旨を表示するとともに、ローラ駆動手段５５に、逆駆動信号を出力して、入金紙幣束搬送路１０２および紙幣束搬送路１０３に設けられた搬送ローラを逆方向に回転させて、単位紙幣束を、紙幣束入金口１００に送り出す。
【０３４８】
同時に、ＣＰＵ５０は、データ読み取り部１０５から入力された単位紙幣束を構成している各紙幣のＲＦＩＤデータと結束テープＴ１に形成されたインレット中のＩＣチップに書き込まれた紙幣に関するＲＦＩＤデータとが一致しているか否かを判別するとともに、中央管理サーバ５４にアクセスして、データ読み取り手段１０５から入力された帯封処理に関するデータが、中央管理サーバ５４に格納されているか否かを判別する。
【０３４９】
その結果、単位紙幣束を構成している各紙幣のＲＦＩＤデータと結束テープＴ１に形成されたインレット中のＩＣチップに書き込まれた紙幣に関するＲＦＩＤデータとが一致していないと判別したときは、その単位紙幣束から、紙幣の一部が抜き取られ、あるいは、単位紙幣束を構成している紙幣の一部が他の紙幣に差し替えられているおそれが高いから、ＣＰＵ５０は、ディスプレイ７７に、帯封処理を施すべきでない単位紙幣束が検出された旨を表示するとともに、ローラ駆動手段５５に、逆駆動信号を出力して、入金紙幣束搬送路１０２および紙幣束搬送路１０３に設けられた搬送ローラを逆方向に回転させて、単位紙幣束を、紙幣束入金口１００に送り出す。
【０３５０】
一方、データ読み取り手段１０５から入力された帯封処理に関するデータが、中央管理サーバ５４に格納されていないと判別したときは、その単位紙幣束が、紙幣束を生成する権限がない者によって生成されたおそれが高いから、ＣＰＵ５０は、ディスプレイ７７に、帯封処理を施すべきでない単位紙幣束が検出された旨を表示するとともに、ローラ駆動手段５５に、逆駆動信号を出力して、入金紙幣束搬送路１０２および紙幣束搬送路１０３に設けられた搬送ローラを逆方向に回転させて、単位紙幣束を、紙幣束入金口１００に送り出す。
【０３５１】
これに対して、データ読み取り部１０５から入力されたＲＦＩＤデータに基づいて判別された単位紙幣束を構成している紙幣の金種が、オペレータによって特定され、ＲＡＭ５２の第二の紙幣帯封機構を管理するためのデータを格納するメモリ領域に書き込まれている生成すべき紙幣束の金種と一致し、かつ、単位紙幣束を構成している各紙幣のＲＦＩＤデータと結束テープＴ１に形成されたインレット中のＩＣチップに書き込まれた紙幣に関するＲＦＩＤデータとが一致するとともに、データ読み取り手段１０５から入力された帯封処理に関するデータが、中央管理サーバ５４に格納されていると判別したときは、単位紙幣束は、データ読み取り部１０５から、第二の紙幣帯封ユニット１１０の紙幣束集積手段１１１に送られて、集積される。
【０３５２】
この場合には、データ読み取り部１０５に送られた単位紙幣束は、オペレータによって特定された紙幣束の金種にしたがって、第一の紙幣帯封機構２の第一の紙幣束収納ボックス９０ａ、第二の紙幣束収納ボックス９０ｂ、第三の紙幣束収納ボックス９０ｃあるいは第四の紙幣束収納ボックス９０ｄから繰り出されたものであるから、データ読み取り部１０５から入力されたＲＦＩＤデータに基づいて判別された単位紙幣束を構成している紙幣の金種は、オペレータによって特定され、ＲＡＭ５２の第二の紙幣帯封機構を管理するためのデータを格納するメモリ領域に書き込まれている生成すべき紙幣束の金種と一致しており、また、データ読み取り部１０５に送られた単位紙幣束は、第一の紙幣帯封機構２によって、紙幣入出金機構１から送られた現に流通している真正な紙幣を重ね合わせて、生成されたものであるから、単位紙幣束を構成している各紙幣のＲＦＩＤデータと結束テープＴ１に形成されたインレット中のＩＣチップに書き込まれた紙幣に関するＲＦＩＤデータとが一致し、データ読み取り手段１０５から入力された帯封処理に関するデータが、中央管理サーバ５４に格納されている。したがって、単位紙幣束は、データ読み取り部１０５から、第二の紙幣帯封ユニット１１０の紙幣束集積手段１１１に送られて、集積される。
【０３５３】
こうして、第一の紙幣束収納ボックス９０ａ、第二の紙幣束収納ボックス９０ｂ、第三の紙幣束収納ボックス９０ｃおよび第四の紙幣束収納ボックス９０ｄのうち、第二の紙幣束出金データに基づいて決定された紙幣束収納ボックスから、紙幣束搬送路９２内に、次々に、単位紙幣束が繰り出され、接続搬送路９６およびデータ読み取り部１０５を介して、第二の紙幣帯封ユニット１１０の紙幣束集積手段１１１内に送られて、集積された結果、データ読み取り部１０５から出力されたＲＦＩＤデータに基づいて、ＲＡＭ５２に書き込まれた第二の紙幣束出金データ中の生成されるべき紙幣束に含まれる単位紙幣束の数に等しい数の単位紙幣束が、第二の紙幣帯封ユニット１１０の紙幣束集積手段１１１内に送られて、集積されたと判定したときは、ＣＰＵ５０は、第二の紙幣帯封ユニット１１０の紙幣束送り出し手段１３０に駆動信号を出力して、紙幣束集積手段１１１内に集積された第二の所定数に等しい数の単位紙幣束を、紙幣束保持手段１１２の一対の挟持部材（図示せず）の間に、送り出し、さらに、第二の紙幣帯封ユニット１１０の紙幣束保持手段１１２の一対の挟持部材を相対的に移動させるモータ１３１に駆動信号を出力して、紙幣束保持手段１１２の一対の挟持部材によって、第二の所定数に等しい数の単位紙幣束が重ね合わされて形成された紙幣束を挟持させる。
【０３５４】
次いで、ＣＰＵ５０は、第二の紙幣帯封ユニット１１０の結束テープ供給部材１１３を駆動するモータ１３２に駆動信号を出力して、結束テープ供給部材１１３を駆動させ、結束テープＴ２を、紙幣束保持手段１１２の一対の挟持部材によって挟持された第二の所定数に等しい数の単位紙幣束に向けて、繰り出させる。
【０３５５】
さらに、ＣＰＵ５０は、ＲＡＭ５２に書き込まれた紙幣に関するＲＦＩＤデータおよび帯封処理に関するＲＦＩＤデータを読み出して、駆動信号とともに、第二の紙幣帯封ユニット１１０のＲＦＩＤライター１１５を駆動するＲＦＩＤライター駆動手段１３５に出力する。
【０３５６】
その結果、第二の紙幣帯封ユニット１１０のＲＦＩＤライター１１５によって、結束テープ供給部材１１３によって繰り出された結束テープＴ２に形成されたインレット内のＩＣチップに、各単位紙幣束に巻回された結束テープＴ１に形成されたインレット中のＩＣチップに書き込まれた各単位紙幣束に含まれる紙幣のＩＤデータ、金種データなどの紙幣束を構成する紙幣に関するＲＦＩＤデータおよび各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータ、ならびに、帯封処理を施した単位紙幣束を特定するデータ、帯封処理を施した単位紙幣束の数、帯封処理を施した日時、帯封処理を施した金融機関名、帯封処理の実行者などの帯封処理に関するＲＦＩＤデータが書き込まれる。
【０３５７】
次いで、ＣＰＵ５０は、結束テープＴ２に形成されたインレット内のＩＣチップに書き込んだ帯封処理に関するデータを、紙幣束に帯封処理を施す権限を有する金融機関によって、共同管理されている中央管理サーバ５４に出力する。こうして、中央管理サーバ５４に、紙幣束に巻回された結束テープＴ２に、紙幣処理機の第二の紙幣帯封機構３によって、書き込まれた帯封処理に関するデータが格納される。
【０３５８】
ＣＰＵ５０は、第二の紙幣帯封ユニット１１０の結束テープ供給部材１１３を駆動するモータ１３２に、さらに、駆動信号を出力して、結束テープ供給部材１１３を駆動させ、結束テープＴ２を、紙幣束保持手段１１２の一対の挟持部材によって挟持された紙幣束に供給させ、次いで、第二の紙幣帯封ユニット１１０の巻き付け手段１１４を駆動する巻き付けモータ１３３に駆動信号を出力して、巻き付け手段１１４により、紙幣保持手段１１２の一対の挟持部材によって挟持された紙幣束の略中央部に、結束テープＴ２を巻き付けさせ、第二の所定数に等しい数の単位紙幣束、たとえば、１０束の単位紙幣束を含む紙幣束を生成する。
【０３５９】
以上のように、第二の所定数に等しい数の単位紙幣束、たとえば、１０束の単位紙幣束を含む紙幣束が生成されると、ＣＰＵ５０は、生成された紙幣束の数を特定する第二の紙幣束生成データをＲＡＭ５２に書き込む。
【０３６０】
こうして、第一の所定数に等しい枚数の紙幣、たとえば、１００枚の紙幣に帯封が付された単位紙幣束を、第二の所定数に等しい数、たとえば、１０束だけ、束ねて、帯封を付して生成された紙幣束は、紙幣束搬送路１１７を介して、紙幣束出金口１０１に出金される。
【０３６１】
同様の処理が繰り返され、ＲＡＭ５２に書き込まれている第二の紙幣束生成データによって特定された生成された紙幣束の数が、ＲＡＭ５２に書き込まれている第二の紙幣束データ中の生成すべき紙幣束の数に等しくなると、ＣＰＵ５０は、第二の所定数に等しい数の単位紙幣束を含む紙幣束の生成処理を終了させる。
【０３６２】
本実施態様にかかる紙幣処理機は、さらに、第一の所定数に等しい枚数の紙幣、たとえば、１００枚の紙幣を含み、紙幣束入金口１００に投入された単位紙幣束を、第二の所定数に等しい数だけ、たとえば、１０束の単位紙幣束を重ね合わせて、帯封をし、第二の所定数に等しい数の単位紙幣束を含む紙幣束を生成可能に構成されており、第一の所定数に等しい枚数の紙幣を含み、紙幣束入金口１００に投入された単位紙幣束を、第二の所定数に等しい数だけ、重ね合わせて、帯封をし、第二の所定数に等しい数の単位紙幣束を含む紙幣束を生成する場合には、オペレータによって、第二の所定数に等しい数の単位紙幣束を重ね合わせて、生成すべき紙幣束の金種および生成されるべき紙幣束に含まれる単位紙幣束の数を特定するとともに、生成すべき紙幣束の数を特定する第二の紙幣束データと、第二の紙幣束生成信号とが、キーボード７５に入力される。同時に、オペレータによって、金融機関名、支店名、紙幣処理機のＩＤデータならびにオペレータの名前などの帯封処理に関するデータがキーボード７５に入力される。
【０３６３】
オペレータによって入力された第二の紙幣束データおよび帯封処理に関するデータならびに第二の紙幣束生成信号はＣＰＵ５０に出力され、オペレータによって入力された第二の紙幣束データおよび帯封処理に関するデータならびに第二の紙幣束生成信号を受けると、ＣＰＵ５０は、オペレータによって入力された第二の紙幣束データおよび帯封処理に関するデータをＲＡＭ５２の第二の紙幣帯封機構を管理するためのデータを格納するメモリ領域に書き込むとともに、ローラ駆動手段５５ｃに駆動信号を出力して、入金紙幣束搬送路１０２、紙幣束搬送路１０３および紙幣束搬送路１１７に設けられた搬送ローラ（図示せず）を駆動する。
【０３６４】
次いで、オペレータによって、新たに生成されるべき紙幣束を構成する単位紙幣束が、紙幣束入金口１００に投入される。
【０３６５】
紙幣束入金口１００に投入された単位紙幣束は、入金紙幣束搬送路１０２および紙幣束搬送路１０３を介して、データ読み取り部１０５に送られ、データ読み取り部１０５に設けられたＲＦＩＤリーダー１０５ａによって、単位紙幣束に巻き付けられた結束テープに形成されているインレット内のＩＣチップに書き込まれた単位紙幣束に含まれる紙幣のＩＤデータ、金種データなどの単位紙幣束を構成する紙幣に関するＲＦＩＤデータならびに帯封処理を施した紙幣の枚数、帯封処理を施した日時、帯封処理を施した金融機関名、帯封処理の実行者などの帯封処理に関するＲＦＩＤデータが読み取られるとともに、ＲＦＩＤリーダー１０５ｂによって、単位紙幣束に含まれた紙幣に形成されているインレット内のＩＣチップに書き込まれた紙幣のＩＤデータ、金種データなどの各紙幣のＲＦＩＤデータが読み取られ、ＲＦＩＤリーダー１０５ａによって読み取られた紙幣に関するＲＦＩＤデータおよび帯封処理に関するＲＦＩＤデータならびにＲＦＩＤリーダー１０５ｂによって読み取られた各紙幣のＲＦＩＤデータは、データ読み取り部１０５からＣＰＵ５０に出力される。
【０３６６】
ＣＰＵ５０は、データ読み取り部１０５から、紙幣に関するＲＦＩＤデータおよび帯封処理に関するＲＦＩＤデータならびに各紙幣のＲＦＩＤデータを受けると、紙幣に関するＲＦＩＤデータおよび帯封処理に関するＲＦＩＤデータならびに各紙幣のＲＦＩＤデータを、ＲＡＭ５２の第二の紙幣帯封機構３を管理するためのデータを格納するメモリ領域に書き込む。
【０３６７】
次いで、ＣＰＵ５０は、データ読み取り部１０５から入力されたＲＦＩＤデータに基づき、単位紙幣束を構成している紙幣の金種が、オペレータによって特定され、ＲＡＭ５２の第二の紙幣帯封機構を管理するためのデータを格納するメモリ領域に書き込まれている生成すべき紙幣束の金種と一致するか否かを判別する。
【０３６８】
その結果、データ読み取り部１０５から入力されたＲＦＩＤデータに基づいて判別された単位紙幣束を構成している紙幣の金種が、オペレータによって特定され、ＲＡＭ５２の第二の紙幣帯封機構を管理するためのデータを格納するメモリ領域に書き込まれている生成すべき紙幣束の金種と一致していないときは、生成された紙幣束に、異なる金種の紙幣を含む単位紙幣束が混入するおそれがあるから、ＣＰＵ５０は、ディスプレイ７７に、帯封処理を施すべきでない単位紙幣束が検出された旨を表示するとともに、ローラ駆動手段５５に、逆駆動信号を出力して、入金紙幣束搬送路１０２および紙幣束搬送路１０３に設けられた搬送ローラを逆方向に回転させて、その単位紙幣束を、紙幣束入金口１００に送り出す。
【０３６９】
同時に、ＣＰＵ５０は、データ読み取り部１０５から入力された単位紙幣束を構成している各紙幣のＲＦＩＤデータと結束テープＴ１に形成されたインレット中のＩＣチップに書き込まれた紙幣に関するＲＦＩＤデータとが一致しているか否かを判別するとともに、中央管理サーバ５４にアクセスして、データ読み取り手段１０５から入力された帯封処理に関するデータが、中央管理サーバ５４に格納されているか否かを判別する。
【０３７０】
その結果、単位紙幣束を構成している各紙幣のＲＦＩＤデータと結束テープＴ１に形成されたインレット中のＩＣチップに書き込まれた紙幣に関するＲＦＩＤデータとが一致していないと判別したときは、その単位紙幣束から、紙幣の一部が抜き取られ、あるいは、単位紙幣束を構成している紙幣の一部が他の紙幣に差し替えられているおそれが高いから、ＣＰＵ５０は、ディスプレイ７７に、帯封処理を施すべきでない単位紙幣束が検出された旨を表示するとともに、ローラ駆動手段５５に、逆駆動信号を出力して、入金紙幣束搬送路１０２および紙幣束搬送路１０３に設けられた搬送ローラを逆方向に回転させて、その単位紙幣束を、紙幣束入金口１００に送り出す。
【０３７１】
一方、データ読み取り手段１０５から入力された帯封処理に関するデータが、中央管理サーバ５４に格納されていないと判別したときは、その単位紙幣束が、紙幣束を生成する権限がない者によって生成されたおそれが高いから、ＣＰＵ５０は、ディスプレイ７７に、帯封処理を施すべきでない単位紙幣束が検出された旨を表示するとともに、ローラ駆動手段５５に、逆駆動信号を出力して、入金紙幣束搬送路１０２および紙幣束搬送路１０３に設けられた搬送ローラを逆方向に回転させて、その単位紙幣束を、紙幣束入金口１００に送り出す。
【０３７２】
これに対して、単位紙幣束を構成している各紙幣のＲＦＩＤデータと結束テープＴ１に形成されたインレット中のＩＣチップに書き込まれた紙幣に関するＲＦＩＤデータとが一致し、データ読み取り手段１０５から入力された帯封処理に関するデータが、中央管理サーバ５４に格納されていると判別したときは、その単位紙幣束は、データ読み取り部１０５から、第二の紙幣帯封ユニット１１０の紙幣束集積手段１１１に送られて、集積される。
【０３７３】
こうして、単位紙幣束が、次々に、紙幣束入金口１００に投入され、紙幣束入金口１００に投入された単位紙幣束が、データ読み取り部１０５を介して、第二の紙幣帯封ユニット１１０の紙幣束集積手段１１１内に送られて、集積された結果、データ読み取り部１０５から出力されたＲＦＩＤデータに基づいて、ＲＡＭ５２に書き込まれた第二の紙幣束出金データ中の生成されるべき紙幣束に含まれる単位紙幣束の数に等しい数の単位紙幣束が、第二の紙幣帯封ユニット１１０の紙幣束集積手段１１１内に送られて、集積されたと判定したときは、ＣＰＵ５０は、第二の紙幣帯封ユニット１１０の紙幣束送り出し手段１３０に駆動信号を出力して、紙幣束集積手段１１１内に集積された第二の所定数の等しい数の単位紙幣束を、紙幣束保持手段１１２の一対の挟持部材（図示せず）の間に、送り出し、さらに、第二の紙幣帯封ユニット１１０の紙幣束保持手段１１２の一対の挟持部材を相対的に移動させるモータ１３１に駆動信号を出力して、紙幣束保持手段１１２の一対の挟持部材によって、第二の所定数に等しい数の単位紙幣束が重ね合わされて形成された紙幣束を挟持させる。
【０３７４】
次いで、ＣＰＵ５０は、第二の紙幣帯封ユニット１１０の結束テープ供給部材１１３を駆動するモータ１３２に駆動信号を出力して、結束テープ供給部材１１３を駆動させ、結束テープＴ２を、紙幣束保持手段１１２の一対の挟持部材によって挟持された第二の所定数に等しい数の単位紙幣束に向けて、繰り出させる。
【０３７５】
さらに、ＣＰＵ５０は、ＲＡＭ５２に書き込まれた紙幣に関するＲＦＩＤデータおよび帯封処理に関するＲＦＩＤデータを読み出して、駆動信号とともに、第二の紙幣帯封ユニット１１０のＲＦＩＤライター１１５を駆動するＲＦＩＤライター駆動手段１３５に出力する。
【０３７６】
その結果、第二の紙幣帯封ユニット１１０のＲＦＩＤライター１１５によって、結束テープ供給部材１１３によって繰り出された結束テープＴ２に形成されたインレット内のＩＣチップに、各単位紙幣束に巻回された結束テープＴ１に形成されたインレット中のＩＣチップに書き込まれた各単位紙幣束に含まれる紙幣のＩＤデータ、金種データなどの紙幣束を構成する紙幣に関するＲＦＩＤデータおよび各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータ、ならびに、帯封処理を施した単位紙幣束を特定するデータ、帯封処理を施した単位紙幣束の数、帯封処理を施した日時、帯封処理を施した金融機関名、帯封処理の実行者などの帯封処理に関するＲＦＩＤデータが書き込まれる。
【０３７７】
さらに、ＣＰＵ５０は、結束テープＴ２に形成されたインレット内のＩＣチップに書き込んだ帯封処理に関するデータを、紙幣束に帯封処理を施す権限を有する金融機関によって、共同管理されている中央管理サーバ５４に出力する。こうして、中央管理サーバ５４に、紙幣束に巻回された結束テープＴ２に、紙幣処理機の第二の紙幣帯封機構３によって、書き込まれた帯封処理に関するデータが格納される。
【０３７８】
ＣＰＵ５０は、第二の紙幣帯封ユニット１１０の結束テープ供給部材１１３を駆動するモータ１３２に、さらに、駆動信号を出力して、結束テープ供給部材１１３を駆動させ、結束テープＴ２を、紙幣束保持手段１１２の一対の挟持部材によって挟持された紙幣束に供給させ、次いで、第二の紙幣帯封ユニット１１０の巻き付け手段１１４を駆動する巻き付けモータ１３３に駆動信号を出力して、巻き付け手段１１４により、紙幣保持手段１１２の一対の挟持部材によって挟持された紙幣束の略中央部に、結束テープＴ２を巻き付けさせ、第二の所定数に等しい数の単位紙幣束、たとえば、１０束の単位紙幣束を含む紙幣束を生成する。
【０３７９】
以上のように、第二の所定数に等しい数の単位紙幣束、たとえば、１０束の単位紙幣束を含む紙幣束が生成されると、ＣＰＵ５０は、ＲＡＭ５２に、生成された紙幣束の金種および数を特定する第二の紙幣束出金データを書き込む。
【０３８０】
こうして、第一の所定数に等しい枚数の紙幣、たとえば、１００枚の紙幣に帯封が付された単位紙幣束を、第二の所定数に等しい数、たとえば、１０束だけ、束ねて、帯封を付して生成された紙幣束は、紙幣束搬送路１１７を介して、紙幣束出金口１０１に出金される。
【０３８１】
同様の処理が繰り返され、ＲＡＭ５２に書き込まれている第二の紙幣束出金データ中の生成された紙幣束の数が、ＲＡＭ５２に書き込まれている第二の紙幣束データ中の生成すべき紙幣束の数に等しくなると、ＣＰＵ５０は、第二の所定数に等しい数の単位紙幣束を含む紙幣束の生成処理を終了させる。
【０３８２】
一方、業務中に、紙幣処理機内に収納されている紙幣の金種別の枚数を確認する収納紙幣確認処理を実行するにあたっては、図１ないし図８に示された紙幣処理機と同様にして、紙幣処理機のＣＰＵ５０から、第一の紙幣収納ボックス３０ａのコントローラ２５０ａ、第二の紙幣収納ボックス３０ｂのコントローラ２５０ｂ、第三の紙幣収納ボックス３０ｃのコントローラ２５０ｃおよび第四の紙幣収納ボックス３０ｄのコントローラ２５０ｄならびに汚損紙幣収納ボックス３１のコントローラ２４０に、収納紙幣確認処理信号が出力され、第一の紙幣収納ボックス３０ａのコントローラ２５０ａ、第二の紙幣収納ボックス３０ｂのコントローラ２５０ｂ、第三の紙幣収納ボックス３０ｃのコントローラ２５０ｃおよび第四の紙幣収納ボックス３０ｄのコントローラ２５０ｄならびに汚損紙幣収納ボックス３１のコントローラ２４０から、対応するＲＦＩＤリーダー３２ａ、３２ｂ、３２ｃおよび３２ｄならびに３１ａに駆動信号が出力される。
【０３８３】
同時に、紙幣処理機のＣＰＵ５０から、紙幣回収ボックス４３内に設けられたＲＦＩＤリーダー４３ａに駆動信号が出力される。
【０３８４】
その結果、第一の紙幣収納ボックス３０ａのＲＦＩＤリーダー３２ａ、第二の紙幣収納ボックス３０ｂのＲＦＩＤリーダー３２ｂ、第三の紙幣収納ボックス３０ｃのＲＦＩＤリーダー３２ｃ、第四の紙幣収納ボックス３０ｄのＲＦＩＤリーダー３２ｄ、汚損紙幣収納ボックス３１のＲＦＩＤリーダー３１ａおよび紙幣回収ボックス４３のＲＦＩＤリーダー４３ａから、それぞれ、所定の周波数の電波が発信される。
【０３８５】
ここに、ＲＦＩＤリーダーは、所定の周波数の電波を発信して、インレットのアンテナに受信させて、ＩＣチップに書き込まれたＲＦＩＤデータを読み取るように構成されているので、紙幣がＲＦＩＤリーダーから発信された電波が到達する空間内に存在していれば、紙幣が互いに集積されている場合でも、紙幣に形成されたインレット中のＩＣチップに記録された紙幣のＩＤデータ、紙幣の金種データなどのＲＦＩＤデータを正確に読み取ることができ、したがって、第一の紙幣収納ボックス３０ａ、第二の紙幣収納ボックス３０ｂ、第三の紙幣収納ボックス３０ｃおよび第四の紙幣収納ボックス３０ｄ、汚損紙幣収納ボックス３１ならびに紙幣回収ボックス４３は、それぞれ、対応するＲＦＩＤリーダー３２ａ、３２ｂ、３２ｃおよび３２ｄ、３１ａならびに４３ａから発信される周波数の電波を遮蔽する性質を有する材料によって覆われているため、第一の紙幣収納ボックス３０ａ、第二の紙幣収納ボックス３０ｂ、第三の紙幣収納ボックス３０ｃおよび第四の紙幣収納ボックス３０ｄ、汚損紙幣収納ボックス３１ならびに紙幣回収ボックス４３のそれぞれに収納されている紙幣に形成されたインレット中のＩＣチップに記録された紙幣のＩＤデータ、紙幣の金種データなどのＲＦＩＤデータのみが、対応するＲＦＩＤリーダー３２ａ、３２ｂ、３２ｃおよび３２ｄ、３１ａならびに４３ａによって読み取られて、ＣＰＵ５０に出力され、ＣＰＵ５０によって、第一の紙幣収納ボックス３０ａ、第二の紙幣収納ボックス３０ｂ、第三の紙幣収納ボックス３０ｃおよび第四の紙幣収納ボックス３０ｄ、汚損紙幣収納ボックス３１ならびに紙幣回収ボックス４３のそれぞれに収納されている紙幣の金種別の枚数が算出される。
【０３８６】
同時に、紙幣処理機のＣＰＵ５０は、第一の紙幣束収納ボックス９０ａのコントローラ３００ａ、第二の紙幣束収納ボックス９０ｂのコントローラ３００ｂ、第三の紙幣束収納ボックス９０ｃのコントローラ３００ｃおよび第四の紙幣束収納ボックス９０ｄのコントローラ３００ｄに、収納紙幣確認処理信号を出力する。
【０３８７】
第一の紙幣束収納ボックス９０ａのコントローラ３００ａ、第二の紙幣束収納ボックス９０ｂのコントローラ３００ｂ、第三の紙幣束収納ボックス９０ｃのコントローラ３００ｃおよび第四の紙幣束収納ボックス９０ｄのコントローラ３００ｄは、紙幣処理機のＣＰＵ５０から、収納紙幣確認処理信号を受けると、それぞれ、対応するＲＦＩＤリーダー３２ａ、３２ｂ、３２ｃおよび３２ｄに駆動信号を出力して、ＲＦＩＤリーダー３５０ａ、３５０ｂ、３５０ｃおよび３５０ｄを起動させ、所定の周波数の電波を発信させる。
【０３８８】
上述のように、第一の紙幣束収納ボックス９０ａ、第二の紙幣束収納ボックス９０ｂ、第三の紙幣束収納ボックス９０ｃおよび第四の紙幣束収納ボックス９０ｄは、それぞれ、対応するＲＦＩＤリーダー３５０ａ、３５０ｂ、３５０ｃおよび３５０ｄから発信される周波数の電波を遮蔽する性質を有する材料によって覆われているため、ＲＦＩＤリーダー３５０ａ、３５０ｂ、３５０ｃおよび３５０ｄから発信された電波は、それぞれ、第一の紙幣束収納ボックス９０ａ、第二の紙幣束収納ボックス９０ｂ、第三の紙幣束収納ボックス９０ｃおよび第四の紙幣束収納ボックス９０ｄ内に収納されている単位紙幣束を構成する紙幣に形成されたインレットのアンテナによってのみ受信される。
【０３８９】
したがって、ＲＦＩＤリーダー３５０ａ、３５０ｂ、３５０ｃおよび３５０ｄによって、それぞれ、第一の紙幣束収納ボックス９０ａ、第二の紙幣束収納ボックス９０ｂ、第三の紙幣束収納ボックス９０ｃおよび第四の紙幣束収納ボックス９０ｄ内に収納されている単位紙幣束を構成する紙幣に形成されたインレット中のＩＣチップに記録された紙幣のＩＤデータ、紙幣の金種データなどのＲＦＩＤデータのみが読み取られて、ＣＰＵ５０に出力され、ＣＰＵ５０によって、ＲＦＩＤリーダー３５０ａ、３５０ｂ、３５０ｃおよび３５０ｄのそれぞれから入力されたＲＦＩＤデータに基づき、第一の紙幣束収納ボックス９０ａ、第二の紙幣束収納ボックス９０ｂ、第三の紙幣束収納ボックス９０ｃおよび第四の紙幣束収納ボックス９０ｄ内に収納されている単位紙幣束を構成する紙幣の金種別の枚数が算出される。
【０３９０】
このように、本実施態様においては、ＲＦＩＤリーダー３２ａ、３２ｂ、３２ｃ、３２ｄ、３１ａ、４３ａ、３５０ａ、３５０ｂ、３５０ｃおよび３５０ｄによって読み取られた紙幣のＲＦＩＤデータに基づいて、第一の紙幣収納ボックス３０ａ、第二の紙幣収納ボックス３０ｂ、第三の紙幣収納ボックス３０ｃ、第四の紙幣収納ボックス３０ｄ、汚損紙幣収納ボックス３１、紙幣回収ボックス４３、第一の紙幣束収納ボックス９０ａ、第二の紙幣束収納ボックス９０ｂ、第三の紙幣束収納ボックス９０ｃおよび第四の紙幣束収納ボックス９０ｄ内に収納されている紙幣の金種別枚数が算出されるように構成されているから、第一の紙幣収納ボックス３０ａ、第二の紙幣収納ボックス３０ｂ、第三の紙幣収納ボックス３０ｃ、第四の紙幣収納ボックス３０ｄ、汚損紙幣収納ボックス３１、紙幣回収ボックス４３内に収納されている紙幣の金種別の枚数を確認するために、第一の紙幣収納ボックス３０ａ、第二の紙幣収納ボックス３０ｂ、第三の紙幣収納ボックス３０ｃ、第四の紙幣収納ボックス３０ｄ、汚損紙幣収納ボックス３１および紙幣回収ボックス４３に収納されている紙幣を出金紙幣搬送路３５に繰り出して、繰り出された紙幣の金種を判別し、金種別の枚数を計数した後に、再度、第一の紙幣収納ボックス３０ａ、第二の紙幣収納ボックス３０ｂ、第三の紙幣収納ボックス３０ｃ、第四の紙幣収納ボックス３０ｄ、汚損紙幣収納ボックス３１および紙幣回収ボックス４３内に導いて、収納させることは必要でなく、第一の紙幣束収納ボックス９０ａ、第二の紙幣束収納ボックス９０ｂ、第三の紙幣束収納ボックス９０ｃおよび第四の紙幣束収納ボックス９０ｄに収納されている単位紙幣束を構成する紙幣の金種別の枚数を確認するために、第一の紙幣束収納ボックス９０ａ、第二の紙幣束収納ボックス９０ｂ、第三の紙幣束収納ボックス９０ｃおよび第四の紙幣束収納ボックス９０ｄ内に収納されている単位紙幣束を紙幣束搬送路９２に繰り出して、繰り出された単位紙幣束を構成する紙幣の金種を判別し、金種別の枚数を計数した後に、再度、単位紙幣束を、第一の紙幣束収納ボックス９０ａ、第二の紙幣束収納ボックス９０ｂ、第三の紙幣束収納ボックス９０ｃおよび第四の紙幣束収納ボックス９０ｄ内に導いて、収納させることも必要でない。
【０３９１】
したがって、本実施態様によれば、第一の紙幣収納ボックス３０ａ、第二の紙幣収納ボックス３０ｂ、第三の紙幣収納ボックス３０ｃ、第四の紙幣収納ボックス３０ｄ、汚損紙幣収納ボックス３１、紙幣回収ボックス４３から繰り出された紙幣を、再度、第一の紙幣収納ボックス３０ａ、第二の紙幣収納ボックス３０ｂ、第三の紙幣収納ボックス３０ｃ、第四の紙幣収納ボックス３０ｄ、汚損紙幣収納ボックス３１、紙幣回収ボックス４３内に導く紙幣搬送路などの特別な機構を設けることなく、第一の紙幣収納ボックス３０ａ、第二の紙幣収納ボックス３０ｂ、第三の紙幣収納ボックス３０ｃ、第四の紙幣収納ボックス３０ｄ、汚損紙幣収納ボックス３１、紙幣回収ボックス４３内に収納されている紙幣の金種ならびに金種別の枚数を正確に把握することができ、また、第一の紙幣束収納ボックス９０ａ、第二の紙幣束収納ボックス９０ｂ、第三の紙幣束収納ボックス９０ｃおよび第四の紙幣束収納ボックス９０ｄから繰り出された単位紙幣束を、再度、第一の紙幣束収納ボックス９０ａ、第二の紙幣束収納ボックス９０ｂ、第三の紙幣束収納ボックス９０ｃおよび第四の紙幣束収納ボックス９０ｄ内に導く紙幣搬送路などの特別な機構を設けることなく、第一の紙幣束収納ボックス９０ａ、第二の紙幣束収納ボックス９０ｂ、第三の紙幣束収納ボックス９０ｃおよび第四の紙幣束収納ボックス９０ｄ内に収納されている単位紙幣束を構成する紙幣の金種ならびに金種別の枚数を正確に把握することが可能になるから、簡易な構成で、かつ、簡易な操作によって、収納紙幣確認処理を実行することが可能になる。
【０３９２】
一日の業務が完了すると、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄが取り付けられた紙幣収納ユニット３０が、紙幣処理機から取り外され、さらに、オペレータによって、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄのハンドル２０２が把持されて、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄが、紙幣収納ユニット３０から取り外される。
【０３９３】
同様に、第一の紙幣束収納ボックス９０ａ、第二の紙幣束収納ボックス９０ｂ、第三の紙幣束収納ボックス９０ｃおよび第四の紙幣束収納ボックス９０ｄが取り付けられた紙幣束収納ユニット９０が、紙幣処理機から取り外され、さらに、オペレータによって、第一の紙幣束収納ボックス９０ａ、第二の紙幣束収納ボックス９０ｂ、第三の紙幣束収納ボックス９０ｃおよび第四の紙幣束収納ボックス９０ｄのハンドル２０２が把持されて、第一の紙幣束収納ボックス９０ａ、第二の紙幣束収納ボックス９０ｂ、第三の紙幣束収納ボックス９０ｃおよび第四の紙幣束収納ボックス９０ｄが、紙幣束収納ユニット９０から、取り外される。
【０３９４】
紙幣収納ユニット３０が、紙幣処理機から取り外されると、紙幣処理機の接続ターミナル２２０と、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄの接続ターミナル２１５との接続が断たれ、紙幣処理機のＣＰＵ５０から、汚損紙幣収納ボックス３１のコントローラ２４０ならびに第一の紙幣収納ボックス３０ａのコントローラ２５０ａ、第二の紙幣収納ボックス３０ｂのコントローラ２５０ｂ、第三の紙幣収納ボックス３０ｃのコントローラ２５０ｃおよび第四の紙幣収納ボックス３０ｄのコントローラ２５０ｄにシャッタ駆動信号が入力されなくなるため、シャッタソレノイド２４５、２５５ａ、２５５ｂ、２５５ｃおよび２５５ｄが駆動を停止し、したがって、スプリングなどの付勢手段の付勢力によって、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄのシャッタ２１０が閉じられる。したがって、紙幣処理機から取り外された状態では、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄのシャッタ２１０は、通常、閉じられている。
【０３９５】
同様に、紙幣束収納ユニット９０が、紙幣処理機から取り外されると、紙幣処理機の接続ターミナル２２０と、第一の紙幣束収納ボックス９０ａ、第二の紙幣束収納ボックス９０ｂ、第三の紙幣束収納ボックス９０ｃおよび第四の紙幣束収納ボックス９０ｄの接続ターミナル２１５との接続が断たれ、紙幣処理機のＣＰＵ５０から、第一の紙幣束収納ボックス９０ａのコントローラ３００ａ、第二の紙幣束収納ボックス９０ｂのコントローラ３００ｂ、第三の紙幣束収納ボックス９０ｃのコントローラ３００ｃおよび第四の紙幣束収納ボックス９０ｄのコントローラ３００ｄにシャッタ駆動信号が入力されなくなるため、シャッタソレノイド３０５ａ、３０５ｂ、３０５ｃおよび３０５ｄが駆動を停止し、したがって、スプリングなどの付勢手段の付勢力によって、第一の紙幣束収納ボックス９０ａ、第二の紙幣束収納ボックス９０ｂ、第三の紙幣束収納ボックス９０ｃおよび第四の紙幣束収納ボックス９０ｄのシャッタ２１０が閉じられる。したがって、紙幣処理機から取り外された状態では、第一の紙幣束収納ボックス９０ａ、第二の紙幣束収納ボックス９０ｂ、第三の紙幣束収納ボックス９０ｃおよび第四の紙幣束収納ボックス９０ｄのシャッタ２１０は、通常、閉じられている。
【０３９６】
こうして、紙幣収納ユニット３０から取り外された汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄは、収納されている紙幣を保管するための金庫として利用され、紙幣束収納ユニット９０から取り外された第一の紙幣束収納ボックス９０ａ、第二の紙幣束収納ボックス９０ｂ、第三の紙幣束収納ボックス９０ｃおよび第四の紙幣束収納ボックス９０ｄは、収納されている単位紙幣束を保管するための金庫として利用される。
【０３９７】
上述のように、本実施態様にかかる汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄはいずれも、紙幣処理機から取り外された状態で、その内部に収納されている紙幣の金種および金種別枚数を検出することができるように構成されており、同様に、第一の紙幣束収納ボックス９０ａ、第二の紙幣束収納ボックス９０ｂ、第三の紙幣束収納ボックス９０ｃおよび第四の紙幣束収納ボックス９０ｄも、紙幣処理機から取り外された状態で、その内部に収納されている単位紙幣束を構成する紙幣の金種および金種別枚数を検出することができるように構成されている。
【０３９８】
第一の紙幣束収納ボックス９０ａ内に収納されている単位紙幣束を構成する紙幣の金種および金種別枚数を検出する場合には、まず、オペレータによって、電源スイッチ２１１が操作され、第一の紙幣束収納ボックス９０ａのコントローラ３００ａが起動される。
【０３９９】
コントローラは、ＲＦＩＤリーダー３５０ａを起動し、ＲＦＩＤリーダー３５０ａから、所定の周波数の電波を発信させる。
【０４００】
第一の紙幣束収納ボックス９０ａのケーシング２００は、ＲＦＩＤリーダー３５０ａから発信される周波数の電波を遮蔽する性質を有する材料によって形成されているから、ＲＦＩＤリーダー３５０ａから発信された電波は、第一の紙幣束収納ボックス９０ａ内に収納されている単位紙幣束を構成する紙幣に形成されたインレットのアンテナおよび紙幣束に巻回された結束テープＴ１に形成されたインレットのアンテナのみによって受信される。
【０４０１】
したがって、ＲＦＩＤリーダー３５０ａによって、第一の紙幣束収納ボックス９０ａ内に収納されている単位紙幣束を構成する紙幣に形成されたインレットインレット中のＩＣチップに記録された紙幣のＩＤデータ、紙幣の金種データなどのＲＦＩＤデータならびに紙幣束に巻回された結束テープＴ１に形成されたインレット中のＩＣチップに記録された紙幣に関するＲＦＩＤデータおよび帯封処理に関するＲＦＩＤデータのみが読み取られて、コントローラ３００ａに出力され、ＲＡＭ３０２ａの所定のメモリ領域に格納される。
【０４０２】
前述のように、紙幣のＩＤデータ、紙幣の金種データなどのＲＦＩＤデータは、紙幣の発行権限を有する機関によって、特定のフォーマットで、インレット中のＩＣチップに記録されているから、コントローラ３００ａは、ＲＦＩＤリーダー３５０ａから入力され、ＲＡＭ３０２ａの所定のメモリ領域に格納されたＲＦＩＤデータに基づいて、第一の紙幣束収納ボックス９０ａ内に収納されている単位紙幣束を構成する紙幣の金種を判別するとともに、第一の紙幣束収納ボックス９０ａ内に収納されている単位紙幣束を構成する紙幣の金種別枚数を算出することができる。
【０４０３】
ここに、単位紙幣束に巻回された結束テープＴ１に形成されたインレット中のＩＣチップに記録された紙幣に関するＲＦＩＤデータおよび帯封処理に関するＲＦＩＤデータは、単位紙幣束の管理のために利用される。
【０４０４】
こうして、第一の紙幣束収納ボックス９０ａ内に収納されている単位紙幣束を構成する紙幣の金種別枚数が算出されると、コントローラ３００ａは、紙幣の金種別枚数の算出結果を、ディスプレイ２１２に表示するとともに、ＲＡＭ３０２ａの所定のメモリ領域に格納する。
【０４０５】
ここに、コントローラ３００ａは、通常、紙幣の金種別枚数の算出結果を、第一の紙幣束収納ボックス９０ａに収納されている紙幣の金種および金種ごとの枚数の形で、ディスプレイ２１２に表示するように構成されているが、オペレータは、第一の紙幣束収納ボックス９０ａのケーシング２００に形成されたディスプレイスイッチ２１３を操作することによって、紙幣の金種別枚数の算出結果を、第一の紙幣束収納ボックス９０ａ内に収納されている紙幣の金種および金種ごとの合計金額の形で、ディスプレイ２１２に表示させることもできる。
【０４０６】
第二の紙幣束収納ボックス９０ｂ、第三の紙幣束収納ボックス９０ｃおよび第四の紙幣束収納ボックス９０ｄ内に収納されている単位紙幣束を構成する紙幣の金種別枚数も、第二の紙幣束収納ボックス９０ｂ、第三の紙幣束収納ボックス９０ｃおよび第四の紙幣束収納ボックス９０ｄの電源スイッチ２１１を操作して、第二の紙幣束収納ボックス９０ｂのコントローラ３００ｂ、第三の紙幣束収納ボックス９０ｃのコントローラ３００ｃおよび第四の紙幣束収納ボックス９０ｄのコントローラ３００ｄを起動させることによって、同様にして、算出し、ディスプレイ２１２に表示させることができる。
【０４０７】
汚損紙幣収納ボックス３１に収納された汚損紙幣は、通常、こうして、金種別枚数を確認した上で、取り出されて、回収される。
【０４０８】
これに対して、第一の紙幣収納ボックス３０ａ、第二の紙幣収納ボックス３０ｂ、第三の紙幣収納ボックス３０ｃおよび第四の紙幣収納ボックス３０ｄ内に収納された紙幣は、業務を再開した際に、紙幣処理機から出金するための紙幣として利用され、第一の紙幣収納ボックス３０ａ、第二の紙幣収納ボックス３０ｂ、第三の紙幣収納ボックス３０ｃおよび第四の紙幣収納ボックス３０ｄは、業務の再開にあたって、紙幣収納ユニット３０に取り付けられて、紙幣処理機にセットされる。このとき、必要に応じて、第一の紙幣収納ボックス３０ａ、第二の紙幣収納ボックス３０ｂ、第三の紙幣収納ボックス３０ｃおよび第四の紙幣収納ボックス３０ｄ内に、それぞれ、第一の金種の紙幣、第二の金種の紙幣、第三の金種の紙幣および第四の金種の紙幣を補充した後に、第一の紙幣収納ボックス３０ａ、第二の紙幣収納ボックス３０ｂ、第三の紙幣収納ボックス３０ｃおよび第四の紙幣収納ボックス３０ｄを紙幣収納ユニット３０に取り付けて、紙幣処理機にセットすることもできる。
【０４０９】
同様に、第一の紙幣束収納ボックス９０ａ、第二の紙幣束収納ボックス９０ｂ、第三の紙幣束収納ボックス９０ｃおよび第四の紙幣束収納ボックス９０ｄ内に収納された単位紙幣束も、業務を再開した際に、紙幣処理機から出金するための単位紙幣束として利用され、第一の紙幣束収納ボックス９０ａ、第二の紙幣束収納ボックス９０ｂ、第三の紙幣束収納ボックス９０ｃおよび第四の紙幣束収納ボックス９０ｄは、業務の再開にあたって、紙幣束収納ユニット９０に取り付けられて、紙幣処理機にセットされる。このとき、必要に応じて、第一の紙幣束収納ボックス９０ａ、第二の紙幣束収納ボックス９０ｂ、第三の紙幣束収納ボックス９０ｃおよび／または第四の紙幣束収納ボックス９０ｄ内に、それぞれ、第一の金種の単位紙幣束、第二の金種の単位紙幣束、第三の金種の単位紙幣束および／または第四の金種の単位紙幣束を補充した後に、第一の紙幣束収納ボックス９０ａ、第二の紙幣束収納ボックス９０ｂ、第三の紙幣束収納ボックス９０ｃおよび第四の紙幣束収納ボックス９０ｄを、紙幣束収納ユニット９０に取り付けて、紙幣処理機にセットすることもできる。
【０４１０】
従来の紙幣処理機にあっては、一旦、紙幣処理機から、紙幣あるいは紙幣束を収納する紙幣収納ボックスを取り外し、再度、紙幣処理機にセットするときは、紙幣収納ボックス内に紙幣あるいは紙幣束を補充したか否かにかかわらず、紙幣収納ボックスに収納されている紙幣の金種別枚数を確認し、ＲＡＭ５２に記憶させるため、紙幣収納ボックスに収納されている紙幣あるいは紙幣束を、出金紙幣搬送路３５あるいは紙幣束搬送路９０に繰り出し、紙幣の金種を判別し、再度、紙幣収納ボックス内に導いて、収納させることが必要であった。
【０４１１】
しかしながら、本実施態様によれば、第一の紙幣収納ボックス３０ａ、第二の紙幣収納ボックス３０ｂ、第三の紙幣収納ボックス３０ｃおよび第四の紙幣収納ボックス３０ｄを紙幣処理機にセットするのに先立って、第一の紙幣収納ボックス３０ａのコントローラ２５０ａ、第二の紙幣収納ボックス３０ｂのコントローラ２５０ｂ、第三の紙幣収納ボックス３０ｃのコントローラ２５０ｃおよび第四の紙幣収納ボックス３０ｄのコントローラ２５０ｄを起動させて、対応するＲＦＩＤリーダー３２ａ、３２ｂ、３２ｃ、３２ｄによって、その内部に収納されている紙幣のＲＦＩＤデータを読み取ることにより、第一の紙幣収納ボックス３０ａ、第二の紙幣収納ボックス３０ｂ、第三の紙幣収納ボックス３０ｃおよび第四の紙幣収納ボックス３０ｄ内に収納されている紙幣の金種別枚数を正確に把握することができ、あるいは、第一の紙幣収納ボックス３０ａ、第二の紙幣収納ボックス３０ｂ、第三の紙幣収納ボックス３０ｃおよび第四の紙幣収納ボックス３０ｄを紙幣処理機にセットした後、紙幣処理機による紙幣の処理に先立って、紙幣処理機のＣＰＵ５０に収納紙幣確認処理を実行させることにより、第一の紙幣収納ボックス３０ａ、第二の紙幣収納ボックス３０ｂ、第三の紙幣収納ボックス３０ｃおよび第四の紙幣収納ボックス３０ｄ内に収納されている紙幣の金種別枚数を正確に把握することができるから、第一の紙幣収納ボックス３０ａ、第二の紙幣収納ボックス３０ｂ、第三の紙幣収納ボックス３０ｃおよび第四の紙幣収納ボックス３０ｄを紙幣処理機にセットした後、紙幣処理機による紙幣の処理に先立って、第一の紙幣収納ボックス３０ａ、第二の紙幣収納ボックス３０ｂ、第三の紙幣収納ボックス３０ｃおよび第四の紙幣収納ボックス３０ｄ内に収納されている紙幣を、出金紙幣搬送路３５に繰り出し、出金紙幣判別部４０によって検出した紙幣のデータに基づいて、紙幣の金種を判別し、再度、第一の紙幣収納ボックス３０ａ、第二の紙幣収納ボックス３０ｂ、第三の紙幣収納ボックス３０ｃおよび第四の紙幣収納ボックス３０ｄ内に導いて、収納させる必要がなく、業務再開時の操作を大幅に簡易化することが可能になる。
【０４１２】
同様に、第一の紙幣束収納ボックス９０ａ、第二の紙幣束収納ボックス９０ｂ、第三の紙幣束収納ボックス９０ｃおよび第四の紙幣束収納ボックス９０ｄを紙幣処理機にセットするのに先立って、第一の紙幣束収納ボックス９０ａのコントローラ３００ａ、第二の紙幣束収納ボックス９０ｂのコントローラ３００ｂ、第三の紙幣束収納ボックス９０ｃのコントローラ３００ｃおよび第四の紙幣束収納ボックス９０ｄのコントローラ３００ｄ対応するＲＦＩＤリーダー３５０ａ、３５０ｂ、３５０ｃ、３５０ｄによって、その内部に収納されている単位紙幣束を構成する紙幣のＲＦＩＤデータを読み取ることにより、第一の紙幣束収納ボックス９０ａ、第二の紙幣束収納ボックス９０ｂ、第三の紙幣束収納ボックス９０ｃおよび第四の紙幣束収納ボックス９０ｄ内に収納されている単位紙幣束を構成する紙幣の金種別枚数を正確に把握することができ、あるいは、第一の紙幣束収納ボックス９０ａ、第二の紙幣束収納ボックス９０ｂ、第三の紙幣束収納ボックス９０ｃおよび第四の紙幣束収納ボックス９０ｄを紙幣処理機にセットした後、紙幣処理機による紙幣の処理に先立って、紙幣処理機のＣＰＵ５０に収納紙幣確認処理を実行させることにより、第一の紙幣束収納ボックス９０ａ、第二の紙幣束収納ボックス９０ｂ、第三の紙幣束収納ボックス９０ｃおよび第四の紙幣束収納ボックス９０ｄに収納されている単位紙幣束を構成する紙幣の金種別枚数を正確に把握することができるから、第一の紙幣束収納ボックス９０ａ、第二の紙幣束収納ボックス９０ｂ、第三の紙幣束収納ボックス９０ｃおよび第四の紙幣束収納ボックス９０ｄを紙幣処理機にセットした後、紙幣処理機による紙幣の処理に先立って、第一の紙幣束収納ボックス９０ａ、第二の紙幣束収納ボックス９０ｂ、第三の紙幣束収納ボックス９０ｃおよび第四の紙幣束収納ボックス９０ｄ内に収納されている単位紙幣束を、紙幣束搬送路９０に繰り出し、紙幣束検出部９９によって検出した紙幣のデータに基づいて、紙幣の金種を判別し、再度、第一の紙幣束収納ボックス９０ａ、第二の紙幣束収納ボックス９０ｂ、第三の紙幣束収納ボックス９０ｃおよび第四の紙幣束収納ボックス９０ｄ内に導いて、収納させる必要がなく、業務再開時の操作を大幅に簡易化することが可能になる。
【０４１３】
本実施態様によれば、さらに、第一の紙幣帯封機構２の第一の紙幣帯封ユニット８０の結束テープ供給部材８７の近傍には、結束テープＴ１に形成されたインレット内のＩＣチップに、結束テープＴ１を巻き付けて、生成されるべき単位紙幣束に含まれる紙幣のＩＤデータ、金種データなどの単位紙幣束を構成する紙幣に関するＲＦＩＤデータならびに帯封処理を施した紙幣の枚数、帯封処理を施した日時、帯封処理を施した金融機関名、帯封処理の実行者などの帯封処理に関するＲＦＩＤデータを書き込むＲＦＩＤライター８８が設けられているから、第一の紙幣帯封機構２によって生成された単位紙幣束を所望のように管理することが可能になる。
【０４１４】
また、本実施態様によれば、第二の紙幣帯封機構３の第二の紙幣帯封ユニット１１０には、紙幣束に巻き付けられるべき結束テープＴ２に形成されたインレット内のＩＣチップに、生成されるべき紙幣束に含まれる各単位紙幣束に巻回された結束テープＴ１に形成されたインレット中のＩＣチップに書き込まれた各単位紙幣束に含まれる紙幣のＩＤデータ、金種データなどの紙幣束を構成する紙幣に関するＲＦＩＤデータおよび各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータ、ならびに、帯封処理を施した単位紙幣束を特定するデータ、帯封処理を施した単位紙幣束の数、帯封処理を施した日時、帯封処理を施した金融機関名、帯封処理の実行者などの帯封処理に関するＲＦＩＤデータを書き込むＲＦＩＤライター１１５が設けられているから、第二の紙幣帯封機構３によって生成された第二の所定数に等しい数の単位紙幣束を含む紙幣束を所望のように管理することが可能になる。
【０４１５】
さらに、本実施態様によれば、第一の紙幣帯封機構２によって、単位紙幣束を生成するときに、結束テープＴ１に形成されたインレット内のＩＣチップに書き込んだ帯封処理に関するＲＦＩＤデータが、紙幣束を生成する権限を有する金融機関が共同管理する中央管理サーバ５４に出力されて、格納されるように構成されているから、紙幣束入金口１００に、第一の所定数に等しい紙幣を含む単位紙幣束を投入して、第二の紙幣帯封機構３によって、第二の所定数に等しい数の単位紙幣束を含む紙幣束を生成する際に、結束テープに形成されたインレット内のＩＣチップに書き込んだ帯封処理に関するＲＦＩＤデータが、中央管理サーバ５４に格納されているか否かを判別するだけで、紙幣束入金口１００に投入された単位紙幣束が、紙幣束を生成する権限を有する金融機関によって真正に生成されたものか否かを判別して、第二の所定数に等しい数の単位紙幣束を含む紙幣束を生成することができ、したがって、紙幣処理機の紙幣束管理能力を大幅に向上させることが可能になる。
【０４１６】
また、本実施態様によれば、第一の紙幣束収納ボックス９０ａ、第二の紙幣束収納ボックス９０ｂ、第三の紙幣束収納ボックス９０ｃおよび第四の紙幣束収納ボックス９０ｄ内には、それぞれ、紙幣に形成されたインレット中のＩＣチップに記録された紙幣のＩＤデータ、紙幣の金種データなどのＲＦＩＤデータを読み取るＲＦＩＤリーダー３５０ａ、ＲＦＩＤリーダー３５０ｂ、ＲＦＩＤリーダー３５０ｃおよびＲＦＩＤリーダー３５０ｄが設けられているので、ＲＦＩＤリーダー３５０ａ、ＲＦＩＤリーダー３５０ｂ、ＲＦＩＤリーダー３５０ｃおよびＲＦＩＤリーダー３５０ｄが読み取った紙幣のＲＦＩＤデータに基づいて、第一の紙幣束収納ボックス９０ａ、第二の紙幣束収納ボックス９０ｂ、第三の紙幣束収納ボックス９０ｃおよび第四の紙幣束収納ボックス９０ｄ内に収納された単位紙幣束を繰り出すことなく、随時、第一の紙幣束収納ボックス９０ａ、第二の紙幣束収納ボックス９０ｂ、第三の紙幣束収納ボックス９０ｃおよび第四の紙幣束収納ボックス９０ｄ内に収納された単位紙幣束を構成する紙幣の金種別の枚数を確認することが可能になる。したがって、第一の紙幣束収納ボックス９０ａ、第二の紙幣束収納ボックス９０ｂ、第三の紙幣束収納ボックス９０ｃおよび第四の紙幣束収納ボックス９０ｄ内に収納された単位紙幣束を構成する紙幣の金種別の枚数を確認するために、特別の紙幣束の搬送路を設ける必要がないから、紙幣処理機の構造を簡易化することができる。
【０４１７】
さらに、本実施態様によれば、第一の紙幣収納ボックス３０ａ、第二の紙幣収納ボックス３０ｂ、第三の紙幣収納ボックス３０ｃおよび第四の紙幣収納ボックス３０ｄならびに汚損紙幣収納ボックス３１は、それぞれ、紙幣処理機から取り外された状態で、それぞれの内部に収納されている紙幣の金種別枚数を検出可能に構成されており、したがって、第一の紙幣収納ボックス３０ａ、第二の紙幣収納ボックス３０ｂ、第三の紙幣収納ボックス３０ｃおよび第四の紙幣収納ボックス３０ｄならびに汚損紙幣収納ボックス３１の金庫としての機能を向上させることができる。
【０４１８】
また、本実施態様によれば、第一の紙幣束収納ボックス９０ａ、第二の紙幣束収納ボックス９０ｂ、第三の紙幣束収納ボックス９０ｃおよび第四の紙幣束収納ボックス９０ｄは、それぞれ、紙幣処理機から取り外された状態で、それぞれの内部に収納されている単位紙幣束を構成する紙幣の金種別枚数を検出可能に構成されており、したがって、第一の紙幣束収納ボックス９０ａ、第二の紙幣束収納ボックス９０ｂ、第三の紙幣束収納ボックス９０ｃおよび第四の紙幣束収納ボックス９０ｄの金庫としての機能を向上させることができる。
【０４１９】
本発明は、以上の実施態様に限定されることなく、特許請求の範囲に記載された発明の範囲内で種々の変更が可能であり、それらも本発明の範囲内に包含されるものであることはいうまでもない。
【０４２０】
たとえば、図１ないし図８に示された実施態様においては、第一の紙幣収納ボックス３０ａ、第二の紙幣収納ボックス３０ｂ、第三の紙幣収納ボックス３０ｃおよび第四の紙幣収納ボックス３０ｄならびに汚損紙幣収納ボックス３１が、紙幣を入金し、入金した紙幣を出金のために利用するように構成された紙幣処理機に取り付けられ、図９ないし図１８に示された実施態様においては、第一の紙幣収納ボックス３０ａ、第二の紙幣収納ボックス３０ｂ、第三の紙幣収納ボックス３０ｃ、第四の紙幣収納ボックス３０ｄ、汚損紙幣収納ボックス３１、第一の紙幣束収納ボックス９０ａ、第二の紙幣束収納ボックス９０ｂ、第三の紙幣束収納ボックス９０ｃおよび第四の紙幣束収納ボックス９０ｄが、入金した紙幣を出金のために利用するように構成された紙幣入出金機構１と、第一の所定数の紙幣の単位紙幣束を生成する第一の紙幣帯封機構２と、第一の所定数の紙幣を含む単位紙幣束を、第二の所定数だけ、重ね合わせて、紙幣束を生成する第二の紙幣帯封機構３を備えた紙幣処理機に取り付けられているが、本発明にかかる紙幣収納ボックスが取り付けられる紙幣処理機は特定の機能を有するものに限定されるものではなく、本発明にかかる紙幣収納ボックスは、たとえば、紙幣を入金する機能を有さず、もっぱら、紙幣収納ボックス内に収納された紙幣を出金するように構成された紙幣処理機に取り付けて、利用することもできる。
【０４２１】
また、前記実施態様においては、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄは、紙幣処理機にセットされる際、紙幣処理機に取り外し可能に構成された紙幣収納ユニット３０に取り外し可能に取り付けられているが、汚損紙幣収納ボックス３１ならびに第一の紙幣収納ボックス３０ａ、第二の紙幣収納ボックス３０ｂ、第三の紙幣収納ボックス３０ｃおよび第四の紙幣収納ボックス３０ｄが、紙幣処理機に直接取り外し可能に構成されていてもよい。
【０４２２】
さらに、図９ないし図１８に示された実施態様においては、第一の紙幣束収納ボックス９０ａ、第二の紙幣束収納ボックス９０ｂ、第三の紙幣束収納ボックス９０ｃおよび第四の紙幣束収納ボックス９０ｄは、紙幣処理機にセットされる際、紙幣処理機に取り外し可能に構成された紙幣束収納ユニット９０に取り外し可能に取り付けられているが、第一の紙幣束収納ボックス９０ａ、第二の紙幣束収納ボックス９０ｂ、第三の紙幣束収納ボックス９０ｃおよび第四の紙幣束収納ボックス９０ｄが、紙幣処理機に直接取り外し可能に構成されていてもよい。
【０４２３】
また、前記実施態様においては、出金紙幣判別部４０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種、紙幣が１枚ずつ送られているか否かならびに紙幣の短辺が紙幣の搬送方向と平行になるように送られているか否かを判別するための光学データおよび磁気データを生成するセンサユニット４０ａと、紙幣に形成されたインレット中のＩＣチップに記録された紙幣のＩＤデータ、紙幣の金種データなどのＲＦＩＤデータを読み取るＲＦＩＤリーダー４０ｂとを備え、ＲＦＩＤリーダー４０ｂが読み取った紙幣のＲＦＩＤデータに基づいて、紙幣の金種を暫定的に判別し、センサユニット４０ａが検出した紙幣の光学データおよび磁気データと、暫定的に決定した紙幣の金種に対応する金種の紙幣の基準光学データおよび基準磁気データとを比較して、出金すべき紙幣が、現に流通している真正な紙幣か否かを判別し、現に流通している真正な紙幣と判別したときは、紙幣の金種を判別するとともに、１枚ずつ、搬送されているか否か、および、その短辺が紙幣の搬送方向と平行に搬送されているか否かを判別し、出金すべき紙幣の全部あるいは一部が重なり合って、送られていると判別した場合および出金すべき紙幣が、その短辺が紙幣の搬送方向と角度をなして送られていると判別した場合に、それらの紙幣を、紙幣回収ボックス４３内に送って、回収するように構成されているが、センサユニット４０ａが検出した紙幣のデータのみに基づいて、出金すべき紙幣が、現に流通している真正な紙幣か否か、その金種ならびに出金すべき紙幣が１枚ずつ、搬送されているか否か、および、その短辺が紙幣の搬送方向と平行に搬送されているか否かを判別することは可能であるから、出金紙幣判別部４０が、紙幣に形成されたインレット中のＩＣチップに記録された紙幣のＩＤデータ、紙幣の金種データなどのＲＦＩＤデータを読み取るＲＦＩＤリーダー４０ｂを備えていることは必ずしも必要でない。
【０４２４】
さらに、前記実施態様においては、出金紙幣判別部４０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種、紙幣が１枚ずつ送られているか否かならびに紙幣の短辺が紙幣の搬送方向と平行になるように送られているか否かを判別するための光学データおよび磁気データを生成するセンサユニット４０ａと、紙幣に形成されたインレット中のＩＣチップに記録された紙幣のＩＤデータ、紙幣の金種データなどのＲＦＩＤデータを読み取るＲＦＩＤリーダー４０ｂとを備えているが、光学センサ手段が検出した紙幣の光学データのみに基づいて、出金すべき紙幣が、現に流通している真正な紙幣か否か、その金種ならびに出金すべき紙幣が１枚ずつ、搬送されているか否か、および、その短辺が紙幣の搬送方向と平行に搬送されているか否かを判別することは可能であるから、出金紙幣判別部４０は、光学センサ手段を備えていれば足り、紙幣の磁気的性質を検出する磁気センサを備えていることは必ずしも必要でない。
【０４２５】
また、前記実施態様においては、紙幣判別部１５は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種および汚損レベル、紙幣が１枚ずつ送られているか否かならびに紙幣の短辺が紙幣の搬送方向と平行になるように送られているか否かを判別するための光学データおよび磁気データを生成するセンサユニット１５ａと、紙幣に形成されたインレット中のＩＣチップに記録された紙幣のＩＤデータ、紙幣の金種データなどのＲＦＩＤデータを読み取るＲＦＩＤリーダー１５ｂとを備えているが、２枚以上の紙幣の全部あるいは一部が重なり合って、送られているか否かは、センサユニット１５ａに含まれる光学センサ手段の透過光センサが検出した透過光データによって判別することができ、一方、センサユニット１５ａに含まれる光学センサ手段の反射光センサが検出したデータに基づいて、金種が確定できない紙幣には、偽造紙幣および外国紙幣だけでなく、紙幣の短辺が紙幣の搬送方向と角度をなして送られている紙幣も含まれるが、紙幣判別部１５が検出した紙幣のデータに基づいて、偽造紙幣あるいは外国紙幣と判別された紙幣ならびに紙幣の短辺が紙幣の搬送方向と角度をなして送られていると判別された紙幣は、いずれも、紙幣返却口１３に送られて、オペレータに返却され、紙幣判別部１５が検出した紙幣のデータに基づいて、偽造紙幣あるいは外国紙幣と、紙幣の短辺が紙幣の搬送方向と角度をなして送られている紙幣とを区別する必要はないから、紙幣判別部１５は、センサユニット１５ａを備えていればよく、ＲＦＩＤデータを読み取るＲＦＩＤリーダー１５ｂを備えていることは必ずしも必要でない。さらに、紙幣判別部１５が、光学センサ手段を備えていれば、ＣＰＵ５０は、紙幣判別部１５が検出した紙幣のデータに基づいて、紙幣の金種を判別することができるから、紙幣判別部１５に含まれるセンサユニット１５ａが、磁気センサを備えていることは必ずしも必要でない。
【０４２６】
さらに、前記実施態様においては、紙幣判別部１５は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種および汚損レベル、紙幣が１枚ずつ送られているか否かならびに紙幣の短辺が紙幣の搬送方向と平行になるように送られているか否かを判別するための光学データおよび磁気データを生成するセンサユニット１５ａと、紙幣に形成されたインレット中のＩＣチップに記録された紙幣のＩＤデータ、紙幣の金種データなどのＲＦＩＤデータを読み取るＲＦＩＤリーダー１５ｂとを備え、ＣＰＵ５０は、センサユニット１５ａに含まれた光学センサ手段の反射光センサが検出した紙幣の反射光データと、ＲＦＩＤリーダー１５ｂが読み取った紙幣のＲＦＩＤデータに基づいて、紙幣の短辺が紙幣の搬送方向と平行になるように送られているか否かを判別するように構成されているが、紙幣判別部１５に、さらに、紙幣判別部１５を通過する紙幣の両側部を検出する一対の光学センサを設け、一対の光学センサが紙幣を検出するタイミングにしたがって、ＣＰＵ５０が、紙幣の短辺が紙幣の搬送方向と平行になるように送られているか否かを判別するように構成することもできる。
【０４２７】
また、前記実施態様においては、出金紙幣判別部４０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種、紙幣が１枚ずつ送られているか否かならびに紙幣の短辺が紙幣の搬送方向と平行になるように送られているか否かを判別するための光学データおよび磁気データを生成するセンサユニット４０ａと、紙幣に形成されたインレット中のＩＣチップに記録された紙幣のＩＤデータ、紙幣の金種データなどのＲＦＩＤデータを読み取るＲＦＩＤリーダー４０ｂとを備えているが、ＲＦＩＤリーダー４０ｂが読み取った紙幣のＲＦＩＤデータに基づいて、ＣＰＵ５０は、紙幣が、真正でかつ現に流通している紙幣か否かおよび紙幣の金種を判別することができ、また、２枚以上の紙幣の全部あるいは一部が重なり合って、送られている場合には、出金紙幣判別部４０のＲＦＩＤリーダー４０ｂから、所定の時間内に、２枚以上の紙幣のＲＦＩＤデータが、ＣＰＵ５０に入力され、ＣＰＵ５０は、ＲＦＩＤリーダー４０ｂが読み取ったＲＦＩＤデータに基づき、２枚以上の紙幣の全部あるいは一部が重なり合って、送られているか否かを判別することも可能であるから、出金紙幣判別部４０は、ＲＦＩＤリーダー４０ｂに加えて、紙幣の短辺が紙幣の搬送方向と平行になるように送られているか否かを判別するためのデータを検出するセンサを備えていればよく、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備えたセンサユニット４０ａを備えていることは必ずしも必要でない。上述のように、ＣＰＵ５０は、ＲＦＩＤリーダー４０ｂが読み取った紙幣のＲＦＩＤデータに基づいて、紙幣が、真正でかつ現に流通している紙幣か否か、真正でかつ現に流通している紙幣である場合は、その金種ならびに紙幣が１枚ずつ送られているか否かを判別することができ、ＲＦＩＤリーダー４０ｂが読み取ったＲＦＩＤデータおよび反射光センサが検出した紙幣の反射光データに基づき、紙幣の短辺が紙幣の搬送方向と平行になるように送られているか否かを判別することができるから、出金紙幣判別部４０は、ＲＦＩＤリーダー４０ｂに加えて、反射光センサを備えていれば十分であるし、また、反射光センサに代えて、出金紙幣判別部４０に、紙幣判別部１５を通過する紙幣の両側部を検出する一対の光学センサを設け、一対の光学センサが紙幣を検出するタイミングにしたがって、ＣＰＵ５０が、紙幣の短辺が紙幣の搬送方向と平行になるように送られているか否かを判別するように構成することもできる。
【０４２８】
さらに、前記実施態様においては、紙幣判別部１５のセンサユニット１５ａおよび出金紙幣判別部４０のセンサユニット４０ａは、それぞれ、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種、紙幣が１枚ずつ送られているか否かならびに紙幣の短辺が紙幣の搬送方向と平行になるように送られているか否かを判別するための光学データおよび磁気データを生成するように構成されているが、紙幣判別部１５のセンサユニット１５ａおよび出金紙幣判別部４０のセンサユニット４０ａが、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備えていることは必ずしも必要でなく、光学センサ手段および磁気センサに代えて、紙幣に向けて、紫外線光源を発する紫外線光源と、紫外線光源から発せられた紫外線によって、紙幣に含まれた蛍光物質が励起されて、放出された蛍光を検出する光学センサを用いることもできる。
【０４２９】
さらに、前記実施態様においては、紙幣判別部１５によって検出されたデータに基づいて、ＣＰＵ５０は、紙幣が、真正でかつ現に流通している紙幣であるか否か、紙幣が真正でかつ現に流通している紙幣である場合には、その金種、紙幣が、１枚ずつ、搬送されているか否かならびに紙幣が、その短辺が紙幣の搬送方向と平行になるように搬送されているかを判別するように構成されているが、さらに、紙幣判別部１５によって検出されたデータに基づいて、ＣＰＵ５０が、紙幣の表裏を判別するように構成するとともに、搬送路１６と紙幣一時貯留ユニット２７との間に、紙幣の表裏を反転可能な表裏反転機構を設け、紙幣が裏向きで送られていると判別したときは、紙幣の表裏を反転させて、紙幣一時貯留ユニット２７に送るように構成することもできる。
【０４３０】
また、前記実施態様においては、紙幣一時貯留ユニット２７は、ロック部材によるロックが解除することによって、スライドさせて、紙幣処理機から取り出し可能に構成され、紙幣処理機の紙幣入金口１１に投入された紙幣の入金処理を中止する場合に、紙幣一時貯留ユニット２７の汚損硬貨一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄ内に一時的に貯留されていた紙幣を回収可能に構成されているが、紙幣一時貯留ユニット２７を、紙幣処理機から取り出し可能に構成することは必ずしも必要でなく、紙幣一時貯留ユニット２７の汚損硬貨一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄ内に一時的に貯留されていた紙幣を繰り出して、紙幣返却口１３に送り返す機構を設けて、紙幣処理機の紙幣入金口１１に投入された紙幣の入金処理を中止するときに、紙幣一時貯留ユニット２７の汚損硬貨一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄ内に一時的に貯留されていた紙幣を、紙幣返却口１３に返却可能に構成し、紙幣一時貯留ユニット２７を紙幣処理機に固定するように構成することもできる。
【０４３１】
さらに、図９ないし図１８に示された実施態様においては、紙幣処理機は、紙幣入出金機構１の紙幣入金口１１に投入された真正でかつ現に流通している紙幣を、一旦、第一の紙幣一時貯留ボックス２７ａ、第二の紙幣一時貯留ボックス２７ｂ、第三の紙幣一時貯留ボックス２７ｃあるいは第四の紙幣一時貯留ボックス２７ｄに収納し、紙幣入出金機構１の第一の紙幣一時貯留ボックス２７ａ、第二の紙幣一時貯留ボックス２７ｂ、第三の紙幣一時貯留ボックス２７ｃあるいは第四の紙幣一時貯留ボックス２７ｄに収納された紙幣を、第一の紙幣帯封機構２に送って、単位紙幣束を生成するように構成されているが、さらに、紙幣処理機に、搬送路１６と接続搬送路４７を選択的に接続する搬送路を設けて、紙幣処理機を、紙幣入出金機構１の紙幣入金口１１に投入された紙幣を、第一の紙幣一時貯留ボックス２７ａ、第二の紙幣一時貯留ボックス２７ｂ、第三の紙幣一時貯留ボックス２７ｃあるいは第四の紙幣一時貯留ボックス２７ｄに収納することなく、第一の紙幣帯封機構２に送って、単位紙幣束を生成することができるように構成することもできる。
【０４３２】
また、図９ないし図１８に示された実施態様においては、紙幣処理機の第一の紙幣帯封機構２は、第一の紙幣集積ボックス８１および第二の紙幣集積ボックス８２を備えているが、紙幣処理機によって処理されるべき紙幣の金種の数に等しい数の紙幣集積ボックス、たとえば、４つの紙幣集積ボックスを備えていてもよく、紙幣処理機を、紙幣入出金機構１の紙幣入金口１１に投入された紙幣を、第一の紙幣一時貯留ボックス２７ａ、第二の紙幣一時貯留ボックス２７ｂ、第三の紙幣一時貯留ボックス２７ｃあるいは第四の紙幣一時貯留ボックス２７ｄに収納することなく、第一の紙幣帯封機構２に送って、単位紙幣束を生成可能に構成する場合には、紙幣処理機の第一の紙幣帯封機構２に、紙幣処理機によって処理されるべき紙幣の金種の数に等しい数の紙幣集積ボックスを設けることが好ましい。
【０４３３】
さらに、図９ないし図１８に示された実施態様においては、紙幣処理機は、入金された紙幣の単位紙幣束を生成可能に構成され、さらに、第一の紙幣帯封機構２によって生成された単位紙幣束を、第二の所定数に等しい数だけ、束ねて、第二の所定数に等しい数の単位紙幣束を含む紙幣束を生成する第二の紙幣帯封機構３を備えているが、紙幣処理機に、第二の紙幣帯封機構３を一体的に設けることは必ずしも必要でない。
【０４３４】
また、図９ないし図１８に示された実施態様においては、紙幣保持手段８６の一対の挟持部材８６ａ、８６ｂによって挟持された集積紙幣の略中央部に、結束テープＴ１を巻き付けて、単位紙幣束を生成するのに先立って、結束テープＴ１に形成されたインレット内のＩＣチップに、生成されるべき単位紙幣束に含まれる紙幣の金種データ、ＩＤデータなどの単位紙幣束を構成する紙幣に関するＲＦＩＤデータならびに金融機関名、支店名、紙幣処理機のＩＤデータ、オペレータの名前、帯封処理を実行する日時などの帯封処理に関するＲＦＩＤデータを書き込むように構成されているが、単位紙幣束を生成するのに先立って、結束テープＴ１に形成されたインレット内のＩＣチップに、生成されるべき単位紙幣束に含まれる紙幣の金種データ、ＩＤデータなどの単位紙幣束を構成する紙幣に関するＲＦＩＤデータならびに金融機関名、支店名、紙幣処理機のＩＤデータ、オペレータの名前、帯封処理を実行する日時などの帯封処理に関するＲＦＩＤデータを書き込むことは必ずしも必要でなく、紙幣保持手段８６の一対の挟持部材８６ａ、８６ｂによって挟持された集積紙幣の略中央部に、結束テープＴ１を巻き付けて、単位紙幣束を生成した後に、結束テープＴ１に形成されたインレット内のＩＣチップに、生成されるべき単位紙幣束に含まれる紙幣の金種データ、ＩＤデータなどの単位紙幣束を構成する紙幣に関するＲＦＩＤデータならびに金融機関名、支店名、紙幣処理機のＩＤデータ、オペレータの名前、帯封処理を実行する日時などの帯封処理に関するＲＦＩＤデータを書き込むようにすることもできる。
【０４３５】
さらに、図９ないし図１８に示された実施態様においては、紙幣保持手段１１２の一対の挟持部材によって挟持された紙幣束の略中央部に、結束テープＴ２を巻き付け、第二の所定数に等しい数の単位紙幣束を含む紙幣束を生成するのに先立って、結束テープＴ２に形成されたインレット内のＩＣチップに、各単位紙幣束に巻回された結束テープＴ１に形成されたインレット中のＩＣチップに書き込まれた各単位紙幣束に含まれる紙幣のＩＤデータ、金種データなどの紙幣束を構成する紙幣に関するＲＦＩＤデータおよび各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータ、ならびに、帯封処理を施した単位紙幣束を特定するデータ、帯封処理を施した単位紙幣束の数、帯封処理を施した日時、帯封処理を施した金融機関名、帯封処理の実行者などの帯封処理に関するＲＦＩＤデータを書き込むように構成されているが、第二の所定数に等しい数の単位紙幣束を含む紙幣束を生成するのに先立って、結束テープＴ２に形成されたインレット内のＩＣチップに、これらのＲＦＩＤデータを書き込むことは必ずしも必要でなく、紙幣保持手段１１２の一対の挟持部材によって挟持された紙幣束の略中央部に、結束テープＴ２を巻き付け、第二の所定数に等しい数の単位紙幣束を含む紙幣束を生成し後に、結束テープＴ２に形成されたインレット内のＩＣチップに、各単位紙幣束に巻回された結束テープＴ１に形成されたインレット中のＩＣチップに書き込まれた各単位紙幣束に含まれる紙幣のＩＤデータ、金種データなどの紙幣束を構成する紙幣に関するＲＦＩＤデータおよび各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータ、ならびに、帯封処理を施した単位紙幣束を特定するデータ、帯封処理を施した単位紙幣束の数、帯封処理を施した日時、帯封処理を施した金融機関名、帯封処理の実行者などの帯封処理に関するＲＦＩＤデータを書き込むようにすることもできる。
【０４３６】
また、図９ないし図１８に示された実施態様においては、第一の紙幣帯封ユニット８０の第一の紙幣集積ボックス８１および第二の紙幣集積ボックス８２、紙幣保持手段８６、巻き付け手段、ＲＦＩＤライター８８およびＲＦＩＤライター８８の近傍の結束テープＴ１の搬送路は、結束テープＴ１に形成されたインレット内のＩＣチップにＲＦＩＤデータを書き込む際に、ＲＦＩＤライター８８から発信される周波数の電波を遮蔽する材料によって形成されたケーシング８９によって覆われているが、結束テープＴ１に形成されたインレット内のＩＣチップに、あらかじめ、固有のＩＤデータが書き込まれ、ＩＣチップが、書き込まれた固有のＩＤデータとともに、ＲＦＩＤライター８８から発信された電波以外は受信しないように構成されている場合には、第一の紙幣帯封ユニット８０の第一の紙幣集積ボックス８１および第二の紙幣集積ボックス８２、紙幣保持手段８６、巻き付け手段、ＲＦＩＤライター８８およびＲＦＩＤライター８８の近傍の結束テープＴ１の搬送路が、ＲＦＩＤライター８８から発信される周波数の電波を遮蔽する材料によって形成されたケーシング８９によって覆われていることは必ずしも必要でない。
【０４３７】
さらに、図９ないし図１８に示された実施態様においては、第二の紙幣帯封ユニット１１０の紙幣束集積手段１１１、紙幣束保持部材１１２、巻き付け手段１１４、ＲＦＩＤライター１１５およびＲＦＩＤライター１１５の近傍の結束テープＴ２の搬送路は、結束テープＴ２に形成されたインレット内のＩＣチップにＲＦＩＤデータを書き込む際に、ＲＦＩＤライター１１５から発信される周波数の電波を遮蔽する材料によって形成されたケーシング１１６によって覆われているが、結束テープＴ２に形成されたインレット内のＩＣチップに、あらかじめ、固有のＩＤデータが書き込まれ、ＩＣチップが、書き込まれた固有のＩＤデータとともに、ＲＦＩＤライター１１５から発信された電波以外は受信しないように構成されている場合には、第二の紙幣帯封ユニット１１０の紙幣束集積手段１１１、紙幣束保持部材１１２、巻き付け手段１１４、ＲＦＩＤライター１１５およびＲＦＩＤライター１１５の近傍の結束テープＴ２の搬送路が、ＲＦＩＤライター１１５から発信される周波数の電波を遮蔽する材料によって形成されたケーシング１１６によって覆われていることは必ずしも必要でない。
【０４３８】
また、図９ないし図１８に示された実施態様においては、第一の紙幣帯封機構２の第一の紙幣束収納ボックス９０ａ、第二の紙幣束収納ボックス９０ｂ、第三の紙幣束収納ボックス９０ｃおよび第四の紙幣束収納ボックス９０ｄ内には、それぞれ、紙幣に形成されたインレット中のＩＣチップに記録された紙幣のＩＤデータ、紙幣の金種データなどのＲＦＩＤデータを読み取るＲＦＩＤリーダー３５０ａ、３５０ｂ、３５０ｃおよび３５０ｄが設けられており、ＲＦＩＤリーダー３５０ａ、３５０ｂ、３５０ｃおよび３５０ｄが読み取ったＲＦＩＤデータを用いて、紙幣処理機内に収納されている紙幣の金種別の枚数を確認する収納紙幣確認処理を実行するように構成されているが、第一の紙幣束収納ボックス９０ａ、第二の紙幣束収納ボックス９０ｂ、第三の紙幣束収納ボックス９０ｃおよび第四の紙幣束収納ボックス９０ｄ内に収納されているのは、それぞれ、対応する金種の紙幣の限られた数の単位紙幣束に過ぎず、ＲＡＭ５２に書き込まれたデータは十分に高い信頼性を有しているから、紙幣処理機内に収納されている紙幣の金種別の枚数を確認する収納紙幣確認処理を実行するために、第一の紙幣束収納ボックス９０ａ、第二の紙幣束収納ボックス９０ｂ、第三の紙幣束収納ボックス９０ｃおよび第四の紙幣束収納ボックス９０ｄ内に、それぞれ、紙幣に形成されたインレット中のＩＣチップに記録された紙幣のＩＤデータ、紙幣の金種データなどのＲＦＩＤデータを読み取るＲＦＩＤリーダー３５０ａ、３５０ｂ、３５０ｃおよび３５０ｄを設けることは必ずしも必要でない。
【図面の簡単な説明】
【０４３９】
【図１】図１は、本発明の好ましい実施態様にかかる紙幣処理機の略縦断面図である。
【図２】図２は、本発明の好ましい実施態様にかかる紙幣収納ボックスである第一の紙幣収納ボックスの略斜視図である。
【図３】図３は、図１に示された紙幣処理機の制御系、検出系、駆動系、入力系および表示系を示すブロックダイアグラムである。
【図４】図４は、第一の紙幣収納ボックスの制御系、検出系、駆動系、入力系および表示系のブロックダイアグラムである。
【図５】図５は、第二の紙幣収納ボックスの制御系、検出系、駆動系、入力系および表示系のブロックダイアグラムである。
【図６】図６は、第三の紙幣収納ボックスの制御系、検出系、駆動系、入力系および表示系のブロックダイアグラムである。
【図７】図７は、第四の紙幣収納ボックスの制御系、検出系、駆動系、入力系および表示系のブロックダイアグラムである。
【図８】図８は、汚損紙幣収納ボックスの制御系、検出系、駆動系、入力系および表示系のブロックダイアグラムである。
【図９】図９は、本発明の別の好ましい実施態様にかかる紙幣収納ボックスを備えた紙幣処理機の略縦断面図である。
【図１０】図１０は、図９に示された紙幣処理機の制御系、検出系、駆動系、入力系および表示系を示すブロックダイアグラムである。
【図１１】図１１は、図９に示された紙幣処理機の紙幣入出金機構の検出系、第一の紙幣帯封機構の検出系および第二の紙幣帯封機構の検出系のブロックダイアグラムである。
【図１２】図１２は、図９に示された紙幣処理機の紙幣入出金機構の駆動系を示すブロックダイアグラムである。
【図１３】図１３は、図９に示された紙幣処理機の第一の紙幣帯封機構の駆動系を示すブロックダイアグラムである。
【図１４】図１４は、図９に示された紙幣処理機の第二の紙幣帯封機構の駆動系を示すブロックダイアグラムである。
【図１５】図１５は、第一の紙幣束収納ボックスａの制御系、検出系、駆動系、入力系および表示系のブロックダイアグラムである。
【図１６】図１６は、第二の紙幣束収納ボックスの制御系、検出系、駆動系、入力系および表示系のブロックダイアグラムである。
【図１７】図１７は、第三の紙幣束収納ボックスの制御系、検出系、駆動系、入力系および表示系のブロックダイアグラムである。
【図１８】図１８は、第四の紙幣束収納ボックスの制御系、検出系、駆動系、入力系および表示系のブロックダイアグラムである。
【符号の説明】
【０４４０】
１  紙幣入出金機構
２  第一の紙幣帯封機構
３  第二の紙幣帯封機構
１０  ハウジング
１０ａ  サブハウジング
１０ｂ  サブハウジング
１０ｃ  サブハウジング
１１  紙幣入金口
１２  紙幣出金口
１３  紙幣返却口
１４  搬送路
１５  紙幣判別部
１５ａ  センサユニット
１５ｂ  ＲＦＩＤリーダー
１５ｃ  ケーシング
１６  搬送路
１７  分岐搬送路
１８  ゲート部材
１９  分岐搬送路
２０  分岐搬送路
２１  分岐搬送路
２２  分岐搬送路
２３  ゲート部材
２４  ゲート部材
２５  ゲート部材
２６  ゲート部材
２７  紙幣一時貯留ユニット
２７ａ  第一の紙幣一時貯留ボックス
２７ｂ  第二の紙幣一時貯留ボックス
２７ｃ  第三の紙幣一時貯留ボックス
２７ｄ  第四の紙幣一時貯留ボックス
２８  汚損紙幣一時貯留ボックス
３０  紙幣収納ユニット
３０ａ  第一の紙幣収納ボックス
３０ｂ  第二の紙幣収納ボックス
３０ｃ  第三の紙幣収納ボックス
３０ｄ  第四の紙幣収納ボックス
３１  汚損紙幣収納ボックス
３２ａ  ＲＦＩＤリーダー
３２ｂ  ＲＦＩＤリーダー
３２ｃ  ＲＦＩＤリーダー
３２ｄ  ＲＦＩＤリーダー
３３ａ  第一の紙幣繰り出し部
３３ｂ  第二の紙幣繰り出し部
３３ｃ  第三の紙幣繰り出し部
３３ｄ  第四の紙幣繰り出し部
３５  出金紙幣搬送路
４０  出金紙幣判別部
４０ａ  センサユニット
４０ｂ  ＲＦＩＤリーダー
４０ｃ  ケーシング
４１  分岐搬送路
４２  ゲート部材
４３  紙幣回収ボックス
４３ａ  ＲＦＩＤリーダー
４３ｂ  ケーシング
４５  分岐搬送路
４６  ゲート部材
４７  接続搬送路
４８  ゲート部材
５０  ＣＰＵ
５１  ＲＯＭ
５２  ＲＡＭ
５３  時計
５５  ローラ駆動手段
５６  ソレノイド
５７  ソレノイド
５８  ソレノイド
５９  ソレノイド
６０  ソレノイド
６１  ソレノイド
６５  ソレノイド
６６  ソレノイド
６７  ソレノイド
６８  ソレノイド
６９  ソレノイド
７５  キーボード
７７  ディスプレイ
８０  第一の紙幣帯封ユニット
８１  第一の紙幣集積ボックス
８２  第二の紙幣集積ボックス
８３  第一の分岐搬送路
８４  第二の分岐搬送路
８５  ゲート部材
８６  紙幣保持手段
８６ａ、８６ｂ  板部材
８７  結束テープ供給部材
８８  ＲＦＩＤライター
８９  ケーシング
９０  紙幣束収納ユニット
９０ａ  第一の紙幣束収納ボックス
９０ｂ  第二の紙幣束収納ボックス
９０ｃ  第三の紙幣束収納ボックス
９０ｄ  第四の紙幣束収納ボックス
９０ｅ、９０ｆ、９０ｇ、９０ｈ  ＲＦＩＤリーダー
９１  紙幣束搬送機構
９２  紙幣束搬送路
９３ａ  第一の紙幣束繰り出し部
９３ｂ  第二の紙幣束繰り出し部
９３ｃ  第三の紙幣束繰り出し部
９３ｄ  第四の紙幣束繰り出し部
９５  紙幣束出金搬送路
９６  接続搬送路
９７  ゲート部材
９８  紙幣束出金口
９９  紙幣束検出部
９９ａ  ＲＦＩＤリーダー
９９ｂ  ケーシング
１００  紙幣束入金口
１０１  紙幣束出金口
１０２  入金紙幣束搬送路
１０３  紙幣束搬送路
１０５  データ読み取り部
１０５ａ  ＲＦＩＤリーダー
１０５ｂ  ＲＦＩＤリーダー
１０６  ケーシング
１０７  紙幣束搬送路
１１０  第二の紙幣帯封ユニット
１１１  紙幣束集積手段
１１２  紙幣束保持部材
１１３  結束テープ供給部材
１１４  巻き付け手段
１１５  ＲＦＩＤライター
１１７  紙幣束搬送路
１２０  ソレノイド
１２１  第一の集積紙幣送り出し手段
１２２  第二の集積紙幣送り出し手段
１２３  モータ
１２４  モータ
１２５  モータ
１２６  巻き付けモータ
１２７  ＲＦＩＤライター駆動手段
１２８  紙幣束搬送機構駆動手段
１２９  ソレノイド
１３０  紙幣束送り出し手段
１３１  モータ
１３２  モータ
１３３  巻き付けモータ
１３５  ＲＦＩＤライター駆動手段
１５１  紙幣入出金機構の検出系
１５２  第一の紙幣帯封機構の検出系
１５３  第二の紙幣帯封機構の検出系
１６１  紙幣入出金機構の駆動系
１６２  第一の紙幣帯封機構の駆動系
１６３  第二の紙幣帯封機構の駆動系
２００  ケーシング
２０１  軸
２０２  ハンドル
２０３  扉
２０４  キーホール
２０６  ハンドル収納部
２１０  シャッタ
２１１  電源スイッチ
２１２  ディスプレイ
２１３  ディスプレイスイッチ
２１５  接続ターミナル
２２０  接続ターミナル
２４０  汚損紙幣収納ボックスのコントローラ
２４１  汚損紙幣収納ボックスのＲＯＭ
２４２  汚損紙幣収納ボックスのＲＡＭ
２４５  汚損紙幣収納ボックスのシャッタソレノイド
２５０ａ  第一の紙幣収納ボックスのコントローラ
２５０ｂ  第二の紙幣収納ボックスのコントローラ
２５０ｃ  第三の紙幣収納ボックスのコントローラ
２５０ｄ  第四の紙幣収納ボックスのコントローラ
２５１ａ  第一の紙幣収納ボックスのＲＯＭ
２５１ｂ  第二の紙幣収納ボックスのＲＯＭ
２５１ｃ  第三の紙幣収納ボックスのＲＯＭ
２５１ｄ  第四の紙幣収納ボックスのＲＯＭ
２５２ａ  第一の紙幣収納ボックスのＲＡＭ
２５２ｂ  第二の紙幣収納ボックスのＲＡＭ
２５２ｃ  第三の紙幣収納ボックスのＲＡＭ
２５２ｄ  第四の紙幣収納ボックスのＲＡＭ
２５５ａ  第一の紙幣収納ボックスのシャッタソレノイド
２５５ｂ  第二の紙幣収納ボックスのシャッタソレノイド
２５５ｃ  第三の紙幣収納ボックスのシャッタソレノイド
２５５ｄ  第四の紙幣収納ボックスのシャッタソレノイド
３００ａ  第一の紙幣束収納ボックスのコントローラ
３００ｂ  第二の紙幣束収納ボックスのコントローラ
３００ｃ  第三の紙幣束収納ボックスのコントローラ
３００ｄ  第四の紙幣束収納ボックスのコントローラ
３０１ａ  第一の紙幣束収納ボックスのＲＯＭ
３０１ｂ  第二の紙幣束収納ボックスのＲＯＭ
３０１ｃ  第三の紙幣束収納ボックスのＲＯＭ
３０１ｄ  第四の紙幣束収納ボックスのＲＯＭ
３０２ａ  第一の紙幣束収納ボックスのＲＡＭ
３０２ｂ  第二の紙幣束収納ボックスのＲＡＭ
３０２ｃ  第三の紙幣束収納ボックスのＲＡＭ
３０２ｄ  第四の紙幣束収納ボックスのＲＡＭ
３０５ａ  第一の紙幣束収納ボックスのシャッタソレノイド
３０５ｂ  第二の紙幣束収納ボックスのシャッタソレノイド
３０５ｃ  第三の紙幣束収納ボックスのシャッタソレノイド
３０５ｄ  第四の紙幣束収納ボックスのシャッタソレノイド
３５０ａ  第一の紙幣束収納ボックスのＲＦＩＤリーダー
３５０ｂ  第二の紙幣束収納ボックスのＲＦＩＤリーダー
３５０ｃ  第三の紙幣束収納ボックスのＲＦＩＤリーダー
３５０ｄ  第四の紙幣束収納ボックスのＲＦＩＤリーダー
【図１】
0004734062.tif 000002
【図２】
0004734062.tif 000003
【図３】
0004734062.tif 000004
【図４】
0004734062.tif 000005
【図５】
0004734062.tif 000006
【図６】
0004734062.tif 000007
【図７】
0004734062.tif 000008
【図８】
0004734062.tif 000009
【図９】
0004734062.tif 000010
【図１０】
0004734062.tif 000011
【図１１】
0004734062.tif 000012
【図１２】
0004734062.tif 000013
【図１３】
0004734062.tif 000014
【図１４】
0004734062.tif 000015
【図１５】
0004734062.tif 000016
【図１６】
0004734062.tif 000017
【図１７】
0004734062.tif 000018
【図１８】
0004734062.tif 000019